(57)【要約】【課題】アップリンク情報送信方法および装置、基地局、ならびにユーザ機器を提供する。【解決手段】本発明の実施形態は、基地局が、第１のアップリンク情報の第１の伝送表示情報、および第２の伝送表示情報のうちの少なくとも１つをＵＥへ伝送するステップを含むアップリンク情報伝送方法であって、第１の伝送表示情報は、第１のアップリンク情報を伝送しかつ基地局によりＵＥに示されるサブフレームおよび／またはキャリアを含み、第１の伝送表示情報および／または第２の伝送表示情報は、コリジョンの間に行うＵＥの挙動を指示するために使用される、アップリンク情報伝送方法を提供する。本発明により提供されるアップリンク情報伝送方法は、ＵＥの処理効率上のキャリアコリジョンのインパクトを軽減するために使用される。【選択図】図６
2020102883.tif 000002
【特許請求の範囲】
【請求項１】
基地局によって、第１のアップリンク情報の第１の伝送表示情報、および第２の伝送表示情報のうちの少なくとも１つをユーザ機器ＵＥへ送信するステップ
を含むアップリンク情報送信方法であって、
前記第１の伝送表示情報は、前記第１のアップリンク情報を送信するように前記基地局が前記ＵＥに指示するサブフレームおよび／またはキャリアを含み、
前記第１の伝送表示情報および／または前記第２の伝送表示情報は、コリジョンが発生した場合のＵＥの挙動を示すために使用されるアップリンク情報送信方法。
【請求項２】
前記コリジョンは、前記第１のアップリンク情報の、前記基地局によって示される前記サブフレームにおいて、前記第１のアップリンク情報の前記キャリアと、前記ＵＥによって送信される必要がある第２のアップリンク情報によって使用されるキャリアとの総量が、前記ＵＥのアップリンクキャリアアグリゲーション能力を超えることを意味する請求項１に記載の方法。
【請求項３】
前記第１のアップリンク情報は、サウンディング参照信号ＳＲＳ、プリアンブルＰｒｅａｍｂｌｅ、またはシーケンスＳｅｑｕｅｎｃｅである請求項１または２に記載の方法。
【請求項４】
前記第１のアップリンク情報は、周期的な第１のアップリンク情報または非周期的な第１のアップリンク情報である請求項１乃至３のいずれか一項に記載の方法。
【請求項５】
前記第２のアップリンク情報は、物理アップリンク制御チャネルＰＵＣＣＨ、物理アップリンク共有チャネルＰＵＳＣＨ、物理ランダムアクセスチャネルＰＲＡＣＨ、または前記前述のチャネルに対応する情報である請求項１乃至４のいずれか一項に記載の方法。
【請求項６】
前記第２の伝送表示情報は、第１の優先度ルールを含み、前記第１の優先度ルールは、前記第１のアップリンク情報の優先度、および前記第２のアップリンク情報の優先度を含む請求項１乃至５のいずれか一項に記載の方法。
【請求項７】
前記第１の優先度ルールは、前記第１の優先度ルールに基づいて、前記第１のアップリンク情報および前記第２のアップリンク情報からより高い優先度のデータを決定するように、ならびに前記より高い優先度のデータを送信するように前記ＵＥに指示するために使用される請求項６に記載の方法。
【請求項８】
前記第１の優先度ルールは、前記第１のアップリンク情報および前記第２のアップリンク情報における前記より高い優先度のデータが前記第２のアップリンク情報である場合にさらに使用され、前記第１の優先度ルールは、前記第１のアップリンク情報を破棄するように前記ＵＥに指示するためにさらに使用される請求項６または７に記載の方法。
【請求項９】
前記第１のアップリンク情報は、周期的な第１のアップリンク情報および／または非周期的な第１のアップリンク情報を含み、前記第２のアップリンク情報は、ＰＲＡＣＨ、ＰＵＣＣＨ、またはＰＵＳＣＨであり、前記第１の優先度ルールは、
前記ＰＲＡＣＨの優先度が、前記非周期的な第１のアップリンク情報の優先度よりも高いこと、
前記ＰＲＡＣＨの前記優先度が、前記周期的な第１のアップリンク情報の優先度よりも高いこと、
前記ＰＵＣＣＨの優先度が、前記周期的な第１のアップリンク情報の優先度よりも高いこと、および
前記ＰＵＳＣＨの優先度が、前記周期的な第１のアップリンク情報の優先度よりも高いことのうちの少なくとも１つを含む請求項６乃至８のいずれか一項に記載の方法。
【請求項１０】
前記第１の優先度ルールは、
チャネル状態情報ＣＳＩ情報のみを含むＰＵＣＣＨの優先度が、前記非周期的な第１のアップリンク情報の優先度よりも低いことをさらに含む請求項９に記載の方法。
【請求項１１】
前記第１の優先度ルールは、
ＣＳＩ情報のみを含むＰＵＣＣＨの優先度が、前記非周期的な第１のアップリンク情報の優先度よりも高いことをさらに含む請求項９に記載の方法。
【請求項１２】
前記第１の優先度ルールは、
ＨＡＲＱを含むＰＵＣＣＨの優先度が、前記非周期的な第１のアップリンク情報の優先度よりも高いことをさらに含む請求項９乃至１１のいずれか一項に記載の方法。
【請求項１３】
前記第１の優先度ルールは、
前記ＰＵＣＣＨの前記優先度が、前記非周期的な第１のアップリンク情報の優先度よりも高いことをさらに含む請求項９に記載の方法。
【請求項１４】
前記第１の優先度ルールは、
アップリンク制御情報ＵＣＩを含むＰＵＳＣＨの優先度が、前記非周期的な第１のアップリンク情報の優先度よりも高いことをさらに含む請求項９乃至１３のいずれか一項に記載の方法。
【請求項１５】
前記第１の優先度ルールは、
ＵＣＩを含むＰＵＳＣＨの優先度が、前記非周期的な第１のアップリンク情報の優先度よりも低いことをさらに含む請求項９乃至１３のいずれか一項に記載の方法。
【請求項１６】
前記第１の優先度ルールは、
ＵＣＩを含まないＰＵＳＣＨの優先度が、前記非周期的な第１のアップリンク情報の優先度よりも低いことをさらに含む請求項９乃至１５のいずれか一項に記載の方法。
【請求項１７】
前記第１の優先度ルールは、
ＵＣＩを含まないＰＵＳＣＨの優先度が、前記非周期的な第１のアップリンク情報の優先度よりも高いことをさらに含む請求項９乃至１５のいずれか一項に記載の方法。
【請求項１８】
前記第１の優先度ルールは、
前記ＰＵＳＣＨの前記優先度が、前記非周期的な第１のアップリンク情報の優先度よりも高いことをさらに含む請求項９乃至１５のいずれか一項に記載の方法。
【請求項１９】
前記第１のアップリンク情報は、プライマリセルＰＣｅｌｌのキャリア、またはセカンダリセルＳＣｅｌｌのキャリア上に配置されている請求項９乃至１８のいずれか一項に記載の方法。
【請求項２０】
前記第２のアップリンク情報は、前記プライマリセルＰＣｅｌｌの前記キャリア、または前記セカンダリセルＳＣｅｌｌの前記キャリア上に配置されている請求項９乃至１９のいずれか一項に記載の方法。
【請求項２１】
前記第１の伝送表示情報は、
第１のリソースを含み、前記第１のリソースは、前記ＵＥが前記第１のアップリンク情報を送信するサブフレームおよび／もしくはサブフレームグループ、および／もしくは、前記ＵＥが前記第１のアップリンク情報を送信するキャリアおよび／もしくはキャリアグループを示すために使用され、ならびに／または
前記第２の伝送表示情報は、
第２の優先度を含み、前記第２の優先度は、前記第１のリソースが、事前設定されている優先リソースセットに属する場合に、前記第１のリソースを使用することによって前記第１のアップリンク情報を送信するように前記ＵＥに指示するために使用され、前記優先リソースセットは、前記第１のアップリンク情報の優先度が前記第２のアップリンク情報の優先度よりも高い前記サブフレームおよび／もしくは前記サブフレームグループ、および／もしくは、前記第１のアップリンク情報の優先度が前記第２のアップリンク情報の優先度よりも高い前記キャリアおよび／もしくは前記キャリアグループを含む請求項１乃至４のいずれか一項に記載の方法。
【請求項２２】
前記第１の伝送表示情報は、
第１のリソースを含み、前記第１のリソースは、前記ＵＥが前記第１のアップリンク情報を送信するサブフレームおよび／もしくはサブフレームグループ、ならびに／または、前記ＵＥが前記第１のアップリンク情報を送信するキャリアおよび／もしくはキャリアグループを示すために使用される請求項１乃至４のいずれか一項に記載の方法。
【請求項２３】
前記第１のリソースは、事前設定されている優先リソースセットに属し、前記優先リソースセットは、前記第１のアップリンク情報の優先度が前記第２のアップリンク情報の優先度よりも高い前記サブフレームおよび／もしくは前記サブフレームグループ、ならびに／または、前記キャリアおよび／もしくは前記キャリアグループを含む請求項２２に記載の方法。
【請求項２４】
前記第１のリソース、および前記第２のアップリンク情報によって使用されるリソースは、コリジョン回避条件を満たし、前記コリジョン回避条件は、同じサブフレームにおける、前記第１のアップリンク情報および前記第２のアップリンク情報によって使用されるキャリアの総量が、前記ＵＥの前記アップリンクキャリアアグリゲーション能力に満たないことである請求項２１乃至２３のいずれか一項に記載の方法。
【請求項２５】
前記第２のアップリンク情報によって使用される前記リソースは、事前に構成されており、前記第２のアップリンク情報は、ＰＵＣＣＨ情報、ＰＵＳＣＨ情報、またはＰＲＡＣＨ情報を含む請求項２４に記載の方法。
【請求項２６】
前記基地局は、より高いレイヤのシグナリングまたは物理レイヤのシグナリングを使用することによって前記第１の伝送表示情報を前記ＵＥへ送信する請求項１乃至２５のいずれか一項に記載の方法。
【請求項２７】
前記第１の伝送表示情報は、
第３のリソースを含み、前記第３のリソースは、前記ＵＥによって前記第１のアップリンク情報を送信するために使用される時間ドメインリソース、周波数ドメインリソース、および／または空間ドメインリソースを示すために使用される請求項１乃至４のいずれか一項に記載の方法。
【請求項２８】
前記第２の伝送表示情報は、
第４のリソースを含み、前記第４のリソースは、前記ＵＥによって前記第２のアップリンク情報を送信するために使用される時間ドメインリソース、周波数ドメインリソース、および／または空間ドメインリソースを示すために使用される請求項１乃至４、または請求項２７のいずれか一項に記載の方法。
【請求項２９】
前記第１のアップリンク情報によって使用される前記時間ドメインリソースは、前記第１のアップリンク情報によって占められる前記サブフレームのロケーション情報、直交周波数分割多重ＯＦＤＭロケーション情報、循環シフト情報、およびＳＲＳ送信サブフレームオフセットのうちの少なくとも１つを含む請求項２７に記載の方法。
【請求項３０】
前記第２のアップリンク情報によって使用される前記時間ドメインリソースは、ミューティングエリアを含みかつ前記第２のアップリンク情報を送信するために使用される物理リソースブロックＰＲＢの時間ドメインロケーション、および／または前記ミューティングエリアの時間ドメインロケーションを含む請求項２７乃至２９のいずれか一項に記載の方法。
【請求項３１】
前記ミューティングエリアの前記時間ドメインロケーションは、アップリンクパイロットタイムスロットＵｐＰＴＳ物理チャネル内にある請求項３０に記載の方法。
【請求項３２】
前記ミューティングエリアの前記時間ドメインロケーションは、前記ミューティングエリアの開始時点および終了時点を含む請求項３０または３１に記載の方法。
【請求項３３】
前記第１のアップリンク情報の前記周波数ドメインリソースは、前記第１のアップリンク情報によって占められる前記周波数ドメインリソースのロケーション情報、前記第１のアップリンク情報によって占められる前記キャリアの情報、帯域幅情報、および周波数ホッピング構成のうちの少なくとも１つを含む請求項２７乃至３２のいずれか一項に記載の方法。
【請求項３４】
前記第２のアップリンク情報の前記周波数ドメインリソースは、ミューティングエリアを含みかつ前記第２のアップリンク情報を送信するために使用されるＰＲＢの周波数ドメインロケーション、および／または前記ミューティングエリアの周波数ドメインロケーションを含む請求項２７乃至３３のいずれか一項に記載の方法。
【請求項３５】
前記空間ドメインリソースは、ポート情報である請求項２７乃至３４のいずれか一項に記載の方法。
【請求項３６】
前記第１の伝送表示情報は、前記第３のリソースを含み、前記基地局は、前記第１のアップリンク情報の通知シグナリングを使用することによって前記第１の伝送表示情報を送信し、または前記基地局は、前記第２のアップリンク情報の通知シグナリングを使用することによって前記第１の伝送表示情報を送信する請求項２７乃至３５のいずれか一項に記載の方法。
【請求項３７】
前記第２の伝送表示情報は、前記第４のリソースを含み、前記基地局は、前記第２のアップリンク情報の通知シグナリングを使用することによって前記第２の伝送表示情報を送信し、または前記基地局は、前記第１のアップリンク情報の通知シグナリングを使用することによって前記第２の伝送表示情報を送信する請求項２７乃至３６のいずれか一項に記載の方法。
【請求項３８】
前記第１のアップリンク情報の前記通知シグナリングを構成する方式は、準静的な構成であり、前記基地局は、ブロードキャストメッセージを使用することによって前記第１の伝送表示情報および／もしくは前記第２の伝送表示情報を通知し、または
前記第１のアップリンク情報の前記通知シグナリングを構成する方式は、動的な構成であり、前記基地局は、次のシグナリング、すなわち、個別シグナリング、より高いレイヤのシグナリング、ＭＡＣシグナリング、および物理レイヤのシグナリングのうちの少なくとも１つを使用することによって前記第１の伝送表示情報および／もしくは前記第２の伝送表示情報を通知する請求項３６または３７に記載の方法。
【請求項３９】
前記第２のアップリンク情報の前記通知シグナリングを構成する方式は、準静的な構成であり、前記基地局は、ブロードキャストメッセージを使用することによって前記第１の伝送表示情報および／もしくは前記第２の伝送表示情報を通知し、または
前記第２のアップリンク情報の前記通知シグナリングを構成する方式は、動的な構成であり、前記基地局は、次のシグナリング、すなわち、個別シグナリング、より高いレイヤのシグナリング、ＭＡＣシグナリング、および物理レイヤのシグナリングのうちの少なくとも１つを使用することによって前記第１の伝送表示情報および／もしくは前記第２の伝送表示情報を通知する請求項３６乃至３８のいずれか一項に記載の方法。
【請求項４０】
前記第１のアップリンク情報の前記通知シグナリングを構成する前記方式は、前記動的な構成であり、前記基地局は、拡張されたアップリンクグラントシグナリングまたはアップリンクスケジューリングシグナリングを使用することによって前記第１の伝送表示情報および／または前記第２の伝送表示情報を前記ＵＥへ送信する請求項２７乃至３９のいずれか一項に記載の方法。
【請求項４１】
前記基地局は、拡張されたダウンリンク制御情報ＤＣＩを使用することによって前記第１の伝送表示情報および／または前記第２の伝送表示情報を前記ＵＥへ送信する請求項２７乃至３９のいずれか一項に記載の方法。
【請求項４２】
前記ＤＣＩのタイプは、前記ミューティングエリアを含む前記物理リソースブロックＰＲＢを使用することによって前記第２のアップリンク情報を送信するように指示するために使用される請求項４１に記載の方法。
【請求項４３】
前記第２のアップリンク情報は、ＰＵＣＣＨを含み、前記基地局は、前記第２のアップリンク情報の前記通知シグナリングにおいて、前記第１の伝送表示情報を示し、前記第２のアップリンク情報の前記通知シグナリングを構成する前記方式は、前記準静的な構成である請求項２７乃至４２のいずれか一項に記載の方法。
【請求項４４】
前記第１の伝送表示情報は、前記第１のアップリンク情報のキャリア識別子を含み、および／または前記第２の伝送表示情報は、前記第２のアップリンク情報のキャリア識別子を含む請求項２７乃至４３のいずれか一項に記載の方法。
【請求項４５】
ユーザ機器ＵＥによって、基地局によって送信される第１のアップリンク情報の第１の伝送表示情報、および／または第２の伝送表示情報のうちの少なくとも１つを受信するステップであって、前記第１の伝送表示情報は、前記第１のアップリンク情報を送信するように前記基地局が前記ＵＥに指示するサブフレームおよび／またはキャリアを含む、ステップと、
前記ＵＥによって、前記第１の伝送表示情報および／または前記第２の伝送表示情報に基づいて、キャリアコリジョンが発生した場合のＵＥの挙動を決定するステップと
を含むアップリンク信号送信方法。
【請求項４６】
前記コリジョンは、前記第１のアップリンク情報の、前記基地局によって示される前記サブフレームにおいて、前記第１のアップリンク情報の前記キャリアと、前記ＵＥによって送信される必要がある第２のアップリンク情報によって使用されるキャリアとの総量が、前記ＵＥのアップリンクキャリアアグリゲーション能力を超えることを意味する請求項４５に記載の方法。
【請求項４７】
前記第１のアップリンク情報は、サウンディング参照信号ＳＲＳ、プリアンブルＰｒｅａｍｂｌｅ、またはシーケンスＳｅｑｕｅｎｃｅである請求項４５または４６に記載の方法。
【請求項４８】
前記第１のアップリンク情報は、周期的な第１のアップリンク情報または非周期的な第１のアップリンク情報である請求項４５乃至４７のいずれか一項に記載の方法。
【請求項４９】
前記第２のアップリンク情報は、物理アップリンク制御チャネルＰＵＣＣＨ、物理アップリンク共有チャネルＰＵＳＣＨ、または物理ランダムアクセスチャネルＰＲＡＣＨである請求項４５乃至４８のいずれか一項に記載の方法。
【請求項５０】
前記第２の伝送表示情報は、第１の優先度ルールを含み、前記第１の優先度ルールは、前記第１のアップリンク情報の優先度、および前記第２のアップリンク情報の優先度を含む請求項４５乃至４９のいずれか一項に記載の方法。
【請求項５１】
前記ＵＥは、より高い優先度のデータを送信し、前記より高い優先度のデータは、前記第１の優先度ルールに基づいて前記第１のアップリンク情報および前記第２のアップリンク情報から決定される請求項５０に記載の方法。
【請求項５２】
前記第１のアップリンク情報および前記第２のアップリンク情報における前記より高い優先度のデータは、前記第２のアップリンク情報であり、前記ＵＥは、前記第１のアップリンク情報を破棄する請求項５０または５１に記載の方法。
【請求項５３】
前記第１のアップリンク情報は、周期的な第１のアップリンク情報および非周期的な第１のアップリンク情報を含み、前記第２のアップリンク情報は、ＰＲＡＣＨ、ＰＵＣＣＨ、またはＰＵＳＣＨであり、前記第１の優先度ルールは、
前記ＰＲＡＣＨの優先度が、前記非周期的な第１のアップリンク情報の優先度よりも高いこと、
前記ＰＲＡＣＨの前記優先度が、前記周期的な第１のアップリンク情報の優先度よりも高いこと、
前記ＰＵＣＣＨの優先度が、前記周期的な第１のアップリンク情報の優先度よりも高いこと、および
前記ＰＵＳＣＨの優先度が、前記周期的な第１のアップリンク情報の優先度よりも高いことのうちの少なくとも１つを含む請求項５０乃至５２のいずれか一項に記載の方法。
【請求項５４】
前記第１の優先度ルールは、
チャネル状態情報ＣＳＩ情報のみを含むＰＵＣＣＨの優先度が、前記非周期的な第１のアップリンク情報の優先度よりも低いことをさらに含む請求項５３に記載の方法。
【請求項５５】
前記第１の優先度ルールは、
ＣＳＩ情報のみを含むＰＵＣＣＨの優先度が、前記非周期的な第１のアップリンク情報の優先度よりも高いことをさらに含む請求項５３に記載の方法。
【請求項５６】
前記第１の優先度ルールは、
ＨＡＲＱを含むＰＵＣＣＨの優先度が、前記非周期的な第１のアップリンク情報の優先度よりも高いことをさらに含む請求項５３乃至５５のいずれか一項に記載の方法。
【請求項５７】
前記第１の優先度ルールは、
前記ＰＵＣＣＨの前記優先度が、前記非周期的な第１のアップリンク情報の優先度よりも高いことをさらに含む請求項５３に記載の方法。
【請求項５８】
前記第１の優先度ルールは、
アップリンク制御情報ＵＣＩを含むＰＵＳＣＨの優先度が、非周期的なＳＲＳの優先度よりも高いことをさらに含む請求項５３乃至５７のいずれか一項に記載の方法。
【請求項５９】
前記第１の優先度ルールは、
ＵＣＩを含むＰＵＳＣＨの優先度が、非周期的なＳＲＳの優先度よりも低いことをさらに含む請求項５３乃至５７のいずれか一項に記載の方法。
【請求項６０】
前記第１の優先度ルールは、
ＵＣＩを含まないＰＵＳＣＨの優先度が、前記非周期的な第１のアップリンク情報の優先度よりも低いことをさらに含む請求項５３乃至５９のいずれか一項に記載の方法。
【請求項６１】
前記第１の優先度ルールは、
ＵＣＩを含まないＰＵＳＣＨの優先度が、前記非周期的な第１のアップリンク情報の優先度よりも高いことをさらに含む請求項５３乃至５９のいずれか一項に記載の方法。
【請求項６２】
前記第１の優先度ルールは、
前記ＰＵＳＣＨの前記優先度が、前記非周期的なＳＲＳの優先度よりも高いことをさらに含む請求項５３乃至５９のいずれか一項に記載の方法。
【請求項６３】
前記第１のアップリンク情報は、プライマリセルＰＣｅｌｌのキャリア、またはセカンダリセルＳＣｅｌｌのキャリア上に配置されている請求項５３乃至６２のいずれか一項に記載の方法。
【請求項６４】
前記第２のアップリンク情報は、前記プライマリセルＰＣｅｌｌの前記キャリア、または前記セカンダリセルＳＣｅｌｌの前記キャリア上に配置されている請求項５３乃至６３のいずれか一項に記載の方法。
【請求項６５】
前記第２の伝送表示情報は、第１のリソースを含み、前記第１のリソースは、前記ＵＥが前記第１のアップリンク情報を送信するサブフレームおよび／もしくはサブフレームグループ、ならびに／または、前記ＵＥが前記第１のアップリンク情報を送信するキャリアおよび／もしくはキャリアグループを示すために使用され、
前記第２の伝送表示情報は、第２の優先度を含み、前記第２の優先度は、事前設定されている優先リソースセットを示すために使用され、前記第１のリソースは、前記事前設定されている優先リソースセットに属し、
前記ＵＥは、前記第１のリソースを使用することによって前記第１のアップリンク情報を送信する請求項４５乃至４９のいずれか一項に記載の方法。
【請求項６６】
前記第１の伝送表示情報は、
第１のリソースを含み、前記第１のリソースは、前記ＵＥが前記第１のアップリンク情報を送信するサブフレームおよび／もしくはサブフレームグループ、ならびに／または、前記ＵＥが前記第１のアップリンク情報を送信するキャリアおよび／もしくはキャリアグループを示すために使用され、
前記ＵＥは、前記第１のリソースを使用することによって前記第１のアップリンク情報を送信する請求項４５乃至４９のいずれか一項に記載の方法。
【請求項６７】
前記第１のリソースは、事前設定されている優先リソースセットに属し、前記優先リソースセットは、前記第１のアップリンク情報の優先度が前記第２のアップリンク情報の優先度よりも高い前記サブフレームおよび／もしくは前記サブフレームグループ、ならびに／または、前記キャリアおよび／もしくは前記キャリアグループを含む請求項６６に記載の方法。
【請求項６８】
前記第１のリソース、および前記第２のアップリンク情報によって使用されるリソースは、キャリアコリジョン回避条件を満たし、前記キャリアコリジョン回避条件は、同じサブフレームにおける、前記第１のアップリンク情報および前記第２のアップリンク情報によって使用されるキャリアの総量が、前記ＵＥの前記アップリンクキャリアアグリゲーション能力に満たないことである請求項６５乃至６７のいずれか一項に記載の方法。
【請求項６９】
前記第２のアップリンク情報によって使用される前記リソースは、事前に構成されており、前記第２のアップリンク情報は、ＰＵＣＣＨ情報、ＰＵＳＣＨ情報、またはＰＲＡＣＨ情報を含む請求項６８に記載の方法。
【請求項７０】
前記ＵＥは、より高いレイヤのシグナリングまたは物理レイヤのシグナリングを使用することによって、前記基地局によって送信された前記第１の伝送表示情報を受信する請求項４５乃至６９のいずれか一項に記載の方法。
【請求項７１】
前記第１の伝送表示情報は、第３のリソースを含み、前記第３のリソースは、前記ＵＥによって前記第１のアップリンク情報を送信するために使用される時間ドメインリソース、周波数ドメインリソース、および／もしくは空間ドメインリソースを示すために使用され、前記ＵＥは、前記第３のリソースに基づいて前記第１のアップリンク情報および／もしくは前記第２のアップリンク情報を送信し、ならびに／または
前記第２の伝送表示情報は、第４のリソースを含み、前記第４のリソースは、前記ＵＥによって前記第２のアップリンク情報を送信するために使用される時間ドメインリソース、周波数ドメインリソース、および／もしくは空間ドメインリソースを示すために使用され、前記ＵＥは、前記第４のリソースに基づいて前記第１のアップリンク情報および／もしくは前記第２のアップリンク情報を送信する請求項４５乃至４９のいずれか一項に記載の方法。
【請求項７２】
前記ＵＥが、前記第３のリソースに基づいて前記第１のアップリンク情報および／または前記第２のアップリンク情報を送信することは、
前記ＵＥによって、前記第３のリソース上で前記第１のアップリンク情報を送信し、前記第３のリソースとのキャリアコリジョンに陥っているキャリアの対応する時間ドメインリソース上で前記第２のアップリンク情報を送信することをスキップするステップを含み、
前記第３のリソースとの前記キャリアコリジョンに陥っている前記キャリアの前記対応する時間ドメインリソースは、前記第３のリソースの前記時間ドメインリソースと同じである請求項７１に記載の方法。
【請求項７３】
前記ＵＥが、前記第４のリソースに基づいて前記第１のアップリンク情報および／または前記第２のアップリンク情報を送信することは、
前記ＵＥによって、前記第４のリソース上で前記第２のアップリンク情報を送信し、前記第４のリソースとのキャリアコリジョンに陥っているキャリアの対応する時間ドメインリソース上で前記第１のアップリンク情報を送信するステップを含み、
前記第４のリソースとの前記キャリアコリジョンに陥っている前記キャリアの前記対応する時間ドメインリソースは、前記第４のリソースの前記時間ドメインリソースとは異なる請求項７１に記載の方法。
【請求項７４】
前記第１のアップリンク情報によって使用される前記時間ドメインリソースは、前記第１のアップリンク情報によって占められる前記サブフレームのロケーション情報、直交周波数分割多重ＯＦＤＭロケーション情報、循環シフト情報、およびＳＲＳ送信サブフレームオフセットのうちの少なくとも１つを含む請求項７１乃至７３のいずれか一項に記載の方法。
【請求項７５】
前記第２のアップリンク情報によって使用される前記時間ドメインリソースは、ミューティングエリアを含みかつ前記第２のアップリンク情報を送信するために使用される物理リソースブロックＰＲＢの時間ドメインロケーション、および／または前記ミューティングエリアの時間ドメインロケーションを含み、
前記ＵＥは、前記ミューティングエリアを含みかつ前記第２のアップリンク情報を送信するために使用される前記ＰＲＢの前記時間ドメインロケーションにおいて前記第２のアップリンク情報を送信しない請求項７１乃至７４のいずれか一項に記載の方法。
【請求項７６】
前記ミューティングエリアの前記時間ドメインロケーションは、前記ミューティングエリアの開始時点および終了時点を含む請求項７５に記載の方法。
【請求項７７】
前記第１のアップリンク情報の前記周波数ドメインリソースは、前記第１のアップリンク情報によって占められる前記周波数ドメインリソースのロケーション情報、前記第１のアップリンク情報によって占められる前記キャリアの情報、帯域幅情報、および周波数ホッピング構成のうちの少なくとも１つを含む請求項７１乃至７６のいずれか一項に記載の方法。
【請求項７８】
前記第２のアップリンク情報の前記周波数ドメインリソースは、ミューティングエリアを含みかつ前記第２のアップリンク情報を送信するために使用されるＰＲＢの周波数ドメインロケーション、および／または前記ミューティングエリアの周波数ドメインロケーションを含む請求項７１乃至７７のいずれか一項に記載の方法。
【請求項７９】
前記空間ドメインリソースは、ポート情報である請求項７１乃至７８のいずれか一項に記載の方法。
【請求項８０】
前記第１の伝送表示情報は、前記第３のリソースを含み、前記ＵＥは、前記第１のアップリンク情報の通知シグナリングを使用することによって前記第１の伝送表示情報を受信し、または前記ＵＥは、前記第２のアップリンク情報の通知シグナリングを使用することによって前記第１の伝送表示情報を受信する請求項７１乃至７９のいずれか一項に記載の方法。
【請求項８１】
前記第２の伝送表示情報は、前記第４のリソースを含み、前記ＵＥは、前記第２のアップリンク情報の通知シグナリングを使用することによって前記第２の伝送表示情報を受信し、または前記ＵＥは、前記第１のアップリンク情報の通知シグナリングを使用することによって前記第２の伝送表示情報を受信する請求項７１乃至８０のいずれか一項に記載の方法。
【請求項８２】
前記第１のアップリンク情報の前記通知シグナリングを構成する方式は、準静的な構成であり、前記ＵＥは、ブロードキャストメッセージを使用することによって前記第１の伝送表示情報および／もしくは前記第２の伝送表示情報を受信し、または
前記第１のアップリンク情報の前記通知シグナリングを構成する方式は、動的な構成であり、前記ＵＥは、次のシグナリング、すなわち、個別シグナリング、より高いレイヤのシグナリング、ＭＡＣシグナリング、および物理レイヤのシグナリングのうちの少なくとも１つを使用することによって前記第１の伝送表示情報および／もしくは前記第２の伝送表示情報を受信する請求項８０または８１に記載の方法。
【請求項８３】
前記第２のアップリンク情報の前記通知シグナリングを構成する方式は、準静的な構成であり、前記ＵＥは、ブロードキャストメッセージを使用することによって前記第１の伝送表示情報および／もしくは前記第２の伝送表示情報を受信し、または
前記第２のアップリンク情報の前記通知シグナリングを構成する方式は、動的な構成であり、前記ＵＥは、次のシグナリング、すなわち、個別シグナリング、より高いレイヤのシグナリング、ＭＡＣシグナリング、および物理レイヤのシグナリングのうちの少なくとも１つを使用することによって前記第１の伝送表示情報および／もしくは前記第２の伝送表示情報を受信する請求項８０乃至８２のいずれか一項に記載の方法。
【請求項８４】
前記第１のアップリンク情報の前記通知シグナリングを構成する前記方式は、前記動的な構成であり、前記ＵＥは、アップリンクグラントシグナリングまたはアップリンクスケジューリングシグナリングを使用することによって前記第１の伝送表示情報および／または前記第２の伝送表示情報を受信する請求項８０乃至８３のいずれか一項に記載の方法。
【請求項８５】
前記ＵＥは、ダウンリンク制御情報ＤＣＩを使用することによって前記第１の伝送表示情報および／または前記第２の伝送表示情報を受信する請求項８０乃至８４のいずれか一項に記載の方法。
【請求項８６】
前記ＤＣＩのタイプは、前記ミューティングエリアを含む前記物理リソースブロックＰＲＢを使用することによって前記第２のアップリンク情報を送信するように指示するために使用される請求項８５に記載の方法。
【請求項８７】
前記第２のアップリンク情報は、ＰＵＣＣＨを含み、前記ＵＥは、前記第２のアップリンク情報の前記通知シグナリングを使用することによって前記第１の伝送表示情報を受信し、前記第２のアップリンク情報の前記通知シグナリングを構成する前記方式は、前記準静的な構成である請求項８０乃至８６のいずれか一項に記載の方法。
【請求項８８】
前記第１の伝送表示情報は、前記第１のアップリンク情報のキャリア識別子を含み、および／または前記第２の伝送表示情報は、前記第２のアップリンク情報のキャリア識別子を含む請求項８０乃至８７のいずれか一項に記載の方法。
【請求項８９】
第１のアップリンク情報の第１の伝送表示情報、および第２の伝送表示情報のうちの少なくとも１つをユーザ機器ＵＥへ送信するように構成されている送信モジュール
を含むアップリンク情報送信装置であって、
前記第１の伝送表示情報は、前記第１のアップリンク情報を送信するように前記基地局が前記ＵＥに指示するサブフレームおよび／またはキャリアを含み、
前記第１の伝送表示情報および／または前記第２の伝送表示情報は、コリジョンが発生した場合のＵＥの挙動を示すために使用されるアップリンク情報送信装置。
【請求項９０】
前記コリジョンは、前記第１のアップリンク情報の、前記基地局によって示される前記サブフレームにおいて、前記第１のアップリンク情報の前記キャリアと、前記ＵＥによって送信される必要がある第２のアップリンク情報によって使用されるキャリアとの総量が、前記ＵＥのアップリンクキャリアアグリゲーション能力を超えることを意味する請求項８９に記載の装置。
【請求項９１】
前記第１のアップリンク情報は、サウンディング参照信号ＳＲＳ、プリアンブルＰｒｅａｍｂｌｅ、またはシーケンスＳｅｑｕｅｎｃｅである請求項８９または９０に記載の装置。
【請求項９２】
前記第１のアップリンク情報は、周期的な第１のアップリンク情報または非周期的な第１のアップリンク情報である請求項８９乃至９１のいずれか一項に記載の装置。
【請求項９３】
前記第２のアップリンク情報は、物理アップリンク制御チャネルＰＵＣＣＨ、物理アップリンク共有チャネルＰＵＳＣＨ、物理ランダムアクセスチャネルＰＲＡＣＨ、または前記前述のチャネルに対応する情報である請求項８９乃至９２のいずれか一項に記載の装置。
【請求項９４】
前記第２の伝送表示情報は、第１の優先度ルールを含み、前記第１の優先度ルールは、前記第１のアップリンク情報の優先度、および前記第２のアップリンク情報の優先度を含む請求項８９乃至９３のいずれか一項に記載の装置。
【請求項９５】
前記第１の優先度ルールは、前記第１の優先度ルールに基づいて、前記第１のアップリンク情報および前記第２のアップリンク情報からより高い優先度のデータを決定するように、ならびに前記より高い優先度のデータを送信するように前記ＵＥに指示するために使用される請求項９４に記載の装置。
【請求項９６】
前記第１の優先度ルールは、前記第１のアップリンク情報および前記第２のアップリンク情報における前記より高い優先度のデータが前記第２のアップリンク情報である場合にさらに使用され、前記第１の優先度ルールは、前記第１のアップリンク情報を破棄するように前記ＵＥに指示するためにさらに使用される請求項９４または９５に記載の装置。
【請求項９７】
前記第１のアップリンク情報は、周期的な第１のアップリンク情報および／または非周期的な第１のアップリンク情報を含み、前記第２のアップリンク情報は、ＰＲＡＣＨ、ＰＵＣＣＨ、またはＰＵＳＣＨであり、前記第１の優先度ルールは、
前記ＰＲＡＣＨの優先度が、前記非周期的な第１のアップリンク情報の優先度よりも高いこと、
前記ＰＲＡＣＨの前記優先度が、前記周期的な第１のアップリンク情報の優先度よりも高いこと、
前記ＰＵＣＣＨの優先度が、前記周期的な第１のアップリンク情報の優先度よりも高いこと、および
前記ＰＵＳＣＨの優先度が、前記周期的な第１のアップリンク情報の優先度よりも高いことのうちの少なくとも１つを含む請求項９４乃至９６のいずれか一項に記載の装置。
【請求項９８】
前記第１の優先度ルールは、
チャネル状態情報ＣＳＩ情報のみを含むＰＵＣＣＨの優先度が、前記非周期的な第１のアップリンク情報の優先度よりも低いことをさらに含む請求項９７に記載の装置。
【請求項９９】
前記第１の優先度ルールは、
ＣＳＩ情報のみを含むＰＵＣＣＨの優先度が、前記非周期的な第１のアップリンク情報の優先度よりも高いことをさらに含む請求項９７に記載の装置。
【請求項１００】
前記第１の優先度ルールは、
ＨＡＲＱを含むＰＵＣＣＨの優先度が、前記非周期的な第１のアップリンク情報の優先度よりも高いことをさらに含む請求項９７乃至９９のいずれか一項に記載の装置。
【請求項１０１】
前記第１の優先度ルールは、
前記ＰＵＣＣＨの前記優先度が、前記非周期的な第１のアップリンク情報の優先度よりも高いことをさらに含む請求項９７に記載の装置。
【請求項１０２】
前記第１の優先度ルールは、
アップリンク制御情報ＵＣＩを含むＰＵＳＣＨの優先度が、前記非周期的な第１のアップリンク情報の優先度よりも高いことをさらに含む請求項９７乃至１０１のいずれか一項に記載の装置。
【請求項１０３】
前記第１の優先度ルールは、
ＵＣＩを含むＰＵＳＣＨの優先度が、前記非周期的な第１のアップリンク情報の優先度よりも低いことをさらに含む請求項９７乃至１０１のいずれか一項に記載の装置。
【請求項１０４】
前記第１の優先度ルールは、
ＵＣＩを含まないＰＵＳＣＨの優先度が、前記非周期的な第１のアップリンク情報の優先度よりも低いことをさらに含む請求項９７乃至１０３のいずれか一項に記載の装置。
【請求項１０５】
前記第１の優先度ルールは、
ＵＣＩを含まないＰＵＳＣＨの優先度が、前記非周期的な第１のアップリンク情報の優先度よりも高いことをさらに含む請求項９７乃至１０３のいずれか一項に記載の装置。
【請求項１０６】
前記第１の優先度ルールは、
前記ＰＵＳＣＨの前記優先度が、前記非周期的な第１のアップリンク情報の優先度よりも高いことをさらに含む請求項９７乃至１０３のいずれか一項に記載の装置。
【請求項１０７】
前記第１のアップリンク情報は、プライマリセルＰＣｅｌｌのキャリア、またはセカンダリセルＳＣｅｌｌのキャリア上に配置されている請求項９７乃至１０６のいずれか一項に記載の装置。
【請求項１０８】
前記第２のアップリンク情報は、前記プライマリセルＰＣｅｌｌの前記キャリア、または前記セカンダリセルＳＣｅｌｌの前記キャリア上に配置されている請求項９７乃至１０７のいずれか一項に記載の装置。
【請求項１０９】
前記第１の伝送表示情報は、
第１のリソースを含み、前記第１のリソースは、前記ＵＥが前記第１のアップリンク情報を送信するサブフレームおよび／もしくはサブフレームグループ、および／もしくは、前記ＵＥが前記第１のアップリンク情報を送信するキャリアおよび／もしくはキャリアグループを示すために使用され、ならびに／または
前記第２の伝送表示情報は、
第２の優先度を含み、前記第２の優先度は、前記第１のリソースが、事前設定されている優先リソースセットに属する場合に、前記第１のリソースを使用することによって前記第１のアップリンク情報を送信するように前記ＵＥに指示するために使用され、前記優先リソースセットは、前記第１のアップリンク情報の優先度が前記第２のアップリンク情報の優先度よりも高い前記サブフレームおよび／もしくは前記サブフレームグループ、および／もしくは、前記キャリアおよび／もしくは前記キャリアグループを含む請求項８９乃至９２のいずれか一項に記載の装置。
【請求項１１０】
前記第１の伝送表示情報は、
第１のリソースを含み、前記第１のリソースは、前記ＵＥが前記第１のアップリンク情報を送信するサブフレームおよび／もしくはサブフレームグループ、ならびに／または、前記ＵＥが前記第１のアップリンク情報を送信するキャリアおよび／もしくはキャリアグループを示すために使用される請求項８９乃至９２のいずれか一項に記載の装置。
【請求項１１１】
前記第１のリソースは、事前設定されている優先リソースセットに属し、前記優先リソースセットは、前記第１のアップリンク情報の優先度が前記第２のアップリンク情報の優先度よりも高い前記サブフレームおよび／もしくは前記サブフレームグループ、ならびに／または、前記キャリアおよび／もしくは前記キャリアグループを含む請求項１１０に記載の装置。
【請求項１１２】
前記第１のリソース、および前記第２のアップリンク情報によって使用されるリソースは、コリジョン回避条件を満たし、前記コリジョン回避条件は、同じサブフレームにおける、前記第１のアップリンク情報および前記第２のアップリンク情報によって使用されるキャリアの総量が、前記ＵＥの前記アップリンクキャリアアグリゲーション能力に満たないことである請求項１０９乃至１１１のいずれか一項に記載の装置。
【請求項１１３】
前記第２のアップリンク情報によって使用される前記リソースは、事前に構成されており、前記第２のアップリンク情報は、ＰＵＣＣＨ情報、ＰＵＳＣＨ情報、またはＰＲＡＣＨ情報を含む請求項１１２に記載の装置。
【請求項１１４】
前記送信モジュールは、より高いレイヤのシグナリングまたは物理レイヤのシグナリングを使用することによって前記第１の伝送表示情報を前記ＵＥへ送信するように構成されている請求項８９乃至１１３のいずれか一項に記載の装置。
【請求項１１５】
前記第１の伝送表示情報は、
第３のリソースを含み、前記第３のリソースは、前記ＵＥによって前記第１のアップリンク情報を送信するために使用される時間ドメインリソース、周波数ドメインリソース、および／または空間ドメインリソースを示すために使用される請求項８９乃至９２のいずれか一項に記載の装置。
【請求項１１６】
前記第２の伝送表示情報は、
第４のリソースを含み、前記第４のリソースは、前記ＵＥによって前記第２のアップリンク情報を送信するために使用される時間ドメインリソース、周波数ドメインリソース、および／または空間ドメインリソースを示すために使用される請求項８９乃至９２、または請求項１１５のいずれか一項に記載の装置。
【請求項１１７】
前記第１のアップリンク情報によって使用される前記時間ドメインリソースは、前記第１のアップリンク情報によって占められる前記サブフレームのロケーション情報、直交周波数分割多重ＯＦＤＭロケーション情報、循環シフト情報、およびＳＲＳ送信サブフレームオフセットのうちの少なくとも１つを含む請求項１１５に記載の装置。
【請求項１１８】
前記第２のアップリンク情報によって使用される前記時間ドメインリソースは、ミューティングエリアを含みかつ前記第２のアップリンク情報を送信するために使用される物理リソースブロックＰＲＢの時間ドメインロケーション、および／または前記ミューティングエリアの時間ドメインロケーションを含む請求項１１５乃至１１７のいずれか一項に記載の装置。
【請求項１１９】
前記ミューティングエリアの前記時間ドメインロケーションは、アップリンクパイロットタイムスロットＵｐＰＴＳ物理チャネル内にある請求項１１８に記載の装置。
【請求項１２０】
前記ミューティングエリアの前記時間ドメインロケーションは、前記ミューティングエリアの開始時点および終了時点を含む請求項１１８または１１９に記載の装置。
【請求項１２１】
前記第１のアップリンク情報の前記周波数ドメインリソースは、前記第１のアップリンク情報によって占められる前記周波数ドメインリソースのロケーション情報、前記第１のアップリンク情報によって占められる前記キャリアの情報、帯域幅情報、および周波数ホッピング構成のうちの少なくとも１つを含む請求項１１５乃至１２０のいずれか一項に記載の装置。
【請求項１２２】
前記第２のアップリンク情報の前記周波数ドメインリソースは、ミューティングエリアを含みかつ前記第２のアップリンク情報を送信するために使用されるＰＲＢの周波数ドメインロケーション、および／または前記ミューティングエリアの周波数ドメインロケーションを含む請求項１１５乃至１２１のいずれか一項に記載の装置。
【請求項１２３】
前記空間ドメインリソースは、ポート情報である請求項１１５乃至１２２のいずれか一項に記載の装置。
【請求項１２４】
前記第１の伝送表示情報は、前記第３のリソースを含み、前記送信モジュールは、前記第１のアップリンク情報の通知シグナリングを使用することによって前記第１の伝送表示情報を送信するように構成されており、または前記送信モジュールは、前記第２のアップリンク情報の通知シグナリングを使用することによって前記第１の伝送表示情報を送信するように構成されている請求項１１５乃至１２３のいずれか一項に記載の装置。
【請求項１２５】
前記第２の伝送表示情報は、前記第４のリソースを含み、前記送信モジュールは、前記第２のアップリンク情報の通知シグナリングを使用することによって前記第２の伝送表示情報を送信するように構成されており、または前記送信モジュールは、前記第１のアップリンク情報の通知シグナリングを使用することによって前記第２の伝送表示情報を送信するように構成されている請求項１１５乃至１２４のいずれか一項に記載の装置。
【請求項１２６】
前記第１のアップリンク情報の前記通知シグナリングを構成する方式は、準静的な構成であり、前記送信モジュールは、ブロードキャストメッセージを使用することによって前記第１の伝送表示情報および／もしくは前記第２の伝送表示情報を通知するように構成されており、または
前記第１のアップリンク情報の前記通知シグナリングを構成する方式は、動的な構成であり、前記送信モジュールは、次のシグナリング、すなわち、個別シグナリング、より高いレイヤのシグナリング、ＭＡＣシグナリング、および物理レイヤのシグナリングのうちの少なくとも１つを使用することによって前記第１の伝送表示情報および／もしくは前記第２の伝送表示情報を通知するように構成されている請求項１２４または１２５に記載の装置。
【請求項１２７】
前記第２のアップリンク情報の前記通知シグナリングを構成する方式は、準静的な構成であり、前記送信モジュールは、ブロードキャストメッセージを使用することによって前記第１の伝送表示情報および／もしくは前記第２の伝送表示情報を通知するように構成されており、または
前記第２のアップリンク情報の前記通知シグナリングを構成する方式は、動的な構成であり、前記送信モジュールは、次のシグナリング、すなわち、個別シグナリング、より高いレイヤのシグナリング、ＭＡＣシグナリング、および物理レイヤのシグナリングのうちの少なくとも１つを使用することによって前記第１の伝送表示情報および／もしくは前記第２の伝送表示情報を通知するように構成されている請求項１２４乃至１２６のいずれか一項に記載の装置。
【請求項１２８】
前記第１のアップリンク情報の前記通知シグナリングを構成する前記方式は、前記動的な構成であり、前記送信モジュールは、拡張されたアップリンクグラントシグナリングまたはアップリンクスケジューリングシグナリングを使用することによって前記第１の伝送表示情報および／または前記第２の伝送表示情報を前記ＵＥへ送信するように構成されている請求項１１５乃至１２７のいずれか一項に記載の装置。
【請求項１２９】
前記送信モジュールは、拡張されたダウンリンク制御情報ＤＣＩを使用することによって前記第１の伝送表示情報および／または前記第２の伝送表示情報を前記ＵＥへ送信するように構成されている請求項１１５乃至１２７のいずれか一項に記載の装置。
【請求項１３０】
前記ＤＣＩのタイプは、前記ミューティングエリアを含む前記物理リソースブロックＰＲＢを使用することによって前記第２のアップリンク情報を送信するように指示するために使用される請求項１２９に記載の装置。
【請求項１３１】
前記第２のアップリンク情報は、ＰＵＣＣＨを含み、前記送信モジュールは、前記第２のアップリンク情報の前記通知シグナリングにおいて、前記第１の伝送表示情報を示すように構成されており、前記第２のアップリンク情報の前記通知シグナリングを構成する前記方式は、前記準静的な構成である請求項１１５乃至１３０のいずれか一項に記載の装置。
【請求項１３２】
前記第１の伝送表示情報は、前記第１のアップリンク情報のキャリア識別子を含み、および／または前記第２の伝送表示情報は、前記第２のアップリンク情報のキャリア識別子を含む請求項１１５乃至１３１のいずれか一項に記載の装置。
【請求項１３３】
基地局によって送信される第１のアップリンク情報の第１の伝送表示情報、および／または第２の伝送表示情報のうちの少なくとも１つを受信するように構成されている受信モジュールであって、前記第１の伝送表示情報は、前記第１のアップリンク情報を送信するように前記基地局がユーザ機器ＵＥに指示するサブフレームおよび／またはキャリアを含む、受信モジュールと、
前記第１の伝送表示情報および／または前記第２の伝送表示情報に基づいて、コリジョンが発生した場合のＵＥの挙動を決定するように構成されている処理モジュールと
を含むアップリンク信号送信装置。
【請求項１３４】
前記コリジョンは、前記第１のアップリンク情報の、前記基地局によって示される前記サブフレームにおいて、前記第１のアップリンク情報の前記キャリアと、前記ＵＥによって送信される必要がある第２のアップリンク情報によって使用されるキャリアとの総量が、前記ＵＥのアップリンクキャリアアグリゲーション能力を超えることを意味する請求項１３３に記載の装置。
【請求項１３５】
前記第１のアップリンク情報は、サウンディング参照信号ＳＲＳ、プリアンブルＰｒｅａｍｂｌｅ、またはシーケンスＳｅｑｕｅｎｃｅである請求項１３３または１３４に記載の装置。
【請求項１３６】
前記第１のアップリンク情報は、周期的な第１のアップリンク情報または非周期的な第１のアップリンク情報である請求項１３３乃至１３５のいずれか一項に記載の装置。
【請求項１３７】
前記第２のアップリンク情報は、物理アップリンク制御チャネルＰＵＣＣＨ、物理アップリンク共有チャネルＰＵＳＣＨ、または物理ランダムアクセスチャネルＰＲＡＣＨである請求項１３３乃至１３６のいずれか一項に記載の装置。
【請求項１３８】
前記第２の伝送表示情報は、第１の優先度ルールを含み、前記第１の優先度ルールは、前記第１のアップリンク情報の優先度、および前記第２のアップリンク情報の優先度を含む請求項１３３乃至１３７のいずれか一項に記載の装置。
【請求項１３９】
より高い優先度のデータを送信するように構成されている伝送モジュールをさらに含み、前記より高い優先度のデータは、前記第１の優先度ルールに基づいて前記第１のアップリンク情報および前記第２のアップリンク情報から決定される
請求項１３８に記載の装置。
【請求項１４０】
前記処理モジュールは、前記第１のアップリンク情報を破棄するようにさらに構成されており、前記第１のアップリンク情報および前記第２のアップリンク情報における前記より高い優先度のデータは、前記第２のアップリンク情報である請求項１３８または１３９に記載の装置。
【請求項１４１】
前記第１のアップリンク情報は、周期的な第１のアップリンク情報および非周期的な第１のアップリンク情報を含み、前記第２のアップリンク情報は、ＰＲＡＣＨ、ＰＵＣＣＨ、またはＰＵＳＣＨであり、前記第１の優先度ルールは、
前記ＰＲＡＣＨの優先度が、前記非周期的な第１のアップリンク情報の優先度よりも高いこと、
前記ＰＲＡＣＨの前記優先度が、前記周期的な第１のアップリンク情報の優先度よりも高いこと、
前記ＰＵＣＣＨの優先度が、前記周期的な第１のアップリンク情報の優先度よりも高いこと、および
前記ＰＵＳＣＨの優先度が、前記周期的な第１のアップリンク情報の優先度よりも高いことのうちの少なくとも１つを含む請求項１３８乃至１４０のいずれか一項に記載の装置。
【請求項１４２】
前記第１の優先度ルールは、
チャネル状態情報ＣＳＩ情報のみを含むＰＵＣＣＨの優先度が、前記非周期的な第１のアップリンク情報の優先度よりも低いことをさらに含む請求項１４１に記載の装置。
【請求項１４３】
前記第１の優先度ルールは、
ＣＳＩ情報のみを含むＰＵＣＣＨの優先度が、前記非周期的な第１のアップリンク情報の優先度よりも高いことをさらに含む請求項１４１に記載の装置。
【請求項１４４】
前記第１の優先度ルールは、
ＨＡＲＱを含むＰＵＣＣＨの優先度が、前記非周期的な第１のアップリンク情報の優先度よりも高いことをさらに含む請求項１４１乃至１４３のいずれか一項に記載の装置。
【請求項１４５】
前記第１の優先度ルールは、
前記ＰＵＣＣＨの前記優先度が、前記非周期的な第１のアップリンク情報の優先度よりも高いことをさらに含む請求項１４１に記載の装置。
【請求項１４６】
前記第１の優先度ルールは、
アップリンク制御情報ＵＣＩを含むＰＵＳＣＨの優先度が、非周期的なＳＲＳの優先度よりも高いことをさらに含む請求項１４１乃至１４５のいずれか一項に記載の装置。
【請求項１４７】
前記第１の優先度ルールは、
ＵＣＩを含むＰＵＳＣＨの優先度が、非周期的なＳＲＳの優先度よりも低いことをさらに含む請求項１４１乃至１４５のいずれか一項に記載の装置。
【請求項１４８】
前記第１の優先度ルールは、
ＵＣＩを含まないＰＵＳＣＨの優先度が、前記非周期的な第１のアップリンク情報の優先度よりも低いことをさらに含む請求項１４１乃至１４７のいずれか一項に記載の装置。
【請求項１４９】
前記第１の優先度ルールは、
ＵＣＩを含まないＰＵＳＣＨの優先度が、前記非周期的な第１のアップリンク情報の優先度よりも高いことをさらに含む請求項１４１乃至１４７のいずれか一項に記載の装置。
【請求項１５０】
前記第１の優先度ルールは、
前記ＰＵＳＣＨの前記優先度が、前記非周期的なＳＲＳの優先度よりも高いことをさらに含む請求項１４１乃至１４７のいずれか一項に記載の装置。
【請求項１５１】
前記第１のアップリンク情報は、プライマリセルＰＣｅｌｌのキャリア、またはセカンダリセルＳＣｅｌｌのキャリア上に配置されている請求項１４１乃至１５０のいずれか一項に記載の装置。
【請求項１５２】
前記第２のアップリンク情報は、前記プライマリセルＰＣｅｌｌの前記キャリア、または前記セカンダリセルＳＣｅｌｌの前記キャリア上に配置されている請求項１４１乃至１５１のいずれか一項に記載の装置。
【請求項１５３】
前記第２の伝送表示情報は、第１のリソースを含み、前記第１のリソースは、前記ＵＥが前記第１のアップリンク情報を送信するサブフレームおよび／もしくはサブフレームグループ、ならびに／または、前記ＵＥが前記第１のアップリンク情報を送信するキャリアおよび／もしくはキャリアグループを示すために使用され、
前記第２の伝送表示情報は、第２の優先度を含み、前記第２の優先度は、事前設定されている優先リソースセットを示すために使用され、前記第１のリソースは、前記事前設定されている優先リソースセットに属し、
前記伝送モジュールは、前記第１のリソースを使用することによって前記第１のアップリンク情報を送信するようにさらに構成されている請求項１３３乃至１３６のいずれか一項に記載の装置。
【請求項１５４】
前記第１の伝送表示情報は、
第１のリソースを含み、前記第１のリソースは、前記ＵＥが前記第１のアップリンク情報を送信するサブフレームおよび／もしくはサブフレームグループ、ならびに／または、前記ＵＥが前記第１のアップリンク情報を送信するキャリアおよび／もしくはキャリアグループを示すために使用され、
前記伝送モジュールは、前記第１のリソースを使用することによって前記第１のアップリンク情報を送信するようにさらに構成されている請求項１３３乃至１３６のいずれか一項に記載の装置。
【請求項１５５】
前記第１のリソースは、事前設定されている優先リソースセットに属し、前記優先リソースセットは、前記第１のアップリンク情報の優先度が前記第２のアップリンク情報の優先度よりも高い前記サブフレームおよび／もしくは前記サブフレームグループ、ならびに／または、前記キャリアおよび／もしくは前記キャリアグループを含む請求項１５４に記載の装置。
【請求項１５６】
前記第１のリソース、および前記第２のアップリンク情報によって使用されるリソースは、キャリアコリジョン回避条件を満たし、前記キャリアコリジョン回避条件は、同じサブフレームにおける、前記第１のアップリンク情報および前記第２のアップリンク情報によって使用されるキャリアの総量が、前記ＵＥの前記アップリンクキャリアアグリゲーション能力に満たないことである請求項１５３乃至１５５のいずれか一項に記載の装置。
【請求項１５７】
前記第２のアップリンク情報によって使用される前記リソースは、事前に構成されており、前記第２のアップリンク情報は、ＰＵＣＣＨ情報、ＰＵＳＣＨ情報、またはＰＲＡＣＨ情報を含む請求項１５６に記載の装置。
【請求項１５８】
前記受信モジュールは、より高いレイヤのシグナリングまたは物理レイヤのシグナリングを使用することによって前記ＵＥについて、前記基地局によって送信された前記第１の伝送表示情報を受信するようにさらに構成されている請求項１３３乃至１５７のいずれか一項に記載の装置。
【請求項１５９】
前記第１の伝送表示情報は、第３のリソースを含み、前記第３のリソースは、前記ＵＥによって前記第１のアップリンク情報を送信するために使用される時間ドメインリソース、周波数ドメインリソース、および／もしくは空間ドメインリソースを示すために使用され、前記伝送モジュールは、前記第３のリソースに基づいて前記第１のアップリンク情報および／もしくは前記第２のアップリンク情報を送信するように構成されており、ならびに／または
前記第２の伝送表示情報は、第４のリソースを含み、前記第４のリソースは、前記ＵＥによって前記第２のアップリンク情報を送信するために使用される時間ドメインリソース、周波数ドメインリソース、および／もしくは空間ドメインリソースを示すために使用され、前記伝送モジュールは、前記第４のリソースに基づいて前記第１のアップリンク情報および／もしくは前記第２のアップリンク情報を送信するように構成されている請求項１３３乃至１３７のいずれか一項に記載の装置。
【請求項１６０】
前記伝送モジュールは、
前記第３のリソース上で前記第１のアップリンク情報を送信し、前記第３のリソースとのキャリアコリジョンに陥っているキャリアの対応する時間ドメインリソース上で前記第２のアップリンク情報を送信することをスキップするように構成されており、
前記第３のリソースとの前記キャリアコリジョンに陥っている前記キャリアの前記対応する時間ドメインリソースは、前記第３のリソースの前記時間ドメインリソースと同じである請求項１５９に記載の装置。
【請求項１６１】
前記伝送モジュールは、
前記第４のリソース上で前記第１のアップリンク情報を送信し、前記第４のリソースとのキャリアコリジョンに陥っているキャリアの対応する時間ドメインリソース上で前記第２のアップリンク情報を送信するように構成されており、
前記第４のリソースとの前記キャリアコリジョンに陥っている前記キャリアの前記対応する時間ドメインリソースは、前記第４のリソースの前記時間ドメインリソースとは異なる請求項１５９に記載の装置。
【請求項１６２】
前記第１のアップリンク情報によって使用される前記時間ドメインリソースは、前記第１のアップリンク情報によって占められる前記サブフレームのロケーション情報、直交周波数分割多重ＯＦＤＭロケーション情報、循環シフト情報、およびＳＲＳ送信サブフレームオフセットのうちの少なくとも１つを含む請求項１５９乃至１６１のいずれか一項に記載の装置。
【請求項１６３】
前記第２のアップリンク情報によって使用される前記時間ドメインリソースは、ミューティングエリアを含みかつ前記第２のアップリンク情報を送信するために使用される物理リソースブロックＰＲＢの時間ドメインロケーション、および／または前記ミューティングエリアの時間ドメインロケーションを含み、
前記伝送モジュールは、前記ミューティングエリアを含みかつ前記第２のアップリンク情報を送信するために使用される前記ＰＲＢの前記時間ドメインロケーションにおいて前記第２のアップリンク情報を送信することをスキップするように構成されている請求項１５９乃至１６１のいずれか一項に記載の装置。
【請求項１６４】
前記ミューティングエリアの前記時間ドメインロケーションは、前記ミューティングエリアの開始時点および終了時点を含む請求項１６３に記載の装置。
【請求項１６５】
前記第１のアップリンク情報の前記周波数ドメインリソースは、前記第１のアップリンク情報によって占められる前記周波数ドメインリソースのロケーション情報、前記第１のアップリンク情報によって占められる前記キャリアの情報、帯域幅情報、および周波数ホッピング構成のうちの少なくとも１つを含む請求項１５９乃至１６４のいずれか一項に記載の装置。
【請求項１６６】
前記第２のアップリンク情報の前記周波数ドメインリソースは、ミューティングエリアを含みかつ前記第２のアップリンク情報を送信するために使用されるＰＲＢの周波数ドメインロケーション、および／または前記ミューティングエリアの周波数ドメインロケーションを含む請求項１５９乃至１６５のいずれか一項に記載の装置。
【請求項１６７】
前記空間ドメインリソースは、ポート情報である請求項１５９乃至１６６のいずれか一項に記載の装置。
【請求項１６８】
前記第１の伝送表示情報は、前記第３のリソースを含み、前記受信モジュールは、前記第１のアップリンク情報の通知シグナリングを使用することによって前記第１の伝送表示情報を受信するように構成されており、または前記受信モジュールは、前記第２のアップリンク情報の通知シグナリングを使用することによって前記第１の伝送表示情報を受信するように構成されている請求項１５９乃至１６７のいずれか一項に記載の装置。
【請求項１６９】
前記第２の伝送表示情報は、前記第４のリソースを含み、前記受信モジュールは、前記第２のアップリンク情報の通知シグナリングを使用することによって前記第２の伝送表示情報を受信するように構成されており、または前記受信モジュールは、前記第１のアップリンク情報の通知シグナリングを使用することによって前記第２の伝送表示情報を受信するように構成されている請求項１５９乃至１６８のいずれか一項に記載の装置。
【請求項１７０】
前記第１のアップリンク情報の前記通知シグナリングを構成する方式は、準静的な構成であり、前記受信モジュールは、ブロードキャストメッセージを使用することによって前記第１の伝送表示情報および／もしくは前記第２の伝送表示情報を受信するように構成されており、または
前記第１のアップリンク情報の前記通知シグナリングを構成する方式は、動的な構成であり、前記受信モジュールは、次のシグナリング、すなわち、個別シグナリング、より高いレイヤのシグナリング、ＭＡＣシグナリング、および物理レイヤのシグナリングのうちの少なくとも１つを使用することによって前記第１の伝送表示情報および／もしくは前記第２の伝送表示情報を受信するように構成されている請求項１６８または１６９に記載の装置。
【請求項１７１】
前記第２のアップリンク情報の前記通知シグナリングを構成する方式は、準静的な構成であり、前記受信モジュールは、ブロードキャストメッセージを使用することによって前記第１の伝送表示情報および／もしくは前記第２の伝送表示情報を受信するように構成されており、または
前記第２のアップリンク情報の前記通知シグナリングを構成する方式は、動的な構成であり、前記受信モジュールは、次のシグナリング、すなわち、個別シグナリング、より高いレイヤのシグナリング、ＭＡＣシグナリング、および物理レイヤのシグナリングのうちの少なくとも１つを使用することによって前記第１の伝送表示情報および／もしくは前記第２の伝送表示情報を受信するように構成されている請求項１６８または１６９に記載の装置。
【請求項１７２】
前記第１のアップリンク情報の前記通知シグナリングを構成する前記方式は、前記動的な構成であり、前記受信モジュールは、アップリンクグラントシグナリングまたはアップリンクスケジューリングシグナリングを使用することによって前記第１の伝送表示情報および／または前記第２の伝送表示情報を受信するように構成されている請求項１５９乃至１７１のいずれか一項に記載の装置。
【請求項１７３】
前記受信モジュールは、ダウンリンク制御情報ＤＣＩを使用することによって前記第１の伝送表示情報および／または前記第２の伝送表示情報を受信するように構成されている請求項１５９乃至１７２のいずれか一項に記載の装置。
【請求項１７４】
前記ＤＣＩのタイプは、前記ミューティングエリアを含む前記物理リソースブロックＰＲＢを使用することによって前記第２のアップリンク情報を送信するように指示するために使用される請求項１７３に記載の装置。
【請求項１７５】
前記第２のアップリンク情報は、ＰＵＣＣＨを含み、前記受信モジュールは、前記第２のアップリンク情報の前記通知シグナリングを使用することによって前記第１の伝送表示情報を受信するように構成されており、前記第２のアップリンク情報の前記通知シグナリングを構成する前記方式は、前記準静的な構成である請求項１５９乃至１７２のいずれか一項に記載の装置。
【請求項１７６】
前記第１の伝送表示情報は、前記第１のアップリンク情報のキャリア識別子を含み、および／または前記第２の伝送表示情報は、前記第２のアップリンク情報のキャリア識別子を含む請求項１５９乃至１７５のいずれか一項に記載の装置。
【請求項１７７】
請求項８９乃至１３２のいずれか一項に記載のアップリンク情報送信装置を含む基地局。
【請求項１７８】
請求項１３３乃至１７６のいずれか一項に記載のアップリンク情報送信装置を含むユーザ機器。
【発明の詳細な説明】
【技術分野】
【０００１】
本発明の実施形態は、ワイヤレス通信テクノロジーに関連しており、詳細には、アップリンク情報送信方法および装置、基地局、ならびにユーザ機器に関連している。
【背景技術】
【０００２】
既存のＬＴＥ−Ａ（ロングタームエボリューションアドバンスト、Ｌｏｎｇ  Ｔｅｒｍ  Ｅｖｏｌｕｔｉｏｎ−Ａｄｖａｎｃｅｄ）システムにおいては、ユーザ機器（Ｕｓｅｒ  Ｅｑｕｉｐｍｅｎｔ、略してＵＥ）の伝送レートを改善するために、キャリアアグリゲーションテクノロジーがＬＴＥに導入されている。具体的には、複数のキャリアを、ＵＥへデータを伝送するためにさらに広いキャリアにアグリゲートする。ＬＴＥシステムにおいては、時分割複信（Ｔｉｍｅ  Ｄｉｖｉｓｉｏｎ  Ｄｕｐｌｅｘｉｎｇ、略してＴＤＤ）モードにおけるキャリアは、アップリンク伝送およびダウンリンク伝送の両方をサポートする。ＵＥは通常、アップリンクアグリゲート可能なキャリアよりも多くのダウンリンクアグリゲート可能なキャリアを有する。したがって、１つのＵＥに関して、そのＵＥに関して発展型ＮｏｄｅＢ（Ｅｖｏｌｖｅｄ  ＮｏｄｅＢ、略してｅＮＢ）によってスケジュールされているキャリア上で、そのＵＥに関してダウンリンク伝送スケジューリングのみが実行されて、そのＵＥに関してアップリンク伝送スケジューリングは実行されないケースがあり得る。従来技術においては、プリコーディング行列指標（ｐｒｅｃｏｄｉｎｇ  ｍａｔｒｉｘ  ｉｎｄｅｘ、略してＰＭＩ）などのいくつかのダウンリンクチャネル測定値に関して、チャネル間における区別に基づくチャネル区別機能を使用することによってアップリンクサウンディング参照信号（Ｓｏｕｎｄｉｎｇ  Ｒｅｆｅｒｅｎｃｅ  Ｓｙｍｂｏｌ、略してＳＲＳ）が送信され、それによってｅＮＢが検知を実行して、ＰＭＩに関するダウンリンクチャネル測定値を入手することが必要とされる。このケースにおいては、キャリア上でＵＥが何らかのアップリンク情報を送信することをｅＮＢが要求すると、たとえば、送信されるべき物理ダウンリンク共有チャネル（Ｐｈｙｓｉｃａｌ  Ｄｏｗｎｌｉｎｋ  Ｓｈａｒｅｄ  Ｃｈａｎｎｅｌ、略してＰＤＳＣＨ）のキャリア上でＵＥがアップリンクＳＲＳを送信して、対応するチャネル推定を入手することをｅＮＢが要求する。何故ならば、ＵＥは、そのキャリア上でアップリンクデータ（たとえば、物理アップリンク共有チャネル、Ｐｈｙｓｉｃａｌ  Ｕｐｌｉｎｋ  Ｓｈａｒｅｄ  Ｃｈａｎｎｅｌ、略してＰＵＳＣＨ）を伝送するようにスケジュールされていないので、そのキャリア上でＳＲＳを送信することができず、したがってｅＮＢは、対応するチャネル推定を入手することができないからである。
【０００３】
キャリアスイッチングテクノロジーは、前述の問題を解決して、伝送される必要があるアップリンク情報がこれらのキャリア上で伝送されることが可能であることを確実にするための方法である。具体的には、ｅＮＢは、そのＵＥ用に構成されているアップリンクキャリアを、元のキャリアからアップリンク情報が伝送される必要がある新たなキャリアへ変更する。たとえば、サブフレームにおいて、アップリンクキャリアとしてもともと構成されているキャリアは、アップリンク情報（たとえば、ＳＲＳ）を伝送するために使用されず、代わりに、アップリンク情報が伝送される必要がある新たなキャリアが、そのＵＥ用のアップリンクキャリアとして構成される。
【０００４】
しかしながら、ＵＥがアップリンク情報を送信する際に、アップリンク伝送（ＰＵＳＣＨ）用に構成されていないキャリアが使用される必要がある場合には、ＵＥが使用する必要があるアップリンクキャリアの総量が、ＵＥのアップリンクアグリゲート可能なキャリアの最大数量の能力を超え得る。ＵＥは、伝送されるべきアップリンク情報（たとえば、ＳＲＳ）と、送信するようにｅＮＢがＵＥに指示するアップリンク情報、たとえば、ＰＵＣＣＨ、ＰＵＳＣＨ、または物理ランダムアクセスチャネル（Ｐｈｙｓｉｃａｌ  Ｒａｎｄｏｍ  Ａｃｃｅｓｓ  Ｃｈａｎｎｅｌ、略してＰＲＡＣＨ）とを同時に伝送することはできない。そのようなコリジョンが発生した場合には、ＵＥの挙動を定義する必要がある。
【発明の概要】
【０００５】
本発明の実施形態は、キャリアコリジョンが発生した場合のＵＥの挙動を導くためのアップリンク情報送信方法を提供する。
【０００６】
本発明の第１の態様は、アップリンク情報送信方法を提供し、
基地局によって、第１のアップリンク情報の第１の伝送表示情報、および第２の伝送表示情報のうちの少なくとも１つをユーザ機器ＵＥへ送信するステップを含み、
第１の伝送表示情報は、第１のアップリンク情報を送信するように基地局がＵＥに指示するサブフレームおよび／またはキャリアを含み、
第１の伝送表示情報および／または第２の伝送表示情報は、コリジョンが発生した場合のＵＥの挙動を示すために使用される。
【０００７】
第１の態様に関連して、第１の態様の第１の任意選択の実装においては、コリジョンは、第１のアップリンク情報の、基地局によって示されるサブフレームにおいて、第１のアップリンク情報のキャリアと、ＵＥによって送信される必要がある第２のアップリンク情報によって使用されるキャリアとの総量が、ＵＥのアップリンクキャリアアグリゲーション能力を超えることを意味する。
【０００８】
第１の態様または第１の態様の第１の任意選択の実装に関連して、第１の態様の第２の任意選択の実装においては、第１のアップリンク情報は、サウンディング参照信号ＳＲＳ、プリアンブルＰｒｅａｍｂｌｅ、またはシーケンスＳｅｑｕｅｎｃｅである。
【０００９】
第１の態様、または第１の態様の第１もしくは第２の任意選択の実装のうちのいずれか１つに関連して、第１の態様の第３の任意選択の実装においては、第１のアップリンク情報は、周期的な第１のアップリンク情報または非周期的な第１のアップリンク情報である。
【００１０】
第１の態様、または第１の態様の第１から第３の任意選択の実装のうちのいずれか１つに関連して、第１の態様の第４の任意選択の実装においては、第２のアップリンク情報は、物理アップリンク制御チャネルＰＵＣＣＨ、物理アップリンク共有チャネルＰＵＳＣＨ、物理ランダムアクセスチャネルＰＲＡＣＨ、または前述のチャネルに対応する情報である。
【００１１】
第１の態様、または第１の態様の第１から第４の任意選択の実装のうちのいずれか１つに関連して、第１の態様の第５の任意選択の実装においては、第２の伝送表示情報は、第１の優先度ルールを含み、第１の優先度ルールは、第１のアップリンク情報の優先度、および第２のアップリンク情報の優先度を含む。
【００１２】
第１の態様の第５の任意選択の実装に関連して、第１の態様の第６の任意選択の実装においては、第１の優先度ルールは、第１の優先度ルールに基づいて、第１のアップリンク情報および第２のアップリンク情報からより高い優先度のデータを決定するように、ならびにより高い優先度のデータを送信するようにＵＥに指示するために使用される。
【００１３】
第１の態様の第５または第６の任意選択の実装に関連して、第１の態様の第７の任意選択の実装においては、第１の優先度ルールは、第１のアップリンク情報および第２のアップリンク情報におけるより高い優先度のデータが第２のアップリンク情報である場合にさらに使用され、第１の優先度ルールは、第１のアップリンク情報を破棄するようにＵＥに指示するためにさらに使用される。
【００１４】
第１の態様の第５から第７の任意選択の実装のうちのいずれか１つに関連して、第１の態様の第８の任意選択の実装においては、第１のアップリンク情報は、周期的な第１のアップリンク情報および／または非周期的な第１のアップリンク情報を含み、第２のアップリンク情報は、ＰＲＡＣＨ、ＰＵＣＣＨ、またはＰＵＳＣＨであり、第１の優先度ルールは、
ＰＲＡＣＨの優先度が、非周期的な第１のアップリンク情報の優先度よりも高いこと、
ＰＲＡＣＨの優先度が、周期的な第１のアップリンク情報の優先度よりも高いこと、
ＰＵＣＣＨの優先度が、周期的な第１のアップリンク情報の優先度よりも高いこと、および
ＰＵＳＣＨの優先度が、周期的な第１のアップリンク情報の優先度よりも高いことのうちの少なくとも１つを含む。
【００１５】
第１の態様の第８の任意選択の実装に関連して、第１の態様の第９の任意選択の実装においては、第１の優先度ルールは、
チャネル状態情報ＣＳＩ情報のみを含むＰＵＣＣＨの優先度が、非周期的な第１のアップリンク情報の優先度よりも低いことをさらに含む。
【００１６】
第１の態様の第８の任意選択の実装に関連して、第１の態様の第１０の任意選択の実装においては、第１の優先度ルールは、
ＣＳＩ情報のみを含むＰＵＣＣＨの優先度が、非周期的な第１のアップリンク情報の優先度よりも高いことをさらに含む。
【００１７】
第１の態様の第８から第１０の任意選択の実装のうちのいずれか１つに関連して、第１の態様の第１１の任意選択の実装においては、第１の優先度ルールは、
ＨＡＲＱを含むＰＵＣＣＨの優先度が、非周期的な第１のアップリンク情報の優先度よりも高いことをさらに含む。
【００１８】
第１の態様の第８の任意選択の実装に関連して、第１の態様の第１２の任意選択の実装においては、第１の優先度ルールは、
ＰＵＣＣＨの優先度が、非周期的な第１のアップリンク情報の優先度よりも高いことをさらに含む。
【００１９】
第１の態様の第８から第１２の任意選択の実装のうちのいずれか１つに関連して、第１の態様の第１３の任意選択の実装においては、第１の優先度ルールは、
アップリンク制御情報ＵＣＩを含むＰＵＳＣＨの優先度が、非周期的な第１のアップリンク情報の優先度よりも高いことをさらに含む。
【００２０】
第１の態様の第８から第１２の任意選択の実装のうちのいずれか１つに関連して、第１の態様の第１４の任意選択の実装においては、第１の優先度ルールは、
ＵＣＩを含むＰＵＳＣＨの優先度が、非周期的な第１のアップリンク情報の優先度よりも低いことをさらに含む。
【００２１】
第１の態様の第８から第１４の任意選択の実装のうちのいずれか１つに関連して、第１の態様の第１５の任意選択の実装においては、第１の優先度ルールは、
ＵＣＩを含まないＰＵＳＣＨの優先度が、非周期的な第１のアップリンク情報の優先度よりも低いことをさらに含む。
【００２２】
第１の態様の第８から第１４の任意選択の実装のうちのいずれか１つに関連して、第１の態様の第１６の任意選択の実装においては、第１の優先度ルールは、
ＵＣＩを含まないＰＵＳＣＨの優先度が、非周期的な第１のアップリンク情報の優先度よりも高いことをさらに含む。
【００２３】
第１の態様の第８から第１４の任意選択の実装のうちのいずれか１つに関連して、第１の態様の第１７の任意選択の実装においては、第１の優先度ルールは、
ＰＵＳＣＨの優先度が、非周期的な第１のアップリンク情報の優先度よりも高いことをさらに含む。
【００２４】
第１の態様の第８から第１７の任意選択の実装のうちのいずれか１つに関連して、第１の態様の第１８の任意選択の実装においては、第１のアップリンク情報は、プライマリセルＰＣｅｌｌのキャリア、またはセカンダリセルＳＣｅｌｌのキャリア上に配置されている。
【００２５】
第１の態様の第８から第１８の任意選択の実装のうちのいずれか１つに関連して、第１の態様の第１９の任意選択の実装においては、第２のアップリンク情報は、プライマリセルＰＣｅｌｌのキャリア、またはセカンダリセルＳＣｅｌｌのキャリア上に配置されている。
【００２６】
第１の態様、または第１の態様の第１から第３の任意選択の実装のうちのいずれか１つに関連して、第１の態様の第２０の任意選択の実装においては、第１の伝送表示情報は、
第１のリソースを含み、第１のリソースは、ＵＥが第１のアップリンク情報を送信するサブフレームおよび／もしくはサブフレームグループ、および／もしくは、ＵＥが第１のアップリンク情報を送信するキャリアおよび／もしくはキャリアグループを示すために使用され、ならびに／または
第２の伝送表示情報は、
第２の優先度を含み、第２の優先度は、第１のリソースが、事前設定されている優先リソースセットに属する場合に、第１のリソースを使用することによって第１のアップリンク情報を送信するようにＵＥに指示するために使用され、優先リソースセットは、第１のアップリンク情報の優先度が第２のアップリンク情報の優先度よりも高いサブフレームおよび／もしくはサブフレームグループ、および／もしくは、キャリアおよび／もしくはキャリアグループを含む。
【００２７】
第１の態様、または第１の態様の第１から第３の任意選択の実装のうちのいずれか１つに関連して、第１の態様の第２１の任意選択の実装においては、第１の伝送表示情報は、
第１のリソースを含み、第１のリソースは、ＵＥが第１のアップリンク情報を送信するサブフレームおよび／もしくはサブフレームグループ、ならびに／または、ＵＥが第１のアップリンク情報を送信するキャリアおよび／もしくはキャリアグループを示すために使用される。
【００２８】
第１の態様の第２１の任意選択の実装に関連して、第１の態様の第２２の任意選択の実装においては、第１のリソースは、事前設定されている優先リソースセットに属し、優先リソースセットは、第１のアップリンク情報の優先度が第２のアップリンク情報の優先度よりも高いサブフレームおよび／もしくはサブフレームグループ、ならびに／または、キャリアおよび／もしくはキャリアグループを含む。
【００２９】
第１の態様の第２０から第２２の任意選択の実装のうちのいずれか１つに関連して、第１の態様の第２３の任意選択の実装においては、第１のリソース、および第２のアップリンク情報によって使用されるリソースは、コリジョン回避条件を満たし、コリジョン回避条件は、同じサブフレームにおける、第１のアップリンク情報および第２のアップリンク情報によって使用されるキャリアの総量が、ＵＥのアップリンクキャリアアグリゲーション能力に満たないことである。
【００３０】
第１の態様の第２３の任意選択の実装に関連して、第１の態様の第２４の任意選択の実装においては、第２のアップリンク情報によって使用されるリソースは、事前に構成されており、第２のアップリンク情報は、ＰＵＣＣＨ情報、ＰＵＳＣＨ情報、またはＰＲＡＣＨ情報を含む。
【００３１】
第１の態様、または第１の態様の第１から第２４の任意選択の実装のうちのいずれか１つに関連して、第１の態様の第２５の任意選択の実装においては、基地局は、より高いレイヤのシグナリングまたは物理レイヤのシグナリングを使用することによって第１の伝送表示情報をＵＥへ送信する。
【００３２】
第１の態様、または第１の態様の第１から第３の任意選択の実装のうちのいずれか１つに関連して、第１の態様の第２６の任意選択の実装においては、第１の伝送表示情報は、
第３のリソースを含み、第３のリソースは、ＵＥによって第１のアップリンク情報を送信するために使用される時間ドメインリソース、周波数ドメインリソース、および／または空間ドメインリソースを示すために使用される。
【００３３】
第１の態様、第１の態様の第１から第３の任意選択の実装、または第１の態様の第２６の任意選択の実装のうちのいずれか１つに関連して、第１の態様の第２７の任意選択の実装においては、第２の伝送表示情報は、
第４のリソースを含み、第４のリソースは、ＵＥによって第２のアップリンク情報を送信するために使用される時間ドメインリソース、周波数ドメインリソース、および／または空間ドメインリソースを示すために使用される。
【００３４】
第１の態様の第２６の任意選択の実装に関連して、第１の態様の第２８の任意選択の実装においては、第１のアップリンク情報によって使用される時間ドメインリソースは、第１のアップリンク情報によって占められるサブフレームのロケーション情報、直交周波数分割多重ＯＦＤＭロケーション情報、循環シフト情報、およびＳＲＳ送信サブフレームオフセットのうちの少なくとも１つを含む。
【００３５】
第１の態様の第２６から第２８の任意選択の実装のうちのいずれか１つに関連して、第１の態様の第２９の任意選択の実装においては、第２のアップリンク情報によって使用される時間ドメインリソースは、ミューティングエリアを含み、かつ第２のアップリンク情報を送信するために使用される物理リソースブロックＰＲＢの時間ドメインロケーション、および／またはミューティングエリアの時間ドメインロケーションを含む。
【００３６】
第１の態様の第２９の任意選択の実装に関連して、第１の態様の第３０の任意選択の実装においては、ミューティングエリアの時間ドメインロケーションは、アップリンクパイロットタイムスロットＵｐＰＴＳ物理チャネル内にある。
【００３７】
第１の態様の第２９または第３０の任意選択の実装に関連して、第１の態様の第３１の任意選択の実装においては、ミューティングエリアの時間ドメインロケーションは、ミューティングエリアの開始時点および終了時点を含む。
【００３８】
第１の態様の第２６から第３１の任意選択の実装のうちのいずれか１つに関連して、第１の態様の第３２の任意選択の実装においては、第１のアップリンク情報の周波数ドメインリソースは、第１のアップリンク情報によって占められる周波数ドメインリソースのロケーション情報、第１のアップリンク情報によって占められるキャリアの情報、帯域幅情報、および周波数ホッピング構成のうちの少なくとも１つを含む。
【００３９】
第１の態様の第２６から第３２の任意選択の実装のうちのいずれか１つに関連して、第１の態様の第３３の任意選択の実装においては、第２のアップリンク情報の周波数ドメインリソースは、ミューティングエリアを含み、かつ第２のアップリンク情報を送信するために使用されるＰＲＢの周波数ドメインロケーション、および／またはミューティングエリアの周波数ドメインロケーションを含む。
【００４０】
第１の態様の第２６から第３３の任意選択の実装のうちのいずれか１つに関連して、第１の態様の第３４の任意選択の実装においては、空間ドメインリソースは、ポート情報である。
【００４１】
第１の態様の第２６から第３４の任意選択の実装のうちのいずれか１つに関連して、第１の態様の第３５の任意選択の実装においては、第１の伝送表示情報は、第３のリソースを含み、基地局は、第１のアップリンク情報の通知シグナリングを使用することによって第１の伝送表示情報を送信し、または基地局は、第２のアップリンク情報の通知シグナリングを使用することによって第１の伝送表示情報を送信する。
【００４２】
第１の態様の第２６から第３５の任意選択の実装のうちのいずれか１つに関連して、第１の態様の第３６の任意選択の実装においては、第２の伝送表示情報は、第４のリソースを含み、基地局は、第２のアップリンク情報の通知シグナリングを使用することによって第２の伝送表示情報を送信し、または基地局は、第１のアップリンク情報の通知シグナリングを使用することによって第２の伝送表示情報を送信する。
【００４３】
第１の態様の第３５または第３６の任意選択の実装に関連して、第１の態様の第３７の任意選択の実装においては、第１のアップリンク情報の通知シグナリングを構成する方式は、準静的な構成であり、基地局は、ブロードキャストメッセージを使用することによって第１の伝送表示情報および／もしくは第２の伝送表示情報を通知し、または
第１のアップリンク情報の通知シグナリングを構成する方式は、動的な構成であり、基地局は、次のシグナリング、すなわち、個別シグナリング、より高いレイヤのシグナリング、ＭＡＣシグナリング、および物理レイヤのシグナリングのうちの少なくとも１つを使用することによって第１の伝送表示情報および／もしくは第２の伝送表示情報を通知する。
【００４４】
第１の態様の第３５から第３７の任意選択の実装のうちのいずれか１つに関連して、第１の態様の第３８の任意選択の実装においては、第２のアップリンク情報の通知シグナリングを構成する方式は、準静的な構成であり、基地局は、ブロードキャストメッセージを使用することによって第１の伝送表示情報および／もしくは第２の伝送表示情報を通知し、または
第２のアップリンク情報の通知シグナリングを構成する方式は、動的な構成であり、基地局は、次のシグナリング、すなわち、個別シグナリング、より高いレイヤのシグナリング、ＭＡＣシグナリング、および物理レイヤのシグナリングのうちの少なくとも１つを使用することによって第１の伝送表示情報および／もしくは第２の伝送表示情報を通知する。
【００４５】
第１の態様の第２６から第３８の任意選択の実装のうちのいずれか１つに関連して、第１の態様の第３９の任意選択の実装においては、第１のアップリンク情報の通知シグナリングを構成する方式は、動的な構成であり、基地局は、拡張されたアップリンクグラントシグナリングまたはアップリンクスケジューリングシグナリングを使用することによって第１の伝送表示情報および／または第２の伝送表示情報をＵＥへ送信する。
【００４６】
第１の態様の第２６から第３８の任意選択の実装のうちのいずれか１つに関連して、第１の態様の第４０の任意選択の実装においては、基地局は、拡張されたダウンリンク制御情報ＤＣＩを使用することによって第１の伝送表示情報および／または第２の伝送表示情報をＵＥへ送信する。
【００４７】
第１の態様の第４０の任意選択の実装に関連して、第１の態様の第４１の任意選択の実装においては、ＤＣＩのタイプは、ミューティングエリアを含む物理リソースブロックＰＲＢを使用することによって第２のアップリンク情報を送信するように指示するために使用される。
【００４８】
第１の態様の第２６から第４１の任意選択の実装のうちのいずれか１つに関連して、第１の態様の第４２の任意選択の実装においては、第２のアップリンク情報は、ＰＵＣＣＨを含み、基地局は、第２のアップリンク情報の通知シグナリングにおいて、第１の伝送表示情報を示し、第２のアップリンク情報の通知シグナリングを構成する方式は、準静的な構成である。
【００４９】
第１の態様の第２６から第４２の任意選択の実装のうちのいずれか１つに関連して、第１の態様の第４３の任意選択の実装においては、第１の伝送表示情報は、第１のアップリンク情報のキャリア識別子を含み、および／または第２の伝送表示情報は、第２のアップリンク情報のキャリア識別子を含む。本発明の第２の態様は、アップリンク信号送信方法を提供し、
ユーザ機器ＵＥによって、基地局によって送信される第１のアップリンク情報の第１の伝送表示情報、および／または第２の伝送表示情報のうちの少なくとも１つを受信するステップであって、第１の伝送表示情報は、第１のアップリンク情報を送信するように基地局がＵＥに指示するサブフレームおよび／またはキャリアを含む、ステップと、
ＵＥによって、第１の伝送表示情報および／または第２の伝送表示情報に基づいて、キャリアコリジョンが発生した場合のＵＥの挙動を決定するステップとを含む。
【００５０】
第２の態様に関連して、第２の態様の第１の任意選択の実装においては、コリジョンは、第１のアップリンク情報の、基地局によって示されるサブフレームにおいて、第１のアップリンク情報のキャリアと、ＵＥによって送信される必要がある第２のアップリンク情報によって使用されるキャリアとの総量が、ＵＥのアップリンクキャリアアグリゲーション能力を超えることを意味する。
【００５１】
第２の態様または第２の態様の第１の任意選択の実装に関連して、第２の態様の第２の任意選択の実装においては、第１のアップリンク情報は、サウンディング参照信号ＳＲＳ、プリアンブルＰｒｅａｍｂｌｅ、またはシーケンスＳｅｑｕｅｎｃｅである。
【００５２】
第２の態様、または第２の態様の第１もしくは第２の任意選択の実装のうちのいずれか１つに関連して、第２の態様の第３の任意選択の実装においては、第１のアップリンク情報は、周期的な第１のアップリンク情報または非周期的な第１のアップリンク情報である。
【００５３】
第２の態様、または第２の態様の第１から第３の任意選択の実装のうちのいずれか１つに関連して、第２の態様の第４の任意選択の実装においては、第２のアップリンク情報は、物理アップリンク制御チャネルＰＵＣＣＨ、物理アップリンク共有チャネルＰＵＳＣＨ、物理ランダムアクセスチャネルＰＲＡＣＨ、または前述のチャネルに対応する情報である。
【００５４】
第２の態様、または第２の態様の第１から第４の任意選択の実装のうちのいずれか１つに関連して、第２の態様の第５の任意選択の実装においては、第２の伝送表示情報は、第１の優先度ルールを含み、第１の優先度ルールは、第１のアップリンク情報の優先度、および第２のアップリンク情報の優先度を含む。
【００５５】
第２の態様の第５の任意選択の実装に関連して、第２の態様の第６の任意選択の実装においては、ＵＥは、より高い優先度のデータを送信し、より高い優先度のデータは、第１の優先度ルールに基づいて第１のアップリンク情報および第２のアップリンク情報から決定される。
【００５６】
第２の態様の第５または第６の任意選択の実装に関連して、第２の態様の第７の任意選択の実装においては、第１のアップリンク情報および第２のアップリンク情報におけるより高い優先度のデータは、第２のアップリンク情報であり、ＵＥは、第１のアップリンク情報を破棄する。
【００５７】
第２の態様の第５から第７の任意選択の実装のうちのいずれか１つに関連して、第２の態様の第８の任意選択の実装においては、第１のアップリンク情報は、周期的な第１のアップリンク情報および非周期的な第１のアップリンク情報を含み、第２のアップリンク情報は、ＰＲＡＣＨ、ＰＵＣＣＨ、またはＰＵＳＣＨであり、第１の優先度ルールは、
ＰＲＡＣＨの優先度が、非周期的な第１のアップリンク情報の優先度よりも高いこと、
ＰＲＡＣＨの優先度が、周期的な第１のアップリンク情報の優先度よりも高いこと、
ＰＵＣＣＨの優先度が、周期的な第１のアップリンク情報の優先度よりも高いこと、および
ＰＵＳＣＨの優先度が、周期的な第１のアップリンク情報の優先度よりも高いことのうちの少なくとも１つを含む。
【００５８】
第２の態様の第８の任意選択の実装に関連して、第２の態様の第９の任意選択の実装においては、第１の優先度ルールは、
チャネル状態情報ＣＳＩ情報のみを含むＰＵＣＣＨの優先度が、非周期的な第１のアップリンク情報の優先度よりも低いことをさらに含む。
【００５９】
第２の態様の第８の任意選択の実装に関連して、第２の態様の第１０の任意選択の実装においては、第１の優先度ルールは、
ＣＳＩ情報のみを含むＰＵＣＣＨの優先度が、非周期的な第１のアップリンク情報の優先度よりも高いことをさらに含む。
【００６０】
第２の態様の第８から第１０の任意選択の実装のうちのいずれか１つに関連して、第２の態様の第１１の任意選択の実装においては、第１の優先度ルールは、
ＨＡＲＱを含むＰＵＣＣＨの優先度が、非周期的な第１のアップリンク情報の優先度よりも高いことをさらに含む。
【００６１】
第２の態様の第８の任意選択の実装に関連して、第２の態様の第１２の任意選択の実装においては、第１の優先度ルールは、
ＰＵＣＣＨの優先度が、非周期的な第１のアップリンク情報の優先度よりも高いことをさらに含む。
【００６２】
第２の態様の第８から第１２の任意選択の実装のうちのいずれか１つに関連して、第２の態様の第１３の任意選択の実装においては、第１の優先度ルールは、
アップリンク制御情報ＵＣＩを含むＰＵＳＣＨの優先度が、非周期的なＳＲＳの優先度よりも高いことをさらに含む。
【００６３】
第２の態様の第８から第１２の任意選択の実装のうちのいずれか１つに関連して、第２の態様の第１４の任意選択の実装においては、第１の優先度ルールは、
ＵＣＩを含むＰＵＳＣＨの優先度が、非周期的なＳＲＳの優先度よりも低いことをさらに含む。
【００６４】
第２の態様の第８から第１４の任意選択の実装のうちのいずれか１つに関連して、第２の態様の第１５の任意選択の実装においては、第１の優先度ルールは、
ＵＣＩを含まないＰＵＳＣＨの優先度が、非周期的な第１のアップリンク情報の優先度よりも低いことをさらに含む。
【００６５】
第２の態様の第８から第１４の任意選択の実装のうちのいずれか１つに関連して、第２の態様の第１６の任意選択の実装においては、第１の優先度ルールは、
ＵＣＩを含まないＰＵＳＣＨの優先度が、非周期的な第１のアップリンク情報の優先度よりも高いことをさらに含む。
【００６６】
第２の態様の第８から第１４の任意選択の実装のうちのいずれか１つに関連して、第２の態様の第１７の任意選択の実装においては、第１の優先度ルールは、
ＰＵＳＣＨの優先度が、非周期的なＳＲＳの優先度よりも高いことをさらに含む。
【００６７】
第２の態様の第８から第１７の任意選択の実装のうちのいずれか１つに関連して、第２の態様の第１８の任意選択の実装においては、第１のアップリンク情報は、プライマリセルＰＣｅｌｌのキャリア、またはセカンダリセルＳＣｅｌｌのキャリア上に配置されている。
【００６８】
第２の態様の第８から第１８の任意選択の実装のうちのいずれか１つに関連して、第２の態様の第１９の任意選択の実装においては、第２のアップリンク情報は、プライマリセルＰＣｅｌｌのキャリア、またはセカンダリセルＳＣｅｌｌのキャリア上に配置されている。
【００６９】
第２の態様、または第２の態様の第１から第４の任意選択の実装のうちのいずれか１つに関連して、第２の態様の第２０の任意選択の実装においては、第２の伝送表示情報は、第１のリソースを含み、第１のリソースは、ＵＥが第１のアップリンク情報を送信するサブフレームおよび／もしくはサブフレームグループ、ならびに／または、ＵＥが第１のアップリンク情報を送信するキャリアおよび／もしくはキャリアグループを示すために使用され、
第２の伝送表示情報は、第２の優先度を含み、第２の優先度は、事前設定されている優先リソースセットを示すために使用され、第１のリソースは、事前設定されている優先リソースセットに属し、
ＵＥは、第１のリソースを使用することによって第１のアップリンク情報を送信する。
【００７０】
第２の態様、または第２の態様の第１から第４の任意選択の実装のうちのいずれか１つに関連して、第２の態様の第２１の任意選択の実装においては、第１の伝送表示情報は、
第１のリソースを含み、第１のリソースは、ＵＥが第１のアップリンク情報を送信するサブフレームおよび／もしくはサブフレームグループ、ならびに／または、ＵＥが第１のアップリンク情報を送信するキャリアおよび／もしくはキャリアグループを示すために使用され、
ＵＥは、第１のリソースを使用することによって第１のアップリンク情報を送信する。
【００７１】
第２の態様の第２１の任意選択の実装に関連して、第２の態様の第２２の任意選択の実装においては、第１のリソースは、事前設定されている優先リソースセットに属し、優先リソースセットは、第１のアップリンク情報の優先度が第２のアップリンク情報の優先度よりも高いサブフレームおよび／もしくはサブフレームグループ、ならびに／または、キャリアおよび／もしくはキャリアグループを含む。
【００７２】
第２の態様の第２０から第２２の任意選択の実装のうちのいずれか１つに関連して、第２の態様の第２３の任意選択の実装においては、第１のリソース、および第２のアップリンク情報によって使用されるリソースは、キャリアコリジョン回避条件を満たし、キャリアコリジョン回避条件は、同じサブフレームにおける、第１のアップリンク情報および第２のアップリンク情報によって使用されるキャリアの総量が、ＵＥのアップリンクキャリアアグリゲーション能力に満たないことである。
【００７３】
第２の態様の第２３の任意選択の実装に関連して、第２の態様の第２４の任意選択の実装においては、第２のアップリンク情報によって使用されるリソースは、事前に構成されており、第２のアップリンク情報は、ＰＵＣＣＨ情報、ＰＵＳＣＨ情報、またはＰＲＡＣＨ情報を含む。
【００７４】
第２の態様、または第２の態様の第１から第２４の任意選択の実装のうちのいずれか１つに関連して、第２の態様の第２５の任意選択の実装においては、ＵＥは、より高いレイヤのシグナリングまたは物理レイヤのシグナリングを使用することによって、基地局によって送信された第１の伝送表示情報を受信する。
【００７５】
第２の態様、または第２の態様の第１から第４の任意選択の実装のうちのいずれか１つに関連して、第２の態様の第２６の任意選択の実装においては、第１の伝送表示情報は、第３のリソースを含み、第３のリソースは、ＵＥによって第１のアップリンク情報を送信するために使用される時間ドメインリソース、周波数ドメインリソース、および／もしくは空間ドメインリソースを示すために使用され、ＵＥは、第３のリソースに基づいて第１のアップリンク情報および／もしくは第２のアップリンク情報を送信し、ならびに／または
第２の伝送表示情報は、第４のリソースを含み、第４のリソースは、ＵＥによって第２のアップリンク情報を送信するために使用される時間ドメインリソース、周波数ドメインリソース、および／もしくは空間ドメインリソースを示すために使用され、ＵＥは、第４のリソースに基づいて第１のアップリンク情報および／もしくは第２のアップリンク情報を送信する。
【００７６】
第２の態様の第２６の任意選択の実装に関連して、第２の態様の第２７の任意選択の実装においては、ＵＥが、第３のリソースに基づいて第１のアップリンク情報および／または第２のアップリンク情報を送信することは、
ＵＥによって、第３のリソース上で第１のアップリンク情報を送信し、第３のリソースとのキャリアコリジョンに陥っているキャリアの対応する時間ドメインリソース上で第２のアップリンク情報を送信することをスキップするステップを含み、
第３のリソースとのキャリアコリジョンに陥っているキャリアの対応する時間ドメインリソースは、第３のリソースの時間ドメインリソースと同じである。
【００７７】
第２の態様の第２６の任意選択の実装に関連して、第２の態様の第２８の任意選択の実装においては、ＵＥが、第４のリソースに基づいて第１のアップリンク情報および／または第２のアップリンク情報を送信することは、
ＵＥによって、第４のリソース上で第２のアップリンク情報を送信し、第４のリソースとのキャリアコリジョンに陥っているキャリアの対応する時間ドメインリソース上で第１のアップリンク情報を送信するステップを含み、
第４のリソースとのキャリアコリジョンに陥っているキャリアの対応する時間ドメインリソースは、第４のリソースの時間ドメインリソースとは異なる。
【００７８】
第２の態様の第２６から第２８の任意選択の実装のうちのいずれか１つに関連して、第２の態様の第２９の任意選択の実装においては、第１のアップリンク情報によって使用される時間ドメインリソースは、第１のアップリンク情報によって占められるサブフレームのロケーション情報、直交周波数分割多重ＯＦＤＭロケーション情報、循環シフト情報、およびＳＲＳ送信サブフレームオフセットのうちの少なくとも１つを含む。
【００７９】
第２の態様の第２６から第２９の任意選択の実装のうちのいずれか１つに関連して、第２の態様の第３０の任意選択の実装においては、第２のアップリンク情報によって使用される時間ドメインリソースは、ミューティングエリアを含み、かつ第２のアップリンク情報を送信するために使用される物理リソースブロックＰＲＢの時間ドメインロケーション、および／またはミューティングエリアの時間ドメインロケーションを含み、
ＵＥは、ミューティングエリアを含み、かつ第２のアップリンク情報を送信するために使用されるＰＲＢの時間ドメインロケーションにおいて第２のアップリンク情報を送信しない。
【００８０】
第２の態様の第３０の任意選択の実装に関連して、第２の態様の第３１の任意選択の実装においては、ミューティングエリアの時間ドメインロケーションは、ミューティングエリアの開始時点および終了時点を含む。
【００８１】
第２の態様の第２６から第３１の任意選択の実装のうちのいずれか１つに関連して、第２の態様の第３２の任意選択の実装においては、第１のアップリンク情報の周波数ドメインリソースは、第１のアップリンク情報によって占められる周波数ドメインリソースのロケーション情報、第１のアップリンク情報によって占められるキャリアの情報、帯域幅情報、および周波数ホッピング構成のうちの少なくとも１つを含む。
【００８２】
第２の態様の第２６から第３２の任意選択の実装のうちのいずれか１つに関連して、第２の態様の第３３の任意選択の実装においては、第２のアップリンク情報の周波数ドメインリソースは、ミューティングエリアを含み、かつ第２のアップリンク情報を送信するために使用されるＰＲＢの周波数ドメインロケーション、および／またはミューティングエリアの周波数ドメインロケーションを含む。
【００８３】
第２の態様の第２６から第３３の任意選択の実装のうちのいずれか１つに関連して、第２の態様の第３４の任意選択の実装においては、空間ドメインリソースは、ポート情報である。
【００８４】
第２の態様の第２６から第３４の任意選択の実装のうちのいずれか１つに関連して、第２の態様の第３５の任意選択の実装においては、第１の伝送表示情報は、第３のリソースを含み、ＵＥは、第１のアップリンク情報の通知シグナリングを使用することによって第１の伝送表示情報を受信し、またはＵＥは、第２のアップリンク情報の通知シグナリングを使用することによって第１の伝送表示情報を受信する。
【００８５】
第２の態様の第２６から第３５の任意選択の実装のうちのいずれか１つに関連して、第２の態様の第３６の任意選択の実装においては、第２の伝送表示情報は、第４のリソースを含み、ＵＥは、第２のアップリンク情報の通知シグナリングを使用することによって第２の伝送表示情報を受信し、またはＵＥは、第１のアップリンク情報の通知シグナリングを使用することによって第２の伝送表示情報を受信する。
【００８６】
第２の態様の第３５または第３６の任意選択の実装に関連して、第２の態様の第３７の任意選択の実装においては、第１のアップリンク情報の通知シグナリングを構成する方式は、準静的な構成であり、ＵＥは、ブロードキャストメッセージを使用することによって第１の伝送表示情報および／もしくは第２の伝送表示情報を受信し、または
第１のアップリンク情報の通知シグナリングを構成する方式は、動的な構成であり、ＵＥは、次のシグナリング、すなわち、個別シグナリング、より高いレイヤのシグナリング、ＭＡＣシグナリング、および物理レイヤのシグナリングのうちの少なくとも１つを使用することによって第１の伝送表示情報および／もしくは第２の伝送表示情報を受信する。
【００８７】
第２の態様の第３５から第３７の任意選択の実装のうちのいずれか１つに関連して、第２の態様の第３８の任意選択の実装においては、第２のアップリンク情報の通知シグナリングを構成する方式は、準静的な構成であり、ＵＥは、ブロードキャストメッセージを使用することによって第１の伝送表示情報および／もしくは第２の伝送表示情報を受信し、または
第２のアップリンク情報の通知シグナリングを構成する方式は、動的な構成であり、ＵＥは、次のシグナリング、すなわち、個別シグナリング、より高いレイヤのシグナリング、ＭＡＣシグナリング、および物理レイヤのシグナリングのうちの少なくとも１つを使用することによって第１の伝送表示情報および／もしくは第２の伝送表示情報を受信する。
【００８８】
第２の態様の第３５から第３８の任意選択の実装のうちのいずれか１つに関連して、第２の態様の第３９の任意選択の実装においては、第１のアップリンク情報の通知シグナリングを構成する方式は、動的な構成であり、ＵＥは、アップリンクグラントシグナリングまたはアップリンクスケジューリングシグナリングを使用することによって第１の伝送表示情報および／または第２の伝送表示情報を受信する。
【００８９】
第２の態様の第３５から第３９の任意選択の実装のうちのいずれか１つに関連して、第２の態様の第４０の任意選択の実装においては、ＵＥは、ダウンリンク制御情報ＤＣＩを使用することによって第１の伝送表示情報および／または第２の伝送表示情報を受信する。
【００９０】
第２の態様の第４０の任意選択の実装に関連して、第２の態様の第４１の任意選択の実装においては、ＤＣＩのタイプは、ミューティングエリアを含む物理リソースブロックＰＲＢを使用することによって第２のアップリンク情報を送信するように指示するために使用される。
【００９１】
第２の態様の第３５から第４１の任意選択の実装のうちのいずれか１つに関連して、第２の態様の第４２の任意選択の実装においては、第２のアップリンク情報は、ＰＵＣＣＨを含み、ＵＥは、第２のアップリンク情報の通知シグナリングを使用することによって第１の伝送表示情報を受信し、第２のアップリンク情報の通知シグナリングを構成する方式は、準静的な構成である。
【００９２】
第２の態様の第３５から第４２の任意選択の実装のうちのいずれか１つに関連して、第２の態様の第４２の任意選択の実装においては、第１の伝送表示情報は、第１のアップリンク情報のキャリア識別子を含み、および／または第２の伝送表示情報は、第２のアップリンク情報のキャリア識別子を含む。
【００９３】
本発明の第３の態様は、アップリンク情報送信装置を提供し、
第１のアップリンク情報の第１の伝送表示情報、および第２の伝送表示情報のうちの少なくとも１つをユーザ機器ＵＥへ送信するように構成されている送信モジュールを含み、
第１の伝送表示情報は、第１のアップリンク情報を送信するように基地局がＵＥに指示するサブフレームおよび／またはキャリアを含み、
第１の伝送表示情報および／または第２の伝送表示情報は、コリジョンが発生した場合のＵＥの挙動を示すために使用される。
【００９４】
第３の態様に関連して、第３の態様の第１の任意選択の実装においては、コリジョンは、第１のアップリンク情報の、基地局によって示されるサブフレームにおいて、第１のアップリンク情報のキャリアと、ＵＥによって送信される必要がある第２のアップリンク情報によって使用されるキャリアとの総量が、ＵＥのアップリンクキャリアアグリゲーション能力を超えることを意味する。
【００９５】
第３の態様または第３の態様の第１の任意選択の実装に関連して、第３の態様の第２の任意選択の実装においては、第１のアップリンク情報は、サウンディング参照信号ＳＲＳ、プリアンブルＰｒｅａｍｂｌｅ、またはシーケンスＳｅｑｕｅｎｃｅである。
【００９６】
第３の態様、または第３の態様の第１もしくは第２の任意選択の実装のうちのいずれか１つに関連して、第３の態様の第３の任意選択の実装においては、第１のアップリンク情報は、周期的な第１のアップリンク情報または非周期的な第１のアップリンク情報である。
【００９７】
第３の態様、または第３の態様の第１から第３の任意選択の実装のうちのいずれか１つに関連して、第３の態様の第４の任意選択の実装においては、第２のアップリンク情報は、物理アップリンク制御チャネルＰＵＣＣＨ、物理アップリンク共有チャネルＰＵＳＣＨ、物理ランダムアクセスチャネルＰＲＡＣＨ、または前述のチャネルに対応する情報である。
【００９８】
第３の態様、または第３の態様の第１から第４の任意選択の実装のうちのいずれか１つに関連して、第３の態様の第５の任意選択の実装においては、第２の伝送表示情報は、第１の優先度ルールを含み、第１の優先度ルールは、第１のアップリンク情報の優先度、および第２のアップリンク情報の優先度を含む。
【００９９】
第３の態様の第５の任意選択の実装に関連して、第３の態様の第６の任意選択の実装においては、第１の優先度ルールは、第１の優先度ルールに基づいて、第１のアップリンク情報および第２のアップリンク情報からより高い優先度のデータを決定するように、ならびにより高い優先度のデータを送信するようにＵＥに指示するために使用される。
【０１００】
第３の態様の第５または第６の任意選択の実装に関連して、第３の態様の第７の任意選択の実装においては、第１の優先度ルールは、第１のアップリンク情報および第２のアップリンク情報におけるより高い優先度のデータが第２のアップリンク情報である場合にさらに使用され、第１の優先度ルールは、第１のアップリンク情報を破棄するようにＵＥに指示するためにさらに使用される。
【０１０１】
第３の態様の第５から第７の任意選択の実装のうちのいずれか１つに関連して、第３の態様の第８の任意選択の実装においては、第１のアップリンク情報は、周期的な第１のアップリンク情報および／または非周期的な第１のアップリンク情報を含み、第２のアップリンク情報は、ＰＲＡＣＨ、ＰＵＣＣＨ、またはＰＵＳＣＨであり、第１の優先度ルールは、
ＰＲＡＣＨの優先度が、非周期的な第１のアップリンク情報の優先度よりも高いこと、
ＰＲＡＣＨの優先度が、周期的な第１のアップリンク情報の優先度よりも高いこと、
ＰＵＣＣＨの優先度が、周期的な第１のアップリンク情報の優先度よりも高いこと、および
ＰＵＳＣＨの優先度が、周期的な第１のアップリンク情報の優先度よりも高いことのうちの少なくとも１つを含む。
【０１０２】
第３の態様の第８の任意選択の実装に関連して、第３の態様の第９の任意選択の実装においては、第１の優先度ルールは、
チャネル状態情報ＣＳＩ情報のみを含むＰＵＣＣＨの優先度が、非周期的な第１のアップリンク情報の優先度よりも低いことをさらに含む。
【０１０３】
第３の態様の第８の任意選択の実装に関連して、第３の態様の第１０の任意選択の実装においては、第１の優先度ルールは、
ＣＳＩ情報のみを含むＰＵＣＣＨの優先度が、非周期的な第１のアップリンク情報の優先度よりも高いことをさらに含む。
【０１０４】
第３の態様の第８から第１０の任意選択の実装のうちのいずれか１つに関連して、第３の態様の第１１の任意選択の実装においては、第１の優先度ルールは、
ＨＡＲＱを含むＰＵＣＣＨの優先度が、非周期的な第１のアップリンク情報の優先度よりも高いことをさらに含む。
【０１０５】
第３の態様の第８の任意選択の実装に関連して、第３の態様の第１２の任意選択の実装においては、第１の優先度ルールは、
ＰＵＣＣＨの優先度が、非周期的な第１のアップリンク情報の優先度よりも高いことをさらに含む。
【０１０６】
第３の態様の第８から第１２の任意選択の実装のうちのいずれか１つに関連して、第３の態様の第１３の任意選択の実装においては、第１の優先度ルールは、
アップリンク制御情報ＵＣＩを含むＰＵＳＣＨの優先度が、非周期的な第１のアップリンク情報の優先度よりも高いことをさらに含む。
【０１０７】
第３の態様の第８から第１２の任意選択の実装のうちのいずれか１つに関連して、第３の態様の第１４の任意選択の実装においては、第１の優先度ルールは、
ＵＣＩを含むＰＵＳＣＨの優先度が、非周期的な第１のアップリンク情報の優先度よりも低いことをさらに含む。
【０１０８】
第３の態様の第８から第１４の任意選択の実装のうちのいずれか１つに関連して、第３の態様の第１５の任意選択の実装においては、第１の優先度ルールは、
ＵＣＩを含まないＰＵＳＣＨの優先度が、非周期的な第１のアップリンク情報の優先度よりも低いことをさらに含む。
【０１０９】
第３の態様の第８から第１４の任意選択の実装のうちのいずれか１つに関連して、第３の態様の第１６の任意選択の実装においては、第１の優先度ルールは、
ＵＣＩを含まないＰＵＳＣＨの優先度が、非周期的な第１のアップリンク情報の優先度よりも高いことをさらに含む。
【０１１０】
第３の態様の第８から第１４の任意選択の実装のうちのいずれか１つに関連して、第３の態様の第１７の任意選択の実装においては、第１の優先度ルールは、
ＰＵＳＣＨの優先度が、非周期的な第１のアップリンク情報の優先度よりも高いことをさらに含む。
【０１１１】
第３の態様の第８から第１７の任意選択の実装のうちのいずれか１つに関連して、第３の態様の第１８の任意選択の実装においては、第１のアップリンク情報は、プライマリセルＰＣｅｌｌのキャリア、またはセカンダリセルＳＣｅｌｌのキャリア上に配置されている。
【０１１２】
第３の態様の第８から第１８の任意選択の実装のうちのいずれか１つに関連して、第３の態様の第１９の任意選択の実装においては、第２のアップリンク情報は、プライマリセルＰＣｅｌｌのキャリア、またはセカンダリセルＳＣｅｌｌのキャリア上に配置されている。
【０１１３】
第３の態様、または第３の態様の第１から第３の任意選択の実装のうちのいずれか１つに関連して、第３の態様の第２０の任意選択の実装においては、第１の伝送表示情報は、
第１のリソースを含み、第１のリソースは、ＵＥが第１のアップリンク情報を送信するサブフレームおよび／もしくはサブフレームグループ、および／もしくは、ＵＥが第１のアップリンク情報を送信するキャリアおよび／もしくはキャリアグループを示すために使用され、ならびに／または
第２の伝送表示情報は、
第２の優先度を含み、第２の優先度は、第１のリソースが、事前設定されている優先リソースセットに属する場合に、第１のリソースを使用することによって第１のアップリンク情報を送信するようにＵＥに指示するために使用され、優先リソースセットは、第１のアップリンク情報の優先度が第２のアップリンク情報の優先度よりも高いサブフレームおよび／もしくはサブフレームグループ、および／もしくは、キャリアおよび／もしくはキャリアグループを含む。
【０１１４】
第３の態様、または第３の態様の第１から第３の任意選択の実装のうちのいずれか１つに関連して、第３の態様の第２１の任意選択の実装においては、第１の伝送表示情報は、
第１のリソースを含み、第１のリソースは、ＵＥが第１のアップリンク情報を送信するサブフレームおよび／もしくはサブフレームグループ、ならびに／または、ＵＥが第１のアップリンク情報を送信するキャリアおよび／もしくはキャリアグループを示すために使用される。
【０１１５】
第３の態様の第２１の任意選択の実装に関連して、第３の態様の第２２の任意選択の実装においては、第１のリソースは、事前設定されている優先リソースセットに属し、優先リソースセットは、第１のアップリンク情報の優先度が第２のアップリンク情報の優先度よりも高いサブフレームおよび／もしくはサブフレームグループ、ならびに／または、キャリアおよび／もしくはキャリアグループを含む。
【０１１６】
第３の態様の第２０から第２２の任意選択の実装のうちのいずれか１つに関連して、第３の態様の第２３の任意選択の実装においては、第１のリソース、および第２のアップリンク情報によって使用されるリソースは、コリジョン回避条件を満たし、コリジョン回避条件は、同じサブフレームにおける、第１のアップリンク情報および第２のアップリンク情報によって使用されるキャリアの総量が、ＵＥのアップリンクキャリアアグリゲーション能力に満たないことである。
【０１１７】
第３の態様の第２３の任意選択の実装に関連して、第３の態様の第２４の任意選択の実装においては、第２のアップリンク情報によって使用されるリソースは、事前に構成されており、第２のアップリンク情報は、ＰＵＣＣＨ情報、ＰＵＳＣＨ情報、またはＰＲＡＣＨ情報を含む。
【０１１８】
第３の態様、または第３の態様の第１から第２４の任意選択の実装のうちのいずれか１つに関連して、第３の態様の第２５の任意選択の実装においては、送信モジュールは、より高いレイヤのシグナリングまたは物理レイヤのシグナリングを使用することによって第１の伝送表示情報をＵＥへ送信するように構成されている。
【０１１９】
第３の態様、または第３の態様の第１から第３の任意選択の実装のうちのいずれか１つに関連して、第３の態様の第２６の任意選択の実装においては、第１の伝送表示情報は、
第３のリソースを含み、第３のリソースは、ＵＥによって第１のアップリンク情報を送信するために使用される時間ドメインリソース、周波数ドメインリソース、および／または空間ドメインリソースを示すために使用される。
【０１２０】
第３の態様、第３の態様の第１から第３の任意選択の実装、または第３の態様の第２６の任意選択の実装のうちのいずれか１つに関連して、第３の態様の第２７の任意選択の実装においては、第２の伝送表示情報は、
第４のリソースを含み、第４のリソースは、ＵＥによって第２のアップリンク情報を送信するために使用される時間ドメインリソース、周波数ドメインリソース、および／または空間ドメインリソースを示すために使用される。
【０１２１】
第３の態様の第２６の任意選択の実装に関連して、第３の態様の第２８の任意選択の実装においては、第１のアップリンク情報によって使用される時間ドメインリソースは、第１のアップリンク情報によって占められるサブフレームのロケーション情報、直交周波数分割多重ＯＦＤＭロケーション情報、循環シフト情報、およびＳＲＳ送信サブフレームオフセットのうちの少なくとも１つを含む。
【０１２２】
第３の態様の第２６から第２８の任意選択の実装のうちのいずれか１つに関連して、第３の態様の第２９の任意選択の実装においては、第２のアップリンク情報によって使用される時間ドメインリソースは、ミューティングエリアを含み、かつ第２のアップリンク情報を送信するために使用される物理リソースブロックＰＲＢの時間ドメインロケーション、および／またはミューティングエリアの時間ドメインロケーションを含む。
【０１２３】
第３の態様の第２９の任意選択の実装に関連して、第３の態様の第３０の任意選択の実装においては、ミューティングエリアの時間ドメインロケーションは、アップリンクパイロットタイムスロットＵｐＰＴＳ物理チャネル内にある。
【０１２４】
第３の態様の第２９または第３０の任意選択の実装に関連して、第３の態様の第３１の任意選択の実装においては、ミューティングエリアの時間ドメインロケーションは、ミューティングエリアの開始時点および終了時点を含む。
【０１２５】
第３の態様の第２６から第３１の任意選択の実装のうちのいずれか１つに関連して、第３の態様の第３２の任意選択の実装においては、第１のアップリンク情報の周波数ドメインリソースは、第１のアップリンク情報によって占められる周波数ドメインリソースのロケーション情報、第１のアップリンク情報によって占められるキャリアの情報、帯域幅情報、および周波数ホッピング構成のうちの少なくとも１つを含む。
【０１２６】
第３の態様の第２６から第３２の任意選択の実装のうちのいずれか１つに関連して、第３の態様の第３３の任意選択の実装においては、第２のアップリンク情報の周波数ドメインリソースは、ミューティングエリアを含み、かつ第２のアップリンク情報を送信するために使用されるＰＲＢの周波数ドメインロケーション、および／またはミューティングエリアの周波数ドメインロケーションを含む。
【０１２７】
第３の態様の第２６から第３４の任意選択の実装のうちのいずれか１つに関連して、第３の態様の第３５の任意選択の実装においては、空間ドメインリソースは、ポート情報である。
【０１２８】
第３の態様の第２６から第３５の任意選択の実装のうちのいずれか１つに関連して、第３の態様の第３６の任意選択の実装においては、第１の伝送表示情報は、第３のリソースを含み、送信モジュールは、第１のアップリンク情報の通知シグナリングを使用することによって第１の伝送表示情報を送信するように構成されており、または送信モジュールは、第２のアップリンク情報の通知シグナリングを使用することによって第１の伝送表示情報を送信するように構成されている。
【０１２９】
第３の態様の第２６から第３５の任意選択の実装のうちのいずれか１つに関連して、第３の態様の第３６の任意選択の実装においては、第２の伝送表示情報は、第４のリソースを含み、送信モジュールは、第２のアップリンク情報の通知シグナリングを使用することによって第２の伝送表示情報を送信するように構成されており、または送信モジュールは、第１のアップリンク情報の通知シグナリングを使用することによって第２の伝送表示情報を送信するように構成されている。
【０１３０】
第３の態様の第３５または第３６の任意選択の実装に関連して、第３の態様の第３７の任意選択の実装においては、第１のアップリンク情報の通知シグナリングを構成する方式は、準静的な構成であり、送信モジュールは、ブロードキャストメッセージを使用することによって第１の伝送表示情報および／もしくは第２の伝送表示情報を通知するように構成されており、または
第１のアップリンク情報の通知シグナリングを構成する方式は、動的な構成であり、送信モジュールは、次のシグナリング、すなわち、個別シグナリング、より高いレイヤのシグナリング、ＭＡＣシグナリング、および物理レイヤのシグナリングのうちの少なくとも１つを使用することによって第１の伝送表示情報および／もしくは第２の伝送表示情報を通知するように構成されている。
【０１３１】
第３の態様の第３５から第３７の任意選択の実装のうちのいずれか１つに関連して、第３の態様の第３８の任意選択の実装においては、第２のアップリンク情報の通知シグナリングを構成する方式は、準静的な構成であり、送信モジュールは、ブロードキャストメッセージを使用することによって第１の伝送表示情報および／もしくは第２の伝送表示情報を通知するように構成されており、または
第２のアップリンク情報の通知シグナリングを構成する方式は、動的な構成であり、送信モジュールは、次のシグナリング、すなわち、個別シグナリング、より高いレイヤのシグナリング、ＭＡＣシグナリング、および物理レイヤのシグナリングのうちの少なくとも１つを使用することによって第１の伝送表示情報および／もしくは第２の伝送表示情報を通知するように構成されている。
【０１３２】
第３の態様の第２６から第３８の任意選択の実装のうちのいずれか１つに関連して、第３の態様の第３９の任意選択の実装においては、第１のアップリンク情報の通知シグナリングを構成する方式は、動的な構成であり、送信モジュールは、拡張されたアップリンクグラントシグナリングまたはアップリンクスケジューリングシグナリングを使用することによって第１の伝送表示情報および／または第２の伝送表示情報をＵＥへ送信するように構成されている。
【０１３３】
第３の態様の第２６から第３８の任意選択の実装のうちのいずれか１つに関連して、第３の態様の第４０の任意選択の実装においては、送信モジュールは、拡張されたダウンリンク制御情報ＤＣＩを使用することによって第１の伝送表示情報および／または第２の伝送表示情報をＵＥへ送信するように構成されている。
【０１３４】
第３の態様の第４０の任意選択の実装に関連して、第３の態様の第４１の任意選択の実装においては、ＤＣＩのタイプは、ミューティングエリアを含む物理リソースブロックＰＲＢを使用することによって第２のアップリンク情報を送信するように指示するために使用される。
【０１３５】
第３の態様の第２６から第４１の任意選択の実装のうちのいずれか１つに関連して、第３の態様の第４２の任意選択の実装においては、第２のアップリンク情報は、ＰＵＣＣＨを含み、送信モジュールは、第２のアップリンク情報の通知シグナリングにおいて、第１の伝送表示情報を示すように構成されており、第２のアップリンク情報の通知シグナリングを構成する方式は、準静的な構成である。
【０１３６】
第３の態様の第２６から第４２の任意選択の実装のうちのいずれか１つに関連して、第３の態様の第４３の任意選択の実装においては、第１の伝送表示情報は、第１のアップリンク情報のキャリア識別子を含み、および／または第２の伝送表示情報は、第２のアップリンク情報のキャリア識別子を含む。
【０１３７】
本発明の第４の態様は、アップリンク信号送信装置を提供し、
基地局によって送信される第１のアップリンク情報の第１の伝送表示情報、および／または第２の伝送表示情報のうちの少なくとも１つを受信するように構成されている受信モジュールであって、第１の伝送表示情報は、第１のアップリンク情報を送信するように基地局がユーザ機器ＵＥに指示するサブフレームおよび／またはキャリアを含む、受信モジュールと、
第１の伝送表示情報および／または第２の伝送表示情報に基づいて、コリジョンが発生した場合のＵＥの挙動を決定するように構成されている処理モジュールとを含む。
【０１３８】
第４の態様に関連して、第４の態様の第１の任意選択の実装においては、コリジョンは、第１のアップリンク情報の、基地局によって示されるサブフレームにおいて、第１のアップリンク情報のキャリアと、ＵＥによって送信される必要がある第２のアップリンク情報によって使用されるキャリアとの総量が、ＵＥのアップリンクキャリアアグリゲーション能力を超えることを意味する。
【０１３９】
第４の態様または第４の態様の第１の任意選択の実装に関連して、第４の態様の第２の任意選択の実装においては、第１のアップリンク情報は、サウンディング参照信号ＳＲＳ、プリアンブルＰｒｅａｍｂｌｅ、またはシーケンスＳｅｑｕｅｎｃｅである。
【０１４０】
第４の態様、または第４の態様の第１または第２の任意選択の実装のうちのいずれか１つに関連して、第４の態様の第３の任意選択の実装においては、第１のアップリンク情報は、周期的な第１のアップリンク情報または非周期的な第１のアップリンク情報である。
【０１４１】
第４の態様、または第４の態様の第１から第３の任意選択の実装のうちのいずれか１つに関連して、第４の態様の第４の任意選択の実装においては、第２のアップリンク情報は、物理アップリンク制御チャネルＰＵＣＣＨ、物理アップリンク共有チャネルＰＵＳＣＨ、物理ランダムアクセスチャネルＰＲＡＣＨ、または前述のチャネルに対応する情報である。
【０１４２】
第４の態様、または第４の態様の第１から第４の任意選択の実装のうちのいずれか１つに関連して、第４の態様の第５の任意選択の実装においては、第２の伝送表示情報は、第１の優先度ルールを含み、第１の優先度ルールは、第１のアップリンク情報の優先度、および第２のアップリンク情報の優先度を含む。
【０１４３】
第４の態様の第５の任意選択の実装に関連して、第４の態様の第６の任意選択の実装においては、この装置は、
より高い優先度のデータを送信するように構成されている伝送モジュールをさらに含み、より高い優先度のデータは、第１の優先度ルールに基づいて第１のアップリンク情報および第２のアップリンク情報から決定される。
【０１４４】
第４の態様の第５または第６の任意選択の実装に関連して、第４の態様の第７の任意選択の実装においては、処理モジュールは、第１のアップリンク情報を破棄するようにさらに構成されており、第１のアップリンク情報および第２のアップリンク情報におけるより高い優先度のデータは、第２のアップリンク情報である。
【０１４５】
第４の態様の第５から第７の任意選択の実装のうちのいずれか１つに関連して、第４の態様の第８の任意選択の実装においては、第１のアップリンク情報は、周期的な第１のアップリンク情報および非周期的な第１のアップリンク情報を含み、第２のアップリンク情報は、ＰＲＡＣＨ、ＰＵＣＣＨ、またはＰＵＳＣＨであり、第１の優先度ルールは、
ＰＲＡＣＨの優先度が、非周期的な第１のアップリンク情報の優先度よりも高いこと、
ＰＲＡＣＨの優先度が、周期的な第１のアップリンク情報の優先度よりも高いこと、
ＰＵＣＣＨの優先度が、周期的な第１のアップリンク情報の優先度よりも高いこと、および
ＰＵＳＣＨの優先度が、周期的な第１のアップリンク情報の優先度よりも高いことのうちの少なくとも１つを含む。
【０１４６】
第４の態様の第８の任意選択の実装に関連して、第４の態様の第９の任意選択の実装においては、第１の優先度ルールは、
チャネル状態情報ＣＳＩ情報のみを含むＰＵＣＣＨの優先度が、非周期的な第１のアップリンク情報の優先度よりも低いことをさらに含む。
【０１４７】
第４の態様の第８の任意選択の実装に関連して、第４の態様の第１０の任意選択の実装においては、第１の優先度ルールは、
ＣＳＩ情報のみを含むＰＵＣＣＨの優先度が、非周期的な第１のアップリンク情報の優先度よりも高いことをさらに含む。
【０１４８】
第４の態様の第８から第１０の任意選択の実装のうちのいずれか１つに関連して、第４の態様の第１１の任意選択の実装においては、第１の優先度ルールは、
ＨＡＲＱを含むＰＵＣＣＨの優先度が、非周期的な第１のアップリンク情報の優先度よりも高いことをさらに含む。
【０１４９】
第４の態様の第８の任意選択の実装に関連して、第４の態様の第１２の任意選択の実装においては、第１の優先度ルールは、
ＰＵＣＣＨの優先度が、非周期的な第１のアップリンク情報の優先度よりも高いことをさらに含む。
【０１５０】
第４の態様の第８から第１２の任意選択の実装のうちのいずれか１つに関連して、第４の態様の第１３の任意選択の実装においては、第１の優先度ルールは、
アップリンク制御情報ＵＣＩを含むＰＵＳＣＨの優先度が、非周期的なＳＲＳの優先度よりも高いことをさらに含む。
【０１５１】
第４の態様の第８から第１２の任意選択の実装のうちのいずれか１つに関連して、第４の態様の第１４の任意選択の実装においては、第１の優先度ルールは、
ＵＣＩを含むＰＵＳＣＨの優先度が、非周期的なＳＲＳの優先度よりも低いことをさらに含む。
【０１５２】
第４の態様の第８から第１４の任意選択の実装のうちのいずれか１つに関連して、第４の態様の第１５の任意選択の実装においては、第１の優先度ルールは、
ＵＣＩを含まないＰＵＳＣＨの優先度が、非周期的な第１のアップリンク情報の優先度よりも低いことをさらに含む。
【０１５３】
第４の態様の第８から第１４の任意選択の実装のうちのいずれか１つに関連して、第４の態様の第１６の任意選択の実装においては、第１の優先度ルールは、
ＵＣＩを含まないＰＵＳＣＨの優先度が、非周期的な第１のアップリンク情報の優先度よりも高いことをさらに含む。
【０１５４】
第４の態様の第８から第１４の任意選択の実装のうちのいずれか１つに関連して、第４の態様の第１７の任意選択の実装においては、第１の優先度ルールは、
ＰＵＳＣＨの優先度が、非周期的なＳＲＳの優先度よりも高いことをさらに含む。
【０１５５】
第４の態様の第８から第１７の任意選択の実装のうちのいずれか１つに関連して、第４の態様の第１８の任意選択の実装においては、第１のアップリンク情報は、プライマリセルＰＣｅｌｌのキャリア、またはセカンダリセルＳＣｅｌｌのキャリア上に配置されている。
【０１５６】
第４の態様の第８から第１８の任意選択の実装のうちのいずれか１つに関連して、第４の態様の第１９の任意選択の実装においては、第２のアップリンク情報は、プライマリセルＰＣｅｌｌのキャリア、またはセカンダリセルＳＣｅｌｌのキャリア上に配置されている。
【０１５７】
第４の態様、または第４の態様の第１から第４の任意選択の実装のうちのいずれか１つに関連して、第４の態様の第２０の任意選択の実装においては、第２の伝送表示情報は、第１のリソースを含み、第１のリソースは、ＵＥが第１のアップリンク情報を送信するサブフレームおよび／もしくはサブフレームグループ、ならびに／または、ＵＥが第１のアップリンク情報を送信するキャリアおよび／もしくはキャリアグループを示すために使用され、
第２の伝送表示情報は、第２の優先度を含み、第２の優先度は、事前設定されている優先リソースセットを示すために使用され、第１のリソースは、事前設定されている優先リソースセットに属し、
伝送モジュールは、第１のリソースを使用することによって第１のアップリンク情報を送信するようにさらに構成されている。
【０１５８】
第４の態様、または第４の態様の第１から第４の任意選択の実装のうちのいずれか１つに関連して、第４の態様の第２１の任意選択の実装においては、第１の伝送表示情報は、
第１のリソースを含み、第１のリソースは、ＵＥが第１のアップリンク情報を送信するサブフレームおよび／もしくはサブフレームグループ、ならびに／または、ＵＥが第１のアップリンク情報を送信するキャリアおよび／もしくはキャリアグループを示すために使用され、
伝送モジュールは、第１のリソースを使用することによって第１のアップリンク情報を送信するようにさらに構成されている。
【０１５９】
第４の態様の第２１の任意選択の実装に関連して、第４の態様の第２２の任意選択の実装においては、第１のリソースは、事前設定されている優先リソースセットに属し、優先リソースセットは、第１のアップリンク情報の優先度が第２のアップリンク情報の優先度よりも高いサブフレームおよび／もしくはサブフレームグループ、ならびに／または、キャリアおよび／もしくはキャリアグループを含む。
【０１６０】
第４の態様の第２０から第２２の任意選択の実装のうちのいずれか１つに関連して、第４の態様の第２３の任意選択の実装においては、第１のリソース、および第２のアップリンク情報によって使用されるリソースは、キャリアコリジョン回避条件を満たし、キャリアコリジョン回避条件は、同じサブフレームにおける、第１のアップリンク情報および第２のアップリンク情報によって使用されるキャリアの総量が、ＵＥのアップリンクキャリアアグリゲーション能力に満たないことである。
【０１６１】
第４の態様の第２３の任意選択の実装に関連して、第４の態様の第２４の任意選択の実装においては、第２のアップリンク情報によって使用されるリソースは、事前に構成されており、第２のアップリンク情報は、ＰＵＣＣＨ情報、ＰＵＳＣＨ情報、またはＰＲＡＣＨ情報を含む。
【０１６２】
第４の態様、または第４の態様の第１から第２４の任意選択の実装のうちのいずれか１つに関連して、第４の態様の第２５の任意選択の実装においては、受信モジュールは、より高いレイヤのシグナリングまたは物理レイヤのシグナリングを使用することによってＵＥについて、基地局によって送信された第１の伝送表示情報を受信するようにさらに構成されている。
【０１６３】
第４の態様、または第４の態様の第１から第４の任意選択の実装のうちのいずれか１つに関連して、第４の態様の第２６の任意選択の実装においては、第１の伝送表示情報は、第３のリソースを含み、第３のリソースは、ＵＥによって第１のアップリンク情報を送信するために使用される時間ドメインリソース、周波数ドメインリソース、および／もしくは空間ドメインリソースを示すために使用され、伝送モジュールは、第３のリソースに基づいて第１のアップリンク情報および／もしくは第２のアップリンク情報を送信するように構成されており、ならびに／または
第２の伝送表示情報は、第４のリソースを含み、第４のリソースは、ＵＥによって第２のアップリンク情報を送信するために使用される時間ドメインリソース、周波数ドメインリソース、および／もしくは空間ドメインリソースを示すために使用され、伝送モジュールは、第４のリソースに基づいて第１のアップリンク情報および／もしくは第２のアップリンク情報を送信するように構成されている。
【０１６４】
第４の態様の第２６の任意選択の実装に関連して、第４の態様の第２７の任意選択の実装においては、伝送モジュールは、第３のリソース上で第１のアップリンク情報を送信し、第３のリソースとのキャリアコリジョンに陥っているキャリアの対応する時間ドメインリソース上で第２のアップリンク情報を送信することをスキップするように構成されており、
第３のリソースとのキャリアコリジョンに陥っているキャリアの対応する時間ドメインリソースは、第３のリソースの時間ドメインリソースと同じである。
【０１６５】
第４の態様の第２６の任意選択の実装に関連して、第４の態様の第２８の任意選択の実装においては、伝送モジュールは、第４のリソース上で第２のアップリンク情報を送信し、第４のリソースとのキャリアコリジョンに陥っているキャリアの対応する時間ドメインリソース上で第１のアップリンク情報を送信するように構成されており、
第４のリソースとのキャリアコリジョンに陥っているキャリアの対応する時間ドメインリソースは、第４のリソースの時間ドメインリソースとは異なる。
【０１６６】
第４の態様の第２６の任意選択の実装に関連して、第４の態様の第２８の任意選択の実装においては、第１のアップリンク情報によって使用される時間ドメインリソースは、第１のアップリンク情報によって占められるサブフレームのロケーション情報、直交周波数分割多重ＯＦＤＭロケーション情報、循環シフト情報、およびＳＲＳ送信サブフレームオフセットのうちの少なくとも１つを含む。
【０１６７】
第４の態様の第２６から第２９の任意選択の実装のうちのいずれか１つに関連して、第４の態様の第３０の任意選択の実装においては、第２のアップリンク情報によって使用される時間ドメインリソースは、ミューティングエリアを含み、かつ第２のアップリンク情報を送信するために使用される物理リソースブロックＰＲＢの時間ドメインロケーション、および／またはミューティングエリアの時間ドメインロケーションを含み、
伝送モジュールは、ミューティングエリアを含み、かつ第２のアップリンク情報を送信するために使用されるＰＲＢの時間ドメインロケーションにおいて第２のアップリンク情報を送信することをスキップするように構成されている。
【０１６８】
第４の態様の第３０の任意選択の実装に関連して、第４の態様の第３１の任意選択の実装においては、ミューティングエリアの時間ドメインロケーションは、ミューティングエリアの開始時点および終了時点を含む。
【０１６９】
第４の態様の第２６から第３１の任意選択の実装のうちのいずれか１つに関連して、第４の態様の第３２の任意選択の実装においては、第１のアップリンク情報の周波数ドメインリソースは、第１のアップリンク情報によって占められる周波数ドメインリソースのロケーション情報、第１のアップリンク情報によって占められるキャリアの情報、帯域幅情報、および周波数ホッピング構成のうちの少なくとも１つを含む。
【０１７０】
第４の態様の第２６から第３２の任意選択の実装のうちのいずれか１つに関連して、第４の態様の第３３の任意選択の実装においては、第２のアップリンク情報の周波数ドメインリソースは、ミューティングエリアを含み、かつ第２のアップリンク情報を送信するために使用されるＰＲＢの周波数ドメインロケーション、および／またはミューティングエリアの周波数ドメインロケーションを含む。
【０１７１】
第４の態様の第２６から第３３の任意選択の実装のうちのいずれか１つに関連して、第４の態様の第３４の任意選択の実装においては、空間ドメインリソースは、ポート情報である。
【０１７２】
第４の態様の第２６から第３４の任意選択の実装のうちのいずれか１つに関連して、第４の態様の第３５の任意選択の実装においては、第１の伝送表示情報は、第３のリソースを含み、受信モジュールは、第１のアップリンク情報の通知シグナリングを使用することによって第１の伝送表示情報を受信するように構成されており、または受信モジュールは、第２のアップリンク情報の通知シグナリングを使用することによって第１の伝送表示情報を受信するように構成されている。
【０１７３】
第４の態様の第２６から第３５の任意選択の実装のうちのいずれか１つに関連して、第４の態様の第３６の任意選択の実装においては、第２の伝送表示情報は、第４のリソースを含み、受信モジュールは、第２のアップリンク情報の通知シグナリングを使用することによって第２の伝送表示情報を受信するように構成されており、または受信モジュールは、第１のアップリンク情報の通知シグナリングを使用することによって第２の伝送表示情報を受信するように構成されている。
【０１７４】
第４の態様の第３５または第３６の任意選択の実装に関連して、第４の態様の第３７の任意選択の実装においては、第１のアップリンク情報の通知シグナリングを構成する方式は、準静的な構成であり、受信モジュールは、ブロードキャストメッセージを使用することによって第１の伝送表示情報および／もしくは第２の伝送表示情報を受信するように構成されており、または
第１のアップリンク情報の通知シグナリングを構成する方式は、動的な構成であり、受信モジュールは、次のシグナリング、すなわち、個別シグナリング、より高いレイヤのシグナリング、ＭＡＣシグナリング、および物理レイヤのシグナリングのうちの少なくとも１つを使用することによって第１の伝送表示情報および／もしくは第２の伝送表示情報を受信するように構成されている。
【０１７５】
第４の態様の第３５から第３７の任意選択の実装のうちのいずれか１つに関連して、第４の態様の第３８の任意選択の実装においては、第２のアップリンク情報の通知シグナリングを構成する方式は、準静的な構成であり、受信モジュールは、ブロードキャストメッセージを使用することによって第１の伝送表示情報および／もしくは第２の伝送表示情報を受信するように構成されており、または
第２のアップリンク情報の通知シグナリングを構成する方式は、動的な構成であり、受信モジュールは、次のシグナリング、すなわち、個別シグナリング、より高いレイヤのシグナリング、ＭＡＣシグナリング、および物理レイヤのシグナリングのうちの少なくとも１つを使用することによって第１の伝送表示情報および／もしくは第２の伝送表示情報を受信するように構成されている。
【０１７６】
第４の態様の第３５から第３８の任意選択の実装のうちのいずれか１つに関連して、第４の態様の第３９の任意選択の実装においては、第１のアップリンク情報の通知シグナリングを構成する方式は、動的な構成であり、受信モジュールは、アップリンクグラントシグナリングまたはアップリンクスケジューリングシグナリングを使用することによって第１の伝送表示情報および／または第２の伝送表示情報を受信するように構成されている。
【０１７７】
第４の態様の第３５から第３９の任意選択の実装のうちのいずれか１つに関連して、第４の態様の第４０の任意選択の実装においては、受信モジュールは、ダウンリンク制御情報ＤＣＩを使用することによって第１の伝送表示情報および／または第２の伝送表示情報を受信するように構成されている。
【０１７８】
第４の態様の第４０の任意選択の実装に関連して、第４の態様の第４１の任意選択の実装においては、ＤＣＩのタイプは、ミューティングエリアを含む物理リソースブロックＰＲＢを使用することによって第２のアップリンク情報を送信するように指示するために使用される。
【０１７９】
第４の態様の第３５から第４１の任意選択の実装のうちのいずれか１つに関連して、第４の態様の第４２の任意選択の実装においては、第２のアップリンク情報は、ＰＵＣＣＨを含み、受信モジュールは、第２のアップリンク情報の通知シグナリングを使用することによって第１の伝送表示情報を受信するように構成されており、第２のアップリンク情報の通知シグナリングを構成する方式は、準静的な構成である。
【０１８０】
第４の態様の第３５から第４２の任意選択の実装のうちのいずれか１つに関連して、第４の態様の第４２の任意選択の実装においては、第１の伝送表示情報は、第１のアップリンク情報のキャリア識別子を含み、および／または第２の伝送表示情報は、第２のアップリンク情報のキャリア識別子を含む。
【０１８１】
本発明の第５の態様は、第３の態様におけるいずれかのアップリンク情報送信装置を含む基地局を提供する。
【０１８２】
本発明の第６の態様は、第４の態様におけるいずれかのアップリンク情報送信装置を含むユーザ機器を提供する。
【０１８３】
本発明の実施形態において提供されているアップリンク情報送信方法においては、基地局は、第１のアップリンク情報の第１の伝送表示情報、および第２の伝送表示情報のうちの少なくとも１つをＵＥへ送信し、ＵＥは、第１の伝送表示情報および／または第２の伝送表示情報に基づいて、コリジョンが発生した場合のＵＥの挙動を決定する。本発明において提供されているアップリンク情報送信方法は、ＵＥの処理効率上のキャリアコリジョンのインパクトを軽減するために使用される。
【図面の簡単な説明】
【０１８４】
本発明の実施形態における、または従来技術における技術的なソリューションについてさらに明確に記述するために、以降では、それらの実施形態または従来技術について記述するために必要とされる添付の図面について簡単に記述する。明らかに、以降の説明における添付の図面は、本発明のいくつかの実施形態を示しているにすぎず、当業者なら、それでもなお、創造的な努力を伴わずにこれらの添付の図面からその他の図面を導き出し得る。
【図１】本発明の実施形態によるアップリンク情報送信方法の実施形態１のフローチャートである。
【図２】本発明の実施形態によるアップリンク情報送信方法の実施形態２のフローチャートである。
【図３】本発明の実施形態によるアップリンク情報送信方法の実施形態３のフローチャートである。
【図４】本発明の実施形態によるアップリンク情報送信方法の実施形態４のフローチャートである。
【図５】本発明の実施形態によるアップリンク情報送信方法の実施形態５のフローチャートである。
【図６】図５において示されているアップリンク情報送信方法の実施形態３におけるキャリアスイッチングの概略図である。
【図７】本発明の実施形態によるアップリンク情報送信装置の実施形態１の概略構造図である。
【図８】本発明の実施形態による別のアップリンク情報送信装置の実施形態１の概略構造図である。
【図９】本発明の実施形態による別のアップリンク情報送信装置の実施形態２の概略構造図である。
【発明を実施するための形態】
【０１８５】
以降では、本発明の実施形態における添付の図面を参照しながら、本発明の実施形態における技術的なソリューションについて明確にかつ完全に記述する。明らかに、記述されている実施形態は、本発明の実施形態のうちのいくつかにすぎず、すべてではない。当業者によって本発明の実施形態に基づいて創造的な努力を伴わずに入手されるその他のすべての実施形態は、本発明の保護範囲内に収まるものとする。
【０１８６】
本発明の明細書、特許請求の範囲、および添付の図面においては、「第１の」、「第２の」、「第３の」、および「第４の」などの用語は、類似しているオブジェクト間において区別を行うために使用されており、必ずしも特定のシーケンスまたは順序を記述するために使用されているとは限らないということに留意されたい。そのような方法で呼ばれているデータは、適切な状況において交換可能であり、それによって、本明細書において記述されている本発明の実施形態は、本明細書において示されているまたは記述されている順序以外の順序で実施されることが可能であるということを理解されたい。その上、「含む」、「有する」という用語、およびその他の任意の変形は、非排他的な包含をカバーすることを意図しており、たとえば、ステップまたはユニットのリストを含むプロセス、方法、システム、製品、またはデバイスは、明示的にリストアップされているステップまたはユニットに必ずしも限定されず、明示的にリストアップされてはいない、またはそのようなプロセス、方法、システム、製品、もしくはデバイスに固有のその他のユニットを含み得る。
【０１８７】
キャリアアグリゲーションシナリオにおいては、ＵＥによってサポートされるアップリンクキャリアアグリゲーション能力は通常、ダウンリンクキャリアアグリゲーション能力よりも低い、すなわち、いくつかのキャリア上では、ＵＥは、ダウンリンク伝送能力のみを有するが、アップリンク伝送能力を有さない。したがって基地局が、これらのキャリアの、サウンディング参照信号ＳＲＳなどのアップリンク信号を入手する必要がある場合には、ＵＥに割り当てられるアップリンクキャリアは、ＵＥのいずれかのキャリアに切り替えられる必要がある。キャリアスイッチング中には、アップリンク情報（ＰＵＣＣＨ、ＰＵＳＣＨ、またはＰＲＡＣＨなど）がＵＥによって送信される必要があるキャリアとのキャリアコリジョンが発生し得る。キャリアコリジョンとは、同じサブフレームにおける、第１のアップリンク情報を送信するように基地局がＵＥに指示するキャリアと、ＵＥによって送信される必要がある第２のアップリンク情報によって使用されることになるキャリアとの総量が、ＵＥのアップリンクキャリアアグリゲーション能力を超えることを意味する。ＵＥによって送信される第１のアップリンク情報のキャリア上には、ＰＵＳＣＨ伝送はない。したがって、本発明の実施形態は、ＵＥ上のキャリアコリジョンのインパクトを低減するためのアップリンク情報送信方法を提供する。
【０１８８】
図１は、本発明の実施形態によるアップリンク情報送信方法の実施形態１のフローチャートである。
【０１８９】
図１において示されているように、本発明のこの実施形態は、基地局およびＵＥによって実行され得る。本発明のこの実施形態は、下記のステップを含み得る。
【０１９０】
Ｓ１０１：  基地局は、第１のアップリンク情報の第１の伝送表示情報、および第２の伝送表示情報のうちの少なくとも１つをＵＥへ送信する。
【０１９１】
第１の伝送表示情報は、第１のアップリンク情報を送信するように基地局がＵＥに指示するサブフレームおよび／またはキャリアを含む。第１の伝送表示情報および／または第２の伝送表示情報は、コリジョンが発生した場合のＵＥの挙動を示すために使用される。コリジョンは、第１のアップリンク情報の、基地局によって示されるサブフレームにおいて、第１のアップリンク情報のキャリアと、ＵＥによって送信される必要がある第２のアップリンク情報によって使用されるキャリアとの総量が、ＵＥのアップリンクキャリアアグリゲーション能力を超えることを意味する。
【０１９２】
任意選択で、第１のアップリンク情報は、アップリンク信号、たとえば、サウンディング参照信号ＳＲＳ、プリアンブルＰｒｅａｍｂｌｅ、またはシーケンスＳｅｑｕｅｎｃｅであり得る。第１のアップリンク情報は、周期的な第１のアップリンク情報または非周期的な第１のアップリンク情報、たとえば、周期的なＳＲＳまたは非周期的なＳＲＳである。
【０１９３】
任意選択で、第２のアップリンク情報は、アップリンクチャネル、たとえば、物理アップリンク制御チャネルＰＵＣＣＨ、物理アップリンク共有チャネルＰＵＳＣＨ、物理ランダムアクセスチャネルＰＲＡＣＨ、または前述のチャネルに対応する情報であり得る。
【０１９４】
Ｓ１０２：  ＵＥは、第１の伝送表示情報および／または第２の伝送表示情報に基づいて、コリジョンが発生した場合のＵＥの挙動を決定する。本発明のこの実施形態において言及されているサブフレームは、サブフレームであり得、またはサブフレームグループもしくはサブフレームセットであり得、サブフレームグループは、サブフレームセットであり得、本発明のこの実施形態において言及されているキャリアは、キャリアであり得、またはキャリアグループもしくはキャリアセットであり得、キャリアグループは、キャリアセットでもあり得るということに留意されたい。本発明において提供されているアップリンク情報送信方法は、ＵＥの処理効率上のキャリアコリジョンのインパクトを軽減するために使用される。
【０１９５】
図２は、本発明の実施形態によるアップリンク情報送信方法の実施形態２のフローチャートである。
【０１９６】
図１において示されている方法に基づいて、本発明のこの実施形態は、下記のステップを含み得、基地局がＳ１０１において第２の伝送表示情報をＵＥへ送信し、かつ第２の伝送表示情報が第１の優先度ルールを含む場合には、Ｓ１０２は、下記のステップを含み得る。
【０１９７】
Ｓ２０１：  ＵＥは、より高い優先度のデータを送信する。
【０１９８】
より高い優先度のデータは、第１の優先度ルールに基づいて、ＵＥの第１のアップリンク信号および送信されるべきアップリンク情報から決定される。第１の優先度ルールは、第１のアップリンク情報および第２のアップリンク情報の優先度を含む。
【０１９９】
任意選択で、Ｓ２０１の後に、Ｓ１０２は、下記のステップをさらに含み得る。
【０２００】
Ｓ２０２：  第１のアップリンク情報および第２のアップリンク情報におけるより高い優先度のデータが第２のアップリンク情報である場合には、ＵＥは、第１のアップリンク情報を破棄する。
【０２０１】
第１の優先度ルールは、複数のシナリオにおける第１のアップリンク情報と、複数のシナリオにおける第２のアップリンク情報との間における優先度ルールを含み得るということに留意されたい。
【０２０２】
たとえば、複数のシナリオにおける第１のアップリンク情報は、周期的な第１のアップリンク情報および非周期的な第１のアップリンク情報を含み得、複数のシナリオにおける第２のアップリンク情報は、ＰＲＡＣＨ、ＰＵＳＣＨ、およびＰＵＣＣＨを含み得る。第１の優先度ルールの第１の任意選択の実装は、
ＰＲＡＣＨの優先度が、非周期的な第１のアップリンク情報の優先度よりも高いこと、
ＰＲＡＣＨの優先度が、周期的な第１のアップリンク情報の優先度よりも高いこと、
ＰＵＣＣＨの優先度が、周期的な第１のアップリンク情報の優先度よりも高いこと、および
ＰＵＳＣＨの優先度が、周期的な第１のアップリンク情報の優先度よりも高いことのうちの少なくとも１つを含み得る。
【０２０３】
任意選択で、第１の優先度ルールの第２の任意選択の実装は、
チャネル状態情報ＣＳＩ情報のみを含むＰＵＣＣＨの優先度が、非周期的な第１のアップリンク情報の優先度よりも低いことをさらに含み得る。
【０２０４】
ＣＳＩのみを含むＰＵＣＣＨは、ハイブリッド自動再送要求ＨＡＲＱ応答メッセージ（ＨＡＲＱ−ＡＣＫ＆ＳＲ）を含まないということに留意されたい。
【０２０５】
任意選択で、第１の優先度ルールの第３の任意選択の実装は、
ＣＳＩ情報のみを含むＰＵＣＣＨの優先度が、非周期的な第１のアップリンク情報の優先度よりも高いことをさらに含み得る。
【０２０６】
ＣＳＩのみを含むＰＵＣＣＨは、ハイブリッド自動再送要求ＨＡＲＱ応答メッセージ（ＨＡＲＱ−ＡＣＫ＆ＳＲ）を含まないということに留意されたい。
【０２０７】
任意選択で、第１の優先度ルールの第２または第３の任意選択の実装に基づいて、第１の優先度ルールの第４の任意選択の実装においては、第１の優先度ルールは、
ＨＡＲＱを含むＰＵＣＣＨの優先度が、非周期的な第１のアップリンク情報の優先度よりも高いことをさらに含み得る。
【０２０８】
任意選択で、第１の優先度ルールの第５の任意選択の実装においては、第１の優先度ルールは、
ＰＵＣＣＨの優先度が、非周期的な第１のアップリンク情報の優先度よりも高いことをさらに含み得る。
【０２０９】
任意選択で、第１の優先度ルールの第１から第５の任意選択の実装のうちのいずれか１つに基づいて、第１の優先度ルールの第６の任意選択の実装においては、第１の優先度ルールは、
アップリンク制御情報ＵＣＩを含むＰＵＳＣＨの優先度が、非周期的な第１のアップリンク情報の優先度よりも高いことをさらに含み得る。
【０２１０】
任意選択で、第１の優先度ルールの第１から第５の任意選択の実装のうちのいずれか１つに基づいて、第１の優先度ルールの第７の任意選択の実装においては、第１の優先度ルールは、
ＵＣＩを含むＰＵＳＣＨの優先度が、非周期的な第１のアップリンク情報の優先度よりも低いことをさらに含み得る。
【０２１１】
任意選択で、第１の優先度ルールの第１から第７の任意選択の実装のうちのいずれか１つに基づいて、第１の優先度ルールの第８の任意選択の実装においては、第１の優先度ルールは、
ＵＣＩを含まないＰＵＳＣＨの優先度が、非周期的な第１のアップリンク情報の優先度よりも低いことをさらに含み得る。
【０２１２】
任意選択で、第１の優先度ルールの第１から第７の任意選択の実装のうちのいずれか１つに基づいて、第１の優先度ルールの第９の任意選択の実装においては、第１の優先度ルールは、
ＵＣＩを含まないＰＵＳＣＨの優先度が、非周期的な第１のアップリンク情報の優先度よりも高いことをさらに含み得る。
【０２１３】
任意選択で、第１の優先度ルールの第１から第７の任意選択の実装のうちのいずれか１つに基づいて、第１の優先度ルールの第１０の任意選択の実装においては、第１の優先度ルールは、
ＰＵＳＣＨの優先度が、非周期的な第１のアップリンク情報の優先度よりも高いことをさらに含み得る。
【０２１４】
任意選択で、第１の優先度の前述の任意選択の実装においては、第１のアップリンク情報は、プライマリセルＰＣｅｌｌのキャリア、またはセカンダリセルＳＣｅｌｌのキャリア上に配置されている。
【０２１５】
任意選択で、第１の優先度の前述の任意選択の実装においては、第２のアップリンク情報は、ＰＣｅｌｌのキャリア、またはセカンダリセルＳＣｅｌｌのキャリア上に配置されている。
【０２１６】
周期的な第１のアップリンク信号に関しては、ＰＣｅｌｌに配置されている周期的な第１のアップリンク信号の優先度は、ＳＣｅｌｌに配置されている周期的な第１のアップリンク信号の優先度よりも高く、非周期的な第１のアップリンク信号に関しては、ＰＣｅｌｌに配置されている非周期的な第１のアップリンク信号の優先度は、ＳＣｅｌｌに配置されている非周期的な第１のアップリンク信号の優先度よりも高いということに留意されたい。しかしながら、第１のアップリンク信号と第２のアップリンク信号との間における優先度関係は、第１のアップリンク信号または第２のアップリンク信号がＰＣｅｌｌに配置されているかまたはＳＣｅｌｌに配置されているかによって影響されない。
【０２１７】
通常、ＰＲＡＣＨの優先度は、ＰＵＣＣＨの優先度よりも高く、ＰＵＣＣＨの優先度は、ＰＵＳＣＨの優先度よりも高いということにさらに留意されたい。好ましくは、表１を参照すると、表１は、本発明のこの実施形態において提供される第１の優先度の好ましい実装である。
【０２１８】
【表１】
2020102883.tif 000003
【０２１９】
ＨＡＲＱ−ＡＣＫを伴うＰＵＣＣＨは、ハイブリッド自動再送を含むＰＵＣＣＨである。ＨＡＲＱ−ＡＣＫを伴わずにＣＳＩを伴うＰＵＣＣＨは、ＨＡＲＱを含まずにＣＳＩを含むＰＵＣＣＨである。ＵＣＩを伴うＰＵＳＣＨは、アップリンク制御情報を含むＰＵＳＣＨである。ＵＣＩを伴わないＰＵＳＣＨは、アップリンク制御情報を含まないＰＵＳＣＨである。前述の表における「はいまたはいいえ」は、オプションが、第１の優先度の設定において「はい」に設定され得、別の優先度の設定において「いいえ」に設定され得るということを意味している。
【０２２０】
図３は、本発明の実施形態によるアップリンク情報送信方法の実施形態３のフローチャートである。
【０２２１】
図１において示されている方法に基づいて、本発明のこの実施形態は、下記のステップを含み得る。
【０２２２】
Ｓ１０１における第１の伝送表示情報は、第１のリソースを含み、第１のリソースは、ＵＥが第１のアップリンク情報を送信するサブフレームおよび／もしくはサブフレームグループ、ならびに／または、ＵＥが第１のアップリンク情報を送信するキャリアおよび／もしくはキャリアグループを示すために使用される。
【０２２３】
任意選択で、第１のリソースは、事前設定されている優先リソースセットに属する。優先リソースセットは、第１のアップリンク情報の優先度が第２のアップリンク情報の優先度よりも高いサブフレームおよび／もしくはサブフレームグループ、ならびに／または、キャリアおよび／もしくはキャリアグループを含む。任意選択で、第１のリソースは、第１のアップリンク情報に関するスイッチングを実行するために使用されることが可能であるサブフレームおよび／もしくはサブフレームグループ、ならびに／または、第１のアップリンク情報に関するスイッチングを実行するために使用されることが可能であるキャリアおよび／もしくはキャリアグループである。任意選択で、第２のアップリンク情報によって使用されるリソースは、第１のアップリンク情報に関するスイッチングを実行するために使用されることが不可能であるサブフレームおよび／もしくはサブフレームグループ、ならびに／または、第１のアップリンク情報に関するスイッチングを実行するために使用されることが不可能であるキャリアおよび／もしくはキャリアグループである。
【０２２４】
次いでＳ１０２は、下記のステップを含み得る。
【０２２５】
Ｓ３０１：  ＵＥは、第１のリソースを使用することによって第１のアップリンク情報を送信する。
【０２２６】
好ましくは、第１のリソース、および第２のアップリンク情報によって使用されるリソースは、キャリアコリジョン回避条件を満たし、キャリアコリジョン回避条件は、同じサブフレームにおける、第１のアップリンク情報および第２のアップリンク情報によって使用されるキャリアの総量が、ＵＥのアップリンクキャリアアグリゲーション能力に満たないことである。
【０２２７】
第２のアップリンク情報によって使用されるリソースは、事前に構成されており、第２のアップリンク情報は、ＰＵＣＣＨ、ＰＵＳＣＨ、ＰＲＡＣＨ、または前述のチャネルのそれぞれに対応する情報を含むということに留意されたい。
【０２２８】
任意選択で、基地局は、より高いレイヤのシグナリングまたは物理レイヤのシグナリングを使用することによって第１の伝送表示情報をＵＥへ送信し得る。任意選択で、基地局は、レイヤ１（Ｌａｙｅｒ  １）シグナリングを使用することによって第１の伝送表示情報を送信し得る。
【０２２９】
本発明のこの実施形態において提供されているアップリンク情報送信方式においては、基地局は、第１のアップリンク情報を送信するために好ましいリソースをＵＥに割り当て得る。好ましいリソースは、キャリアコリジョンを低減または回避するために、およびＵＥの処理効率上のキャリアコリジョンのインパクトを低減するために使用されることが可能である。
【０２３０】
図４は、本発明の実施形態によるアップリンク情報送信方法の実施形態４のフローチャートである。
【０２３１】
図１において示されている方法に基づいて、本発明のこの実施形態は、下記のステップを含み得る。
【０２３２】
Ｓ１０１において基地局によってＵＥへ送信される第１の伝送表示情報は、第１のリソースを含み得、第１のリソースは、ＵＥが第１のアップリンク情報を送信するサブフレームおよび／もしくはサブフレームグループ、ならびに／または、ＵＥが第１のアップリンク情報を送信するキャリアおよび／もしくはキャリアグループを示すために使用される。加えて、Ｓ１０１において基地局によってＵＥへ送信される第２の伝送表示情報は、
第２の優先度を含み得、第２の優先度は、第１のリソースが、事前設定されている優先リソースセットに属する場合に、第１のリソースを使用することによって第１のアップリンク情報を送信するようにＵＥに指示するために使用され、優先リソースセットは、第１のアップリンク情報の優先度が第２のアップリンク情報の優先度よりも高いサブフレームおよび／もしくはサブフレームグループ、ならびに／または、キャリアおよび／もしくはキャリアグループを含む。
【０２３３】
次いでＳ１０２は、下記のステップを含み得る。
【０２３４】
Ｓ４０１：  第１のリソースが、事前設定されている優先リソースセットに属する場合には、ＵＥは、第１のリソースを使用することによって第１のアップリンク情報を送信する。
【０２３５】
好ましくは、第１のリソースは、事前設定されている優先リソースセットに属する。優先リソースセットは、第１のアップリンク情報の優先度が第２のアップリンク情報の優先度よりも高いサブフレームおよび／もしくはサブフレームグループ、ならびに／または、第１のアップリンク情報の優先度が第２のアップリンク情報の優先度よりも高いキャリアおよび／もしくはキャリアグループを含む。
【０２３６】
好ましくは、第１のリソース、および第２のアップリンク情報によって使用されるリソースは、キャリアコリジョン回避条件を満たし、キャリアコリジョン回避条件は、同じサブフレームにおける、第１のアップリンク情報および第２のアップリンク情報によって使用されるキャリアの総量が、ＵＥのアップリンクキャリアアグリゲーション能力に満たないことである。
【０２３７】
第２のアップリンク情報によって使用されるリソースは、事前に構成されており、第２のアップリンク情報は、ＰＵＣＣＨ情報、ＰＵＳＣＨ情報、またはＰＲＡＣＨ情報を含むということに留意されたい。
【０２３８】
任意選択で、基地局は、より高いレイヤのシグナリングまたは物理レイヤのシグナリングを使用することによって第１の伝送表示情報をＵＥへ送信し得る。任意選択で、基地局は、レイヤ１（Ｌａｙｅｒ  １）シグナリングを使用することによって第１の伝送表示情報を送信し得る。
【０２３９】
本発明のこの実施形態において提供されているアップリンク情報送信方式においては、基地局は、好ましいリソース上で第１のアップリンク信号がより高い優先度を有しているということをＵＥに示し得、ＵＥは、第１のアップリンク信号を送信すべきか、または第２のアップリンク信号を送信すべきかを迅速に決定し得、それによって、ＵＥの処理効率上のキャリアコリジョンのインパクトを低減する。
【０２４０】
図５は、本発明の実施形態によるアップリンク情報送信方法の実施形態５のフローチャートである。
【０２４１】
図１において示されている方法に基づいて、本発明のこの実施形態は、下記のステップを含み得る。
【０２４２】
Ｓ１０１においては、基地局は、第１の伝送表示情報をＵＥへ送信し、第１の伝送表示情報は、
第３のリソースを含み得、第３のリソースは、ＵＥによって第１のアップリンク情報を送信するために使用される時間ドメインリソース、周波数ドメインリソース、および／もしくは空間ドメインリソースを示すために使用され、ならびに／または
Ｓ１０１においては、基地局は、第２の伝送表示情報をＵＥへ送信し、第２の伝送表示情報は、
第４のリソースを含み、第４のリソースは、ＵＥによって第２のアップリンク情報を送信するために使用される時間ドメインリソース、周波数ドメインリソース、および／もしくは空間ドメインリソースを示すために使用される。
【０２４３】
次いでＳ１０２は、Ｓ５０１および／またはＳ５０２を含み得る。
【０２４４】
Ｓ５０１：  ＵＥは、第３のリソースに基づいて第１のアップリンク情報および／または第２のアップリンク情報を送信する。
【０２４５】
ＵＥは、第３のリソース上で第１のアップリンク情報を送信し、第３のリソースとのキャリアコリジョンに陥っているキャリアの対応する時間ドメインリソース上で第２のアップリンク情報を送信しない。第３のリソースとのキャリアコリジョンに陥っているキャリアの対応する時間ドメインリソースは、第３のリソースの時間ドメインリソースと同じである。
【０２４６】
Ｓ５０２：  ＵＥは、第４のリソースに基づいて第１のアップリンク情報および／または第２のアップリンク情報を送信する。
【０２４７】
ＵＥは、第４のリソース上で第２のアップリンク情報を送信し、第４のリソースとのキャリアコリジョンに陥っているキャリアの対応する時間ドメインリソース上で第１のアップリンク情報を送信する。第４のリソースとのキャリアコリジョンに陥っているキャリアの対応する時間ドメインリソースは、第４のリソースの時間ドメインリソースとは異なる。
【０２４８】
第２のアップリンクデータを送信するために第３のリソースおよび／または第４のリソースに基づいてＵＥによって決定される時間ドメインリソース、周波数ドメインリソース、および／または空間ドメインリソースは、利用可能な部分のみを含む、すなわち、第１のアップリンクデータの時間ドメインリソース、周波数ドメインリソース、および／または空間ドメインリソースとのキャリアコリジョンに陥らないということに留意されたい。
【０２４９】
好ましくは、アップリンクキャリアスイッチングの遅延を考慮して、第１のアップリンクデータによって使用される時間ドメインリソースおよび／または周波数ドメインリソースは、いくつかのＯＦＤＭシンボルを含み得、第２のアップリンクデータによって使用される時間ドメインリソースおよび／または周波数ドメインリソースにおけるミューティングエリアは、第１のアップリンクデータによって使用される時間ドメインリソースおよび／または周波数ドメインリソースを超え得る。
【０２５０】
任意選択で、第１のアップリンク情報によって使用される時間ドメインリソースは、第１のアップリンク情報によって占められるサブフレームのロケーション情報、直交周波数分割多重ＯＦＤＭロケーション情報、循環シフト情報、およびＳＲＳ送信サブフレームオフセットのうちの少なくとも１つを含み得る。
【０２５１】
任意選択で、第２のアップリンク情報によって使用される時間ドメインリソースは、ミューティングエリアを含み、かつ第２のアップリンク情報を送信するために使用される物理リソースブロックＰＲＢの時間ドメインロケーション、および／またはミューティングエリアの時間ドメインロケーションを含む。ミューティングエリアの時間ドメインロケーションは、ミューティングエリアの開始時点および終了時点を含む。
【０２５２】
任意選択で、第１のアップリンク情報の周波数ドメインリソースは、第１のアップリンク情報によって占められる周波数ドメインリソースのロケーション情報、第１のアップリンク情報によって占められるキャリアの情報、帯域幅情報、および周波数ホッピング構成のうちの少なくとも１つを含む。
【０２５３】
任意選択で、第２のアップリンク情報の周波数ドメインリソースは、ミューティングエリアを含み、かつ第２のアップリンク情報を送信するために使用されるＰＲＢの周波数ドメインロケーション、および／またはミューティングエリアの周波数ドメインロケーションを含む。
【０２５４】
任意選択で、空間ドメインリソースは、ポート情報である。
【０２５５】
Ｓ１０１において基地局によってＵＥへ送信される第１の伝送表示メッセージが第３のリソースを含む場合には、Ｓ１０２は、Ｓ５０１を含み得、Ｓ１０２において基地局によってＵＥへ送信される第２の伝送表示メッセージが第４のリソースを含む場合には、Ｓ１０２は、Ｓ５０２を含み得、またはＳ１０１において基地局によってＵＥへ送信される第１の伝送表示メッセージが第３のリソースを含み、かつ第２の伝送表示メッセージが第４のリソースを含む場合には、Ｓ１０２は、Ｓ５０１またはＳ５０２のうちの少なくとも１つを含み得るということにさらに留意されたい。
【０２５６】
この実施形態においては、任意選択で、第１の伝送表示情報が第３のリソースを含む場合には、基地局は、第１のアップリンク情報の通知シグナリングを使用することによって第１の伝送表示情報を送信し得、または基地局は、第２のアップリンク情報の通知シグナリングを使用することによって第１の伝送表示情報を送信する。
【０２５７】
任意選択で、第２の伝送表示情報が第４のリソースを含む場合には、基地局は、第２のアップリンク情報の通知シグナリングを使用することによって第２の伝送表示情報を送信し得、または基地局は、第１のアップリンク情報の通知シグナリングを使用することによって第２の伝送表示情報を送信する。
【０２５８】
たとえば、第１のアップリンク情報がＳＲＳであり、第２のアップリンク情報がＰＵＳＣＨであり、第１の伝送表示情報が、ＳＲＳを送信するための第３のリソースを含む場合には、基地局は、ＳＲＳの通知シグナリングにおいて、ＳＲＳを送信するための第３のリソースを示し得、ＵＥは、第３のリソースに基づいて、ＳＲＳを送信するために使用される時間ドメインリソース、周波数ドメインリソース、および／または空間ドメインリソースを決定し得、第３のリソースに基づいて、ＰＵＳＣＨを送信するために使用される時間ドメインリソース、周波数ドメインリソース、および／または空間ドメインリソースを決定し得る。具体的には、ＵＥは、ＰＵＳＣＨのキャリア上で、第３のリソースの時間ドメインリソースと同じである時間ドメインリソース上ではＰＵＳＣＨを送信しない。
【０２５９】
図６を参照すると、図６は、図５において示されているアップリンク情報送信方法の実施形態３におけるキャリアスイッチングの概略図である。任意選択の実装は、ＵＥが、キャリアコリジョンに陥り得るサブフレームのＰＵＳＣＨキャリア上でミューティングエリアスイッチングを開始し得ることである。ＳＲＳを送信するためのものである、第３のリソースによって示される開始時点において、ＵＥは、ＰＵＳＣＨが配置されているキャリア上でデータを送信することを停止し、ＳＲＳのキャリア上でＳＲＳを送信することを開始し、終了時点において、ＳＲＳが配置されているキャリア上でＳＲＳを送信することを停止し、ＰＵＳＣＨが配置されているキャリア上でデータを送信することを再開する。これは、ＵＥによってサポートされるアップリンクキャリアが切り替えられることと同等である。ＰＵＳＣＨが配置されているキャリアは、切り替え元のキャリアであり、ＳＲＳが配置されているキャリアは、切り替え先のキャリアである。
【０２６０】
好ましくは、ミューティングエリアの時間ドメインロケーションは、アップリンクパイロットタイムスロットＵｐＰＴＳ物理チャネル内にある。
【０２６１】
本発明のこの実施形態において提供されている方法は、サブフレームにおいて、ＵＥが、別々のタイムピリオドにおいて、ＵＥのアップリンクキャリアアグリゲーション能力を超えないことを保持し、それによってＵＥが、必要とされているキャリア上で第１のアップリンク情報および第２のアップリンク情報を送信することができるということと同等である。
【０２６２】
別の例に関しては、第１のアップリンク情報がＳＲＳであり、第２のアップリンク情報がＰＵＳＣＨであり、第１の伝送表示情報が、ＳＲＳを送信するための第３のリソースを含む場合には、基地局は、ＳＲＳの通知シグナリングにおいて、ＳＲＳを送信するための第３のリソースを示し得、またはＰＵＳＣＨの通知シグナリングにおいて、ＳＲＳを送信するための第３のリソースを示し得る。クロスキャリアスケジューリングのケースにおいては、すなわち、第１のアップリンク情報を送信するための第３のリソースが、第２のアップリンク情報の通知シグナリングにおいて示される場合には、第１の伝送表示情報は、第１のアップリンク情報のキャリア識別子をさらに含み得る。同様に、第２のアップリンク情報を送信するための第４のリソースが、第１のアップリンク情報の通知シグナリングにおいて示される場合には、第２の伝送表示情報は、第２のアップリンク情報のキャリア識別子をさらに含み得る。
【０２６３】
任意選択で、第１のアップリンク情報の通知シグナリングおよび第２のアップリンク情報の通知シグナリングを構成する方式は、準静的な構成、動的な構成などであり得る。
【０２６４】
通知シグナリングを構成する方式が準静的な構成である場合には、基地局は、ブロードキャストメッセージを使用することによって第１の伝送表示情報および／または第２の伝送表示情報を通知し得る。
【０２６５】
通知シグナリングを構成する方式が動的な構成である場合には、基地局は、次のシグナリング、すなわち、個別シグナリング、より高いレイヤのシグナリング、ＭＡＣシグナリング、および物理レイヤのシグナリングのうちの少なくとも１つを使用することによって第１の伝送表示情報および／または第２の伝送表示情報を通知する。個別シグナリングは、物理レイヤのシグナリングまたはより高いレイヤのシグナリングであり得る。
【０２６６】
任意選択で、通知シグナリングを構成する方式が動的な構成である場合には、基地局は、拡張されたアップリンクグラントシグナリングまたはアップリンクスケジューリングシグナリングを使用することによって第１の伝送表示情報および／または第２の伝送表示情報をＵＥへ送信し得る。アップリンクグラントシグナリングまたはアップリンクスケジューリングシグナリングは、第１の伝送表示情報および／または第２の伝送表示情報を送信するために使用される拡張ビットを含む。
【０２６７】
任意選択で、基地局は、拡張されたダウンリンク制御情報ＤＣＩを使用することによって第１の伝送表示情報および／または第２の伝送表示情報をＵＥへ送信し得る。拡張されたＤＣＩは、ＤＣＩ５など、新たに定義されたＤＣＩタイプを含む。新たに定義されたＤＣＩタイプは、ミューティングエリアを含む物理リソースブロックＰＲＢを使用することによって第２のアップリンク情報を送信するように指示するために使用される。ミューティングエリアの時間ドメインリソースは、ミューティングエリアの開始時点および終了時点を含む。ＤＣＩは、新たなＰＲＢフォーマットをアクティブ化するために使用され、基地局は、新たなＰＲＢを使用することによってＰＵＳＣＨまたはＰＵＣＣＨを送信するように、ＤＣＩを使用することによってＵＥに指示し得る。
【０２６８】
任意選択で、第２のアップリンク情報がＰＵＣＣＨを含む場合には、第２のアップリンク情報の通知シグナリングを構成する方式は、準静的な構成であり、基地局は、第２のアップリンク情報の通知シグナリングにおいて第１の伝送表示情報を示す。
【０２６９】
本発明のこの実施形態において提供されているアップリンク情報送信方法によれば、アップリンクＳＲＳを使用することによってアップリンクチャネル品質が測定され、チャネル間における区別に基づいてダウンリンクチャネル情報が入手されて、ダウンリンクスケジューリングおよび伝送を実行するということにさらに留意されたい。したがって、チャネル間における区別は、ＴＤＤ（時分割複信）キャリア上で効果的に利用される。特に、ＵＥのキャリアアグリゲーション能力が３２個のキャリアへ改善され、ほとんどのコンポーネントキャリア（ｃｏｍｐｏｎｅｎｔ  ｃａｒｒｉｅｒ、略してＣＣ）がＴＤＤキャリアであり、ＳＲＳに関してキャリアスイッチングが実行されるか、または基地局によって示されるその他のアップリンク情報が、より多くのアップリンクキャリア上で送信される必要がある場合には、キャリアコリジョンの確率が大幅に増加する。本発明のこの実施形態において提供されているアップリンク信号送信方法によれば、アップリンク伝送リソースが十分に利用されることが可能であり、キャリアコリジョンが回避され、ＵＥ上のキャリアコリジョンのインパクトが低減され、ＵＥの処理効率が改善される。
【０２７０】
本発明のこの実施形態は、図１から図６において示されている方法に基づいて任意選択の実装をさらに提供するということに留意されたい。この実装においては、第１のアップリンク情報は、送信するように基地局がＵＥに指示する少なくとも２片のアップリンク情報を含む。たとえば、ＵＥは、少なくとも２つのキャリア上でＳＲＳを送信する。次いで基地局は、送信するように基地局がＵＥに指示するそれぞれのアップリンク情報に関して、図１から図６において示されているいずれかのアップリンク情報送信方法を使用し得、それによってＵＥは、ＵＥの挙動を決定する。基地局は、アップリンク情報のうちの１つの表示情報において、それぞれのアップリンク情報に対応している第１の伝送表示情報および／もしくは第２の伝送表示情報を送信し得、または異なるアップリンク情報の表示情報において、それぞれのアップリンク情報に対応している第１の伝送表示情報および／もしくは第２の伝送表示情報を送信し得る。
【０２７１】
図７は、本発明の実施形態によるアップリンク情報送信装置の実施形態１の概略構造図である。
【０２７２】
本発明において提供されているアップリンク情報送信装置は、基地局側に配置され得る。図７において示されているように、本発明のこの実施形態におけるアップリンク情報送信装置７００は、
第１のアップリンク情報の第１の伝送表示情報、および第２の伝送表示情報のうちの少なくとも１つをユーザ機器ＵＥへ送信するように構成されている送信モジュール７０１を含み得る。
【０２７３】
第１の伝送表示情報は、第１のアップリンク情報を送信するように基地局がＵＥに指示するサブフレームおよび／またはキャリアを含む。
【０２７４】
第１の伝送表示情報および／または第２の伝送表示情報は、コリジョンが発生した場合のＵＥの挙動を示すために使用される。
【０２７５】
コリジョンは、第１のアップリンク情報の、基地局によって示されるサブフレームにおいて、第１のアップリンク情報のキャリアと、ＵＥによって送信される必要がある第２のアップリンク情報によって使用されるキャリアとの総量が、ＵＥのアップリンクキャリアアグリゲーション能力を超えることを意味するということに留意されたい。
【０２７６】
任意選択で、第１のアップリンク情報は、サウンディング参照信号ＳＲＳ、プリアンブルＰｒｅａｍｂｌｅ、またはシーケンスＳｅｑｕｅｎｃｅである。
【０２７７】
任意選択で、第１のアップリンク情報は、周期的な第１のアップリンク情報または非周期的な第１のアップリンク情報である。
【０２７８】
任意選択で、第２のアップリンク情報は、物理アップリンク制御チャネルＰＵＣＣＨ、物理アップリンク共有チャネルＰＵＳＣＨ、物理ランダムアクセスチャネルＰＲＡＣＨ、または前述のチャネルに対応する情報である。
【０２７９】
アップリンク情報送信装置７００の前述の実装に基づいて、本発明のこの実施形態は、アップリンク情報送信装置７００の任意選択の実装をさらに提供する。
【０２８０】
第２の伝送表示情報は、第１の優先度ルールを含み得、第１の優先度ルールは、第１のアップリンク情報の優先度、および第２のアップリンク情報の優先度を含む。
【０２８１】
第１の優先度ルールは、第１の優先度ルールに基づいて、第１のアップリンク情報および第２のアップリンク情報からより高い優先度のデータを決定するように、ならびにより高い優先度のデータを送信するようにＵＥに指示するために使用され得るということに留意されたい。
【０２８２】
任意選択で、第１の優先度ルールは、第１のアップリンク情報および第２のアップリンク情報におけるより高い優先度のデータが第２のアップリンク情報である場合にさらに使用され得、第１の優先度ルールは、第１のアップリンク情報を破棄するようにＵＥに指示するためにさらに使用される。
【０２８３】
任意選択で、本発明のこの実施形態における第１の優先度の実装は、図２において示されている第１の優先度の実装と同じである。詳細がここで再び記述されることはない。
【０２８４】
アップリンク情報送信装置７００の前述の実装に基づいて、本発明のこの実施形態は、アップリンク情報送信装置７００の別の任意選択の実装をさらに提供する。
【０２８５】
第１のケースにおいては、
第１の伝送表示情報は、第１のリソースを含み得、第１のリソースは、ＵＥが第１のアップリンク情報を送信するサブフレームおよび／もしくはサブフレームグループ、ならびに／または、ＵＥが第１のアップリンク情報を送信するキャリアおよび／もしくはキャリアグループを示すために使用される。
【０２８６】
第２の伝送表示情報は、第２の優先度を含み、第２の優先度は、第１のリソースが、事前設定されている優先リソースセットに属する場合に、第１のリソースを使用することによって第１のアップリンク情報を送信するようにＵＥに指示するために使用される。優先リソースセットは、第１のアップリンク情報の優先度が第２のアップリンク情報の優先度よりも高いサブフレームおよび／もしくはサブフレームグループ、ならびに／または、キャリアおよび／もしくはキャリアグループを含む。
【０２８７】
代替として、第２のケースにおいては、第１の伝送表示情報は、第１のリソースを含み得、第１のリソースは、ＵＥが第１のアップリンク情報を送信するサブフレームおよび／もしくはサブフレームグループ、ならびに／または、ＵＥが第１のアップリンク情報を送信するキャリアおよび／もしくはキャリアグループを示すために使用される。
【０２８８】
好ましくは、第２のケースにおいては、第１のリソースは、事前設定されている優先リソースセットに属し得る。優先リソースセットは、第１のアップリンク情報の優先度が第２のアップリンク情報の優先度よりも高いサブフレームおよび／もしくはサブフレームグループ、ならびに／または、キャリアおよび／もしくはキャリアグループを含む。
【０２８９】
任意選択で、第１のリソース、および第２のアップリンク情報によって使用されるリソースは、コリジョン回避条件を満たす。コリジョン回避条件は、同じサブフレームにおける、第１のアップリンク情報および第２のアップリンク情報によって使用されるキャリアの総量が、ＵＥのアップリンクキャリアアグリゲーション能力に満たないことである。
【０２９０】
第２のアップリンク情報によって使用されるリソースは、事前に構成されており、第２のアップリンク情報は、ＰＵＣＣＨ情報、ＰＵＳＣＨ情報、またはＰＲＡＣＨ情報を含むということに留意されたい。
【０２９１】
任意選択で、送信モジュールは、より高いレイヤのシグナリングまたは物理レイヤのシグナリングを使用することによって第１の伝送表示情報をＵＥへ送信するように構成されている。
【０２９２】
図７において示されているアップリンク情報送信装置７００の実装に基づいて、本発明のこの実施形態は、アップリンク情報送信装置７００のさらに別の任意選択の実装をさらに提供する。
【０２９３】
第１の伝送表示情報は、
第３のリソースを含み、第３のリソースは、ＵＥによって第１のアップリンク情報を送信するために使用される時間ドメインリソース、周波数ドメインリソース、および／または空間ドメインリソースを示すために使用される。
【０２９４】
任意選択で、第２の伝送表示情報は、
第４のリソースを含み、第４のリソースは、ＵＥによって第２のアップリンク情報を送信するために使用される時間ドメインリソース、周波数ドメインリソース、および／または空間ドメインリソースを示すために使用される。
【０２９５】
任意選択で、第１のアップリンク情報によって使用される時間ドメインリソースは、第１のアップリンク情報によって占められるサブフレームのロケーション情報、直交周波数分割多重ＯＦＤＭロケーション情報、循環シフト情報、およびＳＲＳ送信サブフレームオフセットのうちの少なくとも１つを含む。
【０２９６】
任意選択で、第２のアップリンク情報によって使用される時間ドメインリソースは、ミューティングエリアを含みかつ第２のアップリンク情報を送信するために使用される物理リソースブロックＰＲＢの時間ドメインロケーション、および／またはミューティングエリアの時間ドメインロケーションを含む。
【０２９７】
任意選択で、ミューティングエリアの時間ドメインロケーションは、アップリンクパイロットタイムスロットＵｐＰＴＳ物理チャネル内にある。
【０２９８】
任意選択で、ミューティングエリアの時間ドメインロケーションは、ミューティングエリアの開始時点および終了時点を含む。
【０２９９】
任意選択で、第１のアップリンク情報の周波数ドメインリソースは、第１のアップリンク情報によって占められる周波数ドメインリソースのロケーション情報、第１のアップリンク情報によって占められるキャリアの情報、帯域幅情報、および周波数ホッピング構成のうちの少なくとも１つを含む。
【０３００】
任意選択で、第２のアップリンク情報の周波数ドメインリソースは、ミューティングエリアを含みかつ第２のアップリンク情報を送信するために使用されるＰＲＢの周波数ドメインロケーション、および／またはミューティングエリアの周波数ドメインロケーションを含む。
【０３０１】
任意選択で、空間ドメインリソースは、ポート情報である。
【０３０２】
任意選択で、第１の伝送表示情報が第３のリソースを含む場合には、送信モジュールは、第１のアップリンク情報の通知シグナリングを使用することによって第１の伝送表示情報を送信するように構成されており、または送信モジュールは、第２のアップリンク情報の通知シグナリングを使用することによって第１の伝送表示情報を送信するように構成されている。
【０３０３】
任意選択で、第２の伝送表示情報が第４のリソースを含む場合には、送信モジュールは、第２のアップリンク情報の通知シグナリングを使用することによって第２の伝送表示情報を送信するように構成されており、または送信モジュールは、第１のアップリンク情報の通知シグナリングを使用することによって第２の伝送表示情報を送信するように構成されている。
【０３０４】
任意選択で、第１のアップリンク情報の通知シグナリングを構成する方式は、準静的な構成であり、送信モジュールは、ブロードキャストメッセージを使用することによって第１の伝送表示情報および／もしくは第２の伝送表示情報を通知するように構成されており、または
第１のアップリンク情報の通知シグナリングを構成する方式は、動的な構成であり、送信モジュールは、次のシグナリング、すなわち、個別シグナリング、より高いレイヤのシグナリング、ＭＡＣシグナリング、および物理レイヤのシグナリングのうちの少なくとも１つを使用することによって第１の伝送表示情報および／もしくは第２の伝送表示情報を通知するように構成されている。
【０３０５】
任意選択で、第２のアップリンク情報の通知シグナリングを構成する方式は、準静的な構成であり、送信モジュールは、ブロードキャストメッセージを使用することによって第１の伝送表示情報および／もしくは第２の伝送表示情報を通知するように構成されており、または
第２のアップリンク情報の通知シグナリングを構成する方式は、動的な構成であり、送信モジュールは、次のシグナリング、すなわち、個別シグナリング、より高いレイヤのシグナリング、ＭＡＣシグナリング、および物理レイヤのシグナリングのうちの少なくとも１つを使用することによって第１の伝送表示情報および／もしくは第２の伝送表示情報を通知するように構成されている。
【０３０６】
任意選択で、第１のアップリンク情報の通知シグナリングを構成する方式が動的な構成である場合には、送信モジュールは、拡張されたアップリンクグラントシグナリングまたはアップリンクスケジューリングシグナリングを使用することによって第１の伝送表示情報および／または第２の伝送表示情報をＵＥへ送信するように構成されている。
【０３０７】
任意選択で、送信モジュールは、拡張されたダウンリンク制御情報ＤＣＩを使用することによって第１の伝送表示情報および／または第２の伝送表示情報をＵＥへ送信するように構成されている。任意選択で、ＤＣＩのタイプは、ミューティングエリアを含む物理リソースブロックＰＲＢを使用することによって第２のアップリンク情報を送信するように指示するために使用される。
【０３０８】
任意選択で、第２のアップリンク情報は、ＰＵＣＣＨを含む。送信モジュールは、第２のアップリンク情報の通知シグナリングにおいて、第１の伝送表示情報を示すように構成されている。第２のアップリンク情報の通知シグナリングを構成する方式は、準静的な構成である。
【０３０９】
任意選択で、第１の伝送表示情報は、第１のアップリンク情報のキャリア識別子を含み、および／または第２の伝送表示情報は、第２のアップリンク情報のキャリア識別子を含む。
【０３１０】
図８は、本発明の実施形態による別のアップリンク情報送信装置の実施形態１の概略構造図である。
【０３１１】
本発明において提供されているアップリンク情報送信装置は、ＵＥ側に配置され得る。図７において示されているように、本発明のこの実施形態におけるアップリンク情報送信装置８００は、
基地局によって送信される第１のアップリンク情報の第１の伝送表示情報、および／または第２の伝送表示情報のうちの少なくとも１つを受信するように構成されている受信モジュール８０１であって、第１の伝送表示情報は、第１のアップリンク情報を送信するように基地局がユーザ機器ＵＥに指示するサブフレームおよび／またはキャリアを含む、受信モジュール８０１と、
第１の伝送表示情報および／または第２の伝送表示情報に基づいて、コリジョンが発生した場合のＵＥの挙動を決定するように構成されている処理モジュール８０２とを含み得る。
【０３１２】
コリジョンは、第１のアップリンク情報の、基地局によって示されるサブフレームにおいて、第１のアップリンク情報のキャリアと、ＵＥによって送信される必要がある第２のアップリンク情報によって使用されるキャリアとの総量が、ＵＥのアップリンクキャリアアグリゲーション能力を超えることを意味する。
【０３１３】
第１のアップリンク情報は、サウンディング参照信号ＳＲＳ、プリアンブルＰｒｅａｍｂｌｅ、またはシーケンスＳｅｑｕｅｎｃｅであり得るということに留意されたい。第１のアップリンク情報は、周期的な第１のアップリンク情報または非周期的な第１のアップリンク情報であり得る。第２のアップリンク情報は、物理アップリンク制御チャネルＰＵＣＣＨ、物理アップリンク共有チャネルＰＵＳＣＨ、物理ランダムアクセスチャネルＰＲＡＣＨ、または前述のチャネルに対応する情報であり得る。
【０３１４】
図９は、本発明の実施形態による別のアップリンク情報送信装置の実施形態２の概略構造図である。
【０３１５】
アップリンク情報送信装置８００の前述の実装に基づいて、本発明のこの実施形態においては、アップリンク情報送信装置８００は、伝送モジュール８０３をさらに含む。
【０３１６】
本発明のこの実施形態は、アップリンク情報送信装置８００のいくつかの任意選択の実装を含む。
【０３１７】
アップリンク情報送信装置８００の第１の任意選択の実装においては、第２の伝送表示情報は、第１の優先度ルールを含み、第１の優先度ルールは、第１のアップリンク情報の優先度、および第２のアップリンク情報の優先度を含む。
【０３１８】
次いで伝送モジュール８０３は、より高い優先度のデータを送信するように構成されており、より高い優先度のデータは、第１の優先度ルールに基づいて第１のアップリンク情報および第２のアップリンク情報から決定される。
【０３１９】
任意選択で、処理モジュールは、第１のアップリンク情報を破棄するようにさらに構成されており、ここで、第１のアップリンク情報および第２のアップリンク情報におけるより高い優先度のデータは、第２のアップリンク情報である。
【０３２０】
任意選択で、本発明のこの実施形態における第１の優先度の実装は、図２において示されている第１の優先度の実装と同じである。詳細がここで再び記述されることはない。
【０３２１】
アップリンク情報送信装置８００の第２の任意選択の実装は、２つのケースを含む。
【０３２２】
アップリンク情報送信装置８００の第２の任意選択の実装の第１のケースにおいては、第２の伝送表示情報は、第１のリソースを含み、第１のリソースは、ＵＥが第１のアップリンク情報を送信するサブフレームおよび／もしくはサブフレームグループ、ならびに／または、ＵＥが第１のアップリンク情報を送信するキャリアおよび／もしくはキャリアグループを示すために使用される。
【０３２３】
第２の伝送表示情報は、第２の優先度を含み、第２の優先度は、事前設定されている優先リソースセットを示すために使用され、第１のリソースは、事前設定されている優先リソースセットに属する。
【０３２４】
伝送モジュールは、第１のリソースを使用することによって第１のアップリンク情報を送信するようにさらに構成されている。
【０３２５】
アップリンク情報送信装置８００の第２の任意選択の実装の第２のケースにおいては、第１の伝送表示情報は、
第１のリソースを含み、第１のリソースは、ＵＥが第１のアップリンク情報を送信するサブフレームおよび／もしくはサブフレームグループ、ならびに／または、ＵＥが第１のアップリンク情報を送信するキャリアおよび／もしくはキャリアグループを示すために使用される。
【０３２６】
伝送モジュールは、第１のリソースを使用することによって第１のアップリンク情報を送信するようにさらに構成されている。
【０３２７】
任意選択で、第２のケースに基づいて、第１のリソースは、事前設定されている優先リソースセットに属する。優先リソースセットは、第１のアップリンク情報の優先度が第２のアップリンク情報の優先度よりも高いサブフレームおよび／もしくはサブフレームグループ、ならびに／または、キャリアおよび／もしくはキャリアグループを含む。
【０３２８】
好ましくは、第１のリソース、および第２のアップリンク情報によって使用されるリソースは、キャリアコリジョン回避条件を満たし、キャリアコリジョン回避条件は、同じサブフレームにおける、第１のアップリンク情報および第２のアップリンク情報によって使用されるキャリアの総量が、ＵＥのアップリンクキャリアアグリゲーション能力に満たないことである。
【０３２９】
第２のアップリンク情報によって使用されるリソースは、事前に構成されており、第２のアップリンク情報は、ＰＵＣＣＨ情報、ＰＵＳＣＨ情報、またはＰＲＡＣＨ情報を含むということに留意されたい。
【０３３０】
任意選択で、受信モジュールは、より高いレイヤのシグナリングまたは物理レイヤのシグナリングを使用することによってＵＥについて、基地局によって送信された第１の伝送表示情報を受信するようにさらに構成されている。
【０３３１】
アップリンク情報送信装置８００の第３の任意選択の実装においては、第１の伝送表示情報は、第３のリソースを含み、第３のリソースは、ＵＥによって第１のアップリンク情報を送信するために使用される時間ドメインリソース、周波数ドメインリソース、および／もしくは空間ドメインリソースを示すために使用され、伝送モジュールは、第３のリソースに基づいて第１のアップリンク情報および／もしくは第２のアップリンク情報を送信するように構成されており、ならびに／または
第２の伝送表示情報は、第４のリソースを含み、第４のリソースは、ＵＥによって第２のアップリンク情報を送信するために使用される時間ドメインリソース、周波数ドメインリソース、および／もしくは空間ドメインリソースを示すために使用され、伝送モジュールは、第４のリソースに基づいて第１のアップリンク情報および／もしくは第２のアップリンク情報を送信するように構成されている。
【０３３２】
任意選択で、伝送モジュールは、第３のリソース上で第１のアップリンク情報を送信し、第３のリソースとのキャリアコリジョンに陥っているキャリアの対応する時間ドメインリソース上で第２のアップリンク情報を送信することをスキップするように構成されており、第３のリソースとのキャリアコリジョンに陥っているキャリアの対応する時間ドメインリソースは、第３のリソースの時間ドメインリソースと同じであり、および／または、伝送モジュールは、第４のリソース上で第２のアップリンク情報を送信し、第４のリソースとのキャリアコリジョンに陥っているキャリアの対応する時間ドメインリソース上で第１のアップリンク情報を送信するように構成されており、第４のリソースとのキャリアコリジョンに陥っているキャリアの対応する時間ドメインリソースは、第４のリソースの時間ドメインリソースとは異なる。
【０３３３】
任意選択で、第１のアップリンク情報によって使用される時間ドメインリソースは、第１のアップリンク情報によって占められるサブフレームのロケーション情報、直交周波数分割多重ＯＦＤＭロケーション情報、循環シフト情報、およびＳＲＳ送信サブフレームオフセットのうちの少なくとも１つを含む。
【０３３４】
任意選択で、第２のアップリンク情報によって使用される時間ドメインリソースは、ミューティングエリアを含みかつ第２のアップリンク情報を送信するために使用される物理リソースブロックＰＲＢの時間ドメインロケーション、および／またはミューティングエリアの時間ドメインロケーションを含み、
伝送モジュールは、ミューティングエリアを含みかつ第２のアップリンク情報を送信するために使用されるＰＲＢの時間ドメインロケーションにおいて第２のアップリンク情報を送信することをスキップするように構成されている。
【０３３５】
任意選択で、ミューティングエリアの時間ドメインロケーションは、ミューティングエリアの開始時点および終了時点を含む。
【０３３６】
任意選択で、第１のアップリンク情報の周波数ドメインリソースは、第１のアップリンク情報によって占められる周波数ドメインリソースのロケーション情報、第１のアップリンク情報によって占められるキャリアの情報、帯域幅情報、および周波数ホッピング構成のうちの少なくとも１つを含む。
【０３３７】
任意選択で、第２のアップリンク情報の周波数ドメインリソースは、ミューティングエリアを含みかつ第２のアップリンク情報を送信するために使用されるＰＲＢの周波数ドメインロケーション、および／またはミューティングエリアの周波数ドメインロケーションを含む。
【０３３８】
任意選択で、空間ドメインリソースは、ポート情報である。
【０３３９】
任意選択で、第１の伝送表示情報が第３のリソースを含む場合には、受信モジュールは、第１のアップリンク情報の通知シグナリングを使用することによって第１の伝送表示情報を受信するように構成されており、または受信モジュールは、第２のアップリンク情報の通知シグナリングを使用することによって第１の伝送表示情報を受信するように構成されている。
【０３４０】
任意選択で、第２の伝送表示情報が第４のリソースを含む場合には、受信モジュールは、第２のアップリンク情報の通知シグナリングを使用することによって第２の伝送表示情報を受信するように構成されており、または受信モジュールは、第１のアップリンク情報の通知シグナリングを使用することによって第２の伝送表示情報を受信するように構成されている。
【０３４１】
任意選択で、第１のアップリンク情報の通知シグナリングを構成する方式は、準静的な構成であり、受信モジュールは、ブロードキャストメッセージを使用することによって第１の伝送表示情報および／もしくは第２の伝送表示情報を受信するように構成されており、または第１のアップリンク情報の通知シグナリングを構成する方式は、動的な構成であり、受信モジュールは、次のシグナリング、すなわち、個別シグナリング、より高いレイヤのシグナリング、ＭＡＣシグナリング、および物理レイヤのシグナリングのうちの少なくとも１つを使用することによって第１の伝送表示情報および／もしくは第２の伝送表示情報を受信するように構成されている。
【０３４２】
任意選択で、第２のアップリンク情報の通知シグナリングを構成する方式は、準静的な構成であり、受信モジュールは、ブロードキャストメッセージを使用することによって第１の伝送表示情報および／もしくは第２の伝送表示情報を受信するように構成されており、または第２のアップリンク情報の通知シグナリングを構成する方式は、動的な構成であり、受信モジュールは、次のシグナリング、すなわち、個別シグナリング、より高いレイヤのシグナリング、ＭＡＣシグナリング、および物理レイヤのシグナリングのうちの少なくとも１つを使用することによって第１の伝送表示情報および／もしくは第２の伝送表示情報を受信するように構成されている。
【０３４３】
任意選択で、第１のアップリンク情報の通知シグナリングを構成する方式が動的な構成である場合には、受信モジュールは、アップリンクグラントシグナリングまたはアップリンクスケジューリングシグナリングを使用することによって第１の伝送表示情報および／または第２の伝送表示情報を受信するように構成されている。
【０３４４】
任意選択で、受信モジュールは、ダウンリンク制御情報ＤＣＩを使用することによって第１の伝送表示情報および／または第２の伝送表示情報を受信するように構成されている。任意選択で、ＤＣＩのタイプは、ミューティングエリアを含む物理リソースブロックＰＲＢを使用することによって第２のアップリンク情報を送信するように指示するために使用される。
【０３４５】
任意選択で、第２のアップリンク情報は、ＰＵＣＣＨを含む。受信モジュールは、第２のアップリンク情報の通知シグナリングを使用することによって第１の伝送表示情報を受信するように構成されている。第２のアップリンク情報の通知シグナリングを構成する方式は、準静的な構成である。
【０３４６】
任意選択で、第１の伝送表示情報は、第１のアップリンク情報のキャリア識別子を含み、および／または第２の伝送表示情報は、第２のアップリンク情報のキャリア識別子を含む。
【０３４７】
本発明の実施形態は、基地局をさらに提供する。基地局は、図７において示されているアップリンク情報送信装置を含む。基地局は、図１から図６において示されているアップリンク情報送信方法を実行し得る。
【０３４８】
本発明のこの実施形態の技術的なソリューションのその他の詳細は、図１から図７において示されている実施形態の技術的なソリューションの詳細と同様である。詳細がここで再び記述されることはない。
【０３４９】
本発明の実施形態は、ユーザ機器をさらに提供する。ユーザ機器は、図８および図９において示されているアップリンク情報送信装置を含む。ユーザ機器は、図１から図６において示されているアップリンク情報送信方法を実行し得る。
【０３５０】
本発明のこの実施形態の技術的なソリューションのその他の詳細は、図１から図９において示されている実施形態の技術的なソリューションの詳細と同様である。詳細がここで再び記述されることはない。
【０３５１】
本出願において提供されているいくつかの実施形態においては、開示されているデバイスおよび方法は、その他の方式で実施され得るということを理解されたい。たとえば、記述されているデバイス実施形態は、例にすぎない。たとえば、ユニットまたはモジュールの区分は、論理的な機能区分にすぎず、実際の実装においては、その他の区分であってもよい。たとえば、複数のユニットもしくはモジュールが組み合わされてもしくは統合されて別のシステムになってもよく、またはいくつかの機能が無視されてもよく、もしくは実行されなくてもよい。加えて、示されているまたは論じられている相互の結合または直接の結合または通信接続は、いくつかのインターフェースを通じて実装され得る。デバイス間またはモジュール間における間接的な結合または通信接続は、電気的、機械的、またはその他の形態で実施され得る。
【０３５２】
別々の部分として記述されているモジュールは、物理的に別々であってもよく、または物理的に別々でなくてもよく、モジュールとして示されている部分は、物理的なモジュールであってもよく、または物理的なモジュールでなくてもよく、１つの位置に配置されてもよく、または複数のネットワークユニット上に分散されてもよい。いくつかのまたはすべてのモジュールは、実施形態のソリューションの目的を達成するために実際のニーズに従って選択され得る。
【０３５３】
方法の実施形態のステップのうちのすべてまたはいくつかは、関連するハードウェアに指示するプログラムによって実装され得るということを当業者なら理解し得る。そのプログラムは、コンピュータ可読記憶媒体内に格納され得る。そのプログラムが作動したときに、方法実施形態のステップが実行される。前述の記憶媒体は、ＲＯＭ、ＲＡＭ、磁気ディスク、または光ディスクなどの、プログラムコードを格納することができる任意の媒体を含む。
【０３５４】
最後に、前述の実施形態は、本発明の技術的なソリューションについて記述することを意図されているにすぎず、本発明を限定することが意図されているものではないということに留意されたい。前述の実施形態を参照しながら本発明が詳細に記述されているが、当業者なら、それでもなお、本発明の実施形態の技術的なソリューションの範囲から逸脱することなく、前述の実施形態において記述されている技術的なソリューションに対する修正をなし得る、またはそれらのいくつかのもしくはすべての技術的な特徴に対する等価な代替形態をなし得るということを理解するはずである。
【図１】
2020102883.tif 000004
【図２】
2020102883.tif 000005
【図３】
2020102883.tif 000006
【図４】
2020102883.tif 000007
【図５】
2020102883.tif 000008
【図６】
2020102883.tif 000009
【図７】
2020102883.tif 000010
【図８】
2020102883.tif 000011
【図９】
2020102883.tif 000012
【手続補正書】
【提出日】令和2年4月1日(2020.4.1)
【手続補正１】
【補正対象書類名】特許請求の範囲
【補正対象項目名】全文
【補正方法】変更
【補正の内容】
【特許請求の範囲】
【請求項１】
基地局によって、第１のアップリンク情報の第１の伝送表示情報および第２の伝送表示情報を送信するステップであって、前記第１の伝送表示情報は、前記基地局がユーザ機器ＵＥに前記第１のアップリンク情報を送信するように指示するサブフレームおよび／またはキャリアを含み、
前記第１の伝送表示情報は第３のリソースをさらに含み、前記第３のリソースは、前記第１のアップリンク情報を送信するために前記ＵＥによって使用される時間ドメインリソースおよび周波数ドメインリソースを示すために使用され、
前記第２の伝送表示情報は第４のリソースを含み、前記第４のリソースは、第２のアップリンク情報を送信するために前記ＵＥによって使用される時間ドメインリソースおよび周波数ドメインリソースを示すために使用される、ステップと、
前記ＵＥによって、前記第１のアップリンク情報の前記第１の伝送表示情報、および前記第２の伝送表示情報を受信するステップと、
前記ＵＥによって、前記第３のリソース上で前記第１のアップリンク情報を送信するステップであって、前記第３のリソースとのキャリアコリジョンに陥っているキャリアの対応する時間ドメインリソース上で前記第２のアップリンク情報は送信されない、ステップであって、
前記第３のリソースとのキャリアコリジョンに陥っている前記キャリアの前記対応する時間ドメインリソースはアップリンクキャリアのスイッチング時間遅延を含み、
前記キャリアコリジョンは、前記第１のアップリンク情報の、前記基地局によって示される前記サブフレームにおいて、前記第１のアップリンク情報の前記キャリアと、前記ＵＥによって送信される必要がある第２のアップリンク情報によって使用されるキャリアとの総量が、前記ＵＥのアップリンクキャリアアグリゲーション能力を超えることを意味する、ステップと、
前記基地局によって、前記第１のアップリンク情報を受信するステップと
を含む、アップリンク信号送信方法。
【請求項２】
前記第１のアップリンク情報は、周期的なＳＲＳまたは非周期的なＳＲＳである、請求項１に記載の方法。
【請求項３】
前記第２のアップリンク情報は、チャネル状態情報ＣＳＩのみを含む物理アップリンク制御チャネルＰＵＣＣＨである、請求項２に記載の方法。
【請求項４】
前記第１のアップリンク情報はＨＡＲＱを含むＰＵＣＣＨでありかつ前記第２のアップリンク情報は周期的なＳＲＳもしくは非周期的なＳＲＳであり、または
前記第１のアップリンク情報は物理ランダムアクセスチャネルＰＲＡＣＨでありかつ前記第２のアップリンク情報は周期的なＳＲＳもしくは非周期的なＳＲＳである、請求項１に記載の方法。
【請求項５】
前記第１のアップリンク情報によって使用される前記時間ドメインリソースは、前記第１のアップリンク情報によって占められる前記サブフレームのロケーション情報、直交周波数分割多重ＯＦＤＭロケーション情報、循環シフト情報、およびＳＲＳ送信サブフレームオフセットのうちの少なくとも１つを含む、請求項１乃至４のいずれか一項に記載の方法。
【請求項６】
前記第１の伝送表示情報は、
前記ＵＥが前記第１のアップリンク情報を送信するキャリアおよびキャリアグループを示すために使用される第１のリソースを含む、請求項１乃至５のいずれか一項に記載の方法。
【請求項７】
前記第１の伝送表示情報は、前記第１のアップリンク情報のキャリア識別子を含み、前記キャリアは切り替え先のキャリアであり、ＰＵＳＣＨは前記キャリア上で送信されない、請求項１乃至５のいずれか一項に記載の方法。
【請求項８】
前記ＵＥは高いレイヤのシグナリングを介して前記第１の伝送表示情報を受信する、請求項１乃至７のいずれか一項に記載の方法。
【請求項９】
第１のアップリンク情報の第１の伝送表示情報および第２の伝送表示情報を送信するように構成された基地局であって、前記第１の伝送表示情報は、前記基地局がユーザ機器ＵＥに前記第１の前記アップリンク情報を送信するように指示するサブフレームおよび／またはキャリアを備え、
前記第１の伝送表示情報は第３のリソースをさらに含み、前記第３のリソースは、前記第１のアップリンク情報を送信するために前記ＵＥによって使用される時間ドメインリソースおよび周波数ドメインリソースを示すために使用され、
前記第２の伝送表示情報は第４のリソースを含み、前記第４のリソースは、第２のアップリンク情報を送信するために前記ＵＥによって使用される時間ドメインリソースおよび周波数ドメインリソースを示すために使用される、基地局と、
前記第１のアップリンク情報の第１の伝送表示情報、および前記第２の伝送表示情報を受信し、
前記第３のリソースで第１のアップリンク情報を送信するように構成された前記ＵＥであって、前記第２のアップリンク情報は、前記第３のリソースとのキャリアコリジョンに陥っているキャリアの対応する時間ドメインリソースでは送信されず、
前記第３のリソースとのキャリアコリジョンに陥っている前記キャリアの前記対応する時間ドメインリソースは、アップリンクキャリアのスイッチング時間遅延を含み、
前記キャリアコリジョンは、前記第１のアップリンク情報の、前記基地局によって示される前記サブフレームにおいて、前記第１のアップリンク情報の前記キャリアと、前記ＵＥによって送信される必要がある第２のアップリンク情報によって使用されるキャリアとの総量が、前記ＵＥのアップリンクキャリアアグリゲーション能力を超えることを意味する、前記ＵＥと
を備え、前記基地局は、前記第１のアップリンク情報を受信するようにさらに構成される、アップリンク信号送信システム。
【請求項１０】
前記第１のアップリンク情報は、周期的なＳＲＳまたは非周期的なＳＲＳである、請求項９に記載のシステム。
【請求項１１】
前記第２のアップリンク情報は、チャネル状態情報ＣＳＩのみを含む物理アップリンク制御チャネルＰＵＣＣＨである、請求項１０に記載のシステム。
【請求項１２】
前記第１のアップリンク情報はＨＡＲＱを含むＰＵＣＣＨでありかつ前記第２のアップリンク情報は周期的なＳＲＳもしくは非周期的なＳＲＳであり、または
前記第１のアップリンク情報は物理ランダムアクセスチャネルＰＲＡＣＨでありかつ前記第２のアップリンク情報は周期的なＳＲＳもしくは非周期的なＳＲＳである、請求項１０に記載のシステム。
【請求項１３】
前記第１のアップリンク情報によって使用される前記時間ドメインリソースは、前記第１のアップリンク情報によって占められる前記サブフレームのロケーション情報、直交周波数分割多重ＯＦＤＭロケーション情報、循環シフト情報、およびＳＲＳ送信サブフレームオフセットのうちの少なくとも１つを含む、請求項９乃至１２のいずれか一項に記載のシステム。
【請求項１４】
前記第１の伝送表示情報は、
前記ＵＥが前記第１のアップリンク情報を送信するキャリアおよびキャリアグループを示すために使用される第１のリソースを含む、請求項９乃至１３のいずれか一項に記載のシステム。
【請求項１５】
前記第１の伝送表示情報は、前記第１のアップリンク情報のキャリア識別子を含み、前記キャリアは切り替え先のキャリアであり、ＰＵＳＣＨは前記キャリア上で送信されない、請求項９乃至１３のいずれか一項に記載のシステム。
【手続補正２】
【補正対象書類名】明細書
【補正対象項目名】００１３
【補正方法】変更
【補正の内容】
【００１３】
第１の態様の第５または第６の任意選択の実装に関連して、第１の態様の第７の任意選択の実装においては、第１の優先度ルールは、第１のアップリンク情報および第２のアップリンク情報におけるより高い優先度のデータが第２のアップリンク情報である場合に、第１のアップリンク情報を破棄するようにＵＥに指示するためにさらに使用される。
【手続補正３】
【補正対象書類名】明細書
【補正対象項目名】００４９
【補正方法】変更
【補正の内容】
【００４９】
第１の態様の第２６から第４２の任意選択の実装のうちのいずれか１つに関連して、第１の態様の第４３の任意選択の実装においては、第１の伝送表示情報は、第１のアップリンク情報のキャリア識別子を含み、および／または第２の伝送表示情報は、第２のアップリンク情報のキャリア識別子を含む。
本発明の第２の態様は、アップリンク信号送信方法を提供し、
ユーザ機器ＵＥによって、基地局によって送信される第１のアップリンク情報の第１の伝送表示情報、および／または第２の伝送表示情報のうちの少なくとも１つを受信するステップであって、第１の伝送表示情報は、第１のアップリンク情報を送信するように基地局がＵＥに指示するサブフレームおよび／またはキャリアを含む、ステップと、
ＵＥによって、第１の伝送表示情報および／または第２の伝送表示情報に基づいて、キャリアコリジョンが発生した場合のＵＥの挙動を決定するステップとを含む。
【手続補正４】
【補正対象書類名】明細書
【補正対象項目名】００９２
【補正方法】変更
【補正の内容】
【００９２】
第２の態様の第３５から第４２の任意選択の実装のうちのいずれか１つに関連して、第２の態様の第４３の任意選択の実装においては、第１の伝送表示情報は、第１のアップリンク情報のキャリア識別子を含み、および／または第２の伝送表示情報は、第２のアップリンク情報のキャリア識別子を含む。
【外国語明細書】
2020102883000001.pdf